(57)【要約】【課題】退避位置に必要とされるスペースを抑制しつつ、所定位置において演出部材を遊技者に十分に視認させることができる遊技機を提供すること。【解決手段】基側変位部材４４０を退避位置および回転位置の間で回転させる第１動作と、相対変位部材４５０を基側変位部材４４０に対して基準位置および張出位置の間で変位させる第２動作とをそれぞれ実行可能とされる。退避位置にある基側変位部材４５０を第１動作により回転位置へ配置し、基準位置にある相対変位部材４５０を第２動作により張出位置へ配置することで、両変位部材４４０，４５０全体を遊技者に十分に視認させ、その演出効果を十分に発揮させることができる。また、第１動作および第２動作により、基側変位部材を退避位置へ配置し、相対変位部材を基準位置に配置することで、両変位部材４４０，４５０全体を小さくして、変位部材を収容するために必要とされるスペースを抑制できる。【選択図】図１２
2020078715.tif 000002
【特許請求の範囲】
【請求項１】
駆動力を発生する駆動手段と、その駆動手段が発生する駆動力により変位される変位部材と、を備えた遊技機において、
前記変位部材は、
退避位置および回転位置の間を回転可能に形成される基側変位部材と、その基側変位部材に配設されると共に基準位置およびその基準位置よりも前記基側変位部材から外方へ張り出す張出位置の間を変位可能に形成される相対変位部材と、を備え、
前記基側変位部材を前記退避位置および回転位置の間で回転させる第１動作と、前記相対変位部材を前記基側変位部材に対して前記基準位置および張出位置の間で変位させる第２動作と、をそれぞれ実行可能とされることを特徴とする遊技機。
【請求項２】
前記相対変位部材は、前記基側変位部材にスライド変位可能に配設され、
前記第２動作は、前記相対変位部材を前記基側変位部材に対して前記基準位置および張出位置の間でスライド変位させることを特徴とする請求項１記載の遊技機。
【請求項３】
前記相対変位部材は、前記基側変位部材に互いの長手方向を沿わせた姿勢で配設されると共に、前記スライド変位の方向が互いの長手方向に沿った方向とされることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、回転可能に軸支された基端側を中心として変位部材を回転させることで演出を行う遊技機が知られている（特許文献１）。この遊技機によれば、変位部材を一の方向へ回転させることで、かかる変位部材の先端側を液晶表示装置の前面となる所定位置に配置する一方、変位部材を一の方向と逆方向となる他の方向へ回転させることで、変位部材を液晶表示装置の表示領域の外（退避位置）に退避させる。
【先行技術文献】
【特許文献】
【０００３】
【特許文献１】特開２０１１−９２６３４号公報（例えば、段落０１７５〜０１８９、図８３参照）
【発明の概要】
【発明が解決しようとする課題】
【０００４】
しかしながら、上述した従来の遊技機では、変位部材の外形が小さいと、液晶表示装置の前面となる所定位置において、変位部材を遊技者に十分に視認させることが困難となり、演出効果を十分に発揮できない一方、変位部材の外形が大きいと、表示領域の外（退避位置）に大きなスペースが必要になるという問題点があった。
【０００５】
本発明は、上記例示した問題点を解決するためになされたものであり、退避位置に必要とされるスペースを抑制しつつ、所定位置において変位部材を遊技者に十分に視認させることができる遊技機を提供することを目的とする。
【課題を解決するための手段】
【０００６】
この目的を達成するために請求項１記載の遊技機は、駆動力を発生する駆動手段と、その駆動手段が発生する駆動力により変位される変位部材と、を備えるものであって、前記変位部材は、退避位置および回転位置の間を回転可能に形成される基側変位部材と、その基側変位部材に配設されると共に基準位置およびその基準位置よりも前記基側変位部材から外方へ張り出す張出位置の間を変位可能に形成される相対変位部材と、を備え、前記基側変位部材を前記退避位置および回転位置の間で回転させる第１動作と、前記相対変位部材を前記基側変位部材に対して前記基準位置および張出位置の間で変位させる第２動作と、をそれぞれ実行可能とされる。
【０００７】
請求項２記載の遊技機は、請求項１記載の遊技機において、前記相対変位部材は、前記基側変位部材にスライド変位可能に配設され、前記第２動作は、前記相対変位部材を前記基側変位部材に対して前記基準位置および張出位置の間でスライド変位させる。
【０００８】
請求項３記載の遊技機は、請求項２記載の遊技機において、前記相対変位部材は、前記基側変位部材に互いの長手方向を沿わせた姿勢で配設されると共に、前記スライド変位の方向が互いの長手方向に沿った方向とされる。
【発明の効果】
【０００９】
請求項１記載の遊技機によれば、変位部材は、退避位置および回転位置の間を回転可能に形成される基側変位部材と、その基側変位部材に配設されると共に基準位置およびその基準位置よりも基側変位部材から外方へ張り出す張出位置の間を変位可能に形成される相対変位部材とを備え、基側変位部材を退避位置および回転位置の間で回転させる第１動作と、相対変位部材を基側変位部材に対して基準位置および張出位置の間で変位させる第２動作とをそれぞれ実行可能とされるので、退避位置にある基側変位部材を第１動作により回転位置へ配置する際には、基準位置にある相対変位部材を第２動作により張出位置へ配置することで、かかる相対変位部材を基側変位部材から外方へ張り出させることができる。よって、その分、変位部材を全体として大きくできるので、回転位置において、変位部材を遊技者に十分に視認させ、その演出効果を十分に発揮させることができる。
【００１０】
一方、回転位置にある基側変位部材を第１動作により退避位置へ配置する際には、張出位置による相対変位部材を第２動作により基準位置に配置することで、かかる相対変位部材の基側変位部材からの外方への張り出しを抑制できる。よって、その分、変位部材を全体として小さくできるので、退避位置において、変位部材を収容するために必要とされるスペースを抑制できる。その結果、他の部品や装置を配設するためのスペースを確保することができる。
【００１１】
なお、第２動作は、少なくとも退避位置へ配置されるまでの間（即ち、第１動作が完了するまでの間）に行われれば良い。よって、第１動作の少なくとも一部と第２動作の少なくとも一部とが重複して実行されても良い。
【００１２】
請求項２記載の遊技機によれば、請求項１記載の遊技機の奏する効果に加え、相対変位部材は、基側変位部材にスライド変位可能に配設され、第２動作は、相対変位部材を基側変位部材に対して基準位置および張出位置の間でスライド変位させるので、例えば、第２動作が相対変位部材を基側変位部材に対して回転させる態様である場合と比較して、相対変位部材を基準位置から張出位置まで変位させるのに必要なスペースを抑制することができ、その分、他の部品や装置を配設するためのスペースを確保することができる。また、第１動作による基側変位部材の変位の態様に対して、第２動作による相対変位部材の変位の態様を異ならせることができるので、第１動作および第２動作を行うことによる演出効果を高めることができる。
【００１３】
請求項３記載の遊技機によれば、請求項２記載の遊技機の奏する効果に加え、相対変位部材は、基側変位部材に互いの長手方向を沿わせた姿勢で配設されると共に、そのスライド変位の方向が互いの長手方向に沿った方向とされるので、基側変位部材に対する相対変位部材の長手方向に沿ったスライド変位により変位部材を全体として伸縮させることができる。よって、回転位置においては、変位部材を、伸長により全体として大きくすることで、遊技者に十分に視認させることができ、その演出効果を十分に発揮させることができる。一方、退避位置においては、変位部材を、短縮により全体として小さくすることで、変位部材を収容するために必要とされるスペースを抑制でき、他の部品や装置を配設するためのスペースを確保することができる。
【図面の簡単な説明】
【００１４】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】ユニット収納部材の正面図である。
【図６】ユニット収納部材の正面図である。
【図７】基側変位部材および相対変位部材が退避位置に配置された状態における突出動作ユニットの正面斜視図である。
【図８】（ａ）は、突出動作ユニットの分解正面斜視図であり、（ｂ）は、連結ロッドの背面斜視図である。
【図９】正面視における伝達手段を模式的に図示した正面模式図である。
【図１０】正面視における伝達手段を模式的に図示した正面模式図である。
【図１１】基側変位部材および相対変位部材の分解背面斜視図である。
【図１２】基側変位部材および相対変位部材の背面斜視図である。
【図１３】突出動作ユニットの正面図である。
【図１４】突出動作ユニットの正面図である。
【図１５】突出動作ユニットの正面図である。
【図１６】突出動作ユニットの正面斜視図である。
【図１７】（ａ）は、図１６の矢印ＸＶＩＩａ方向視における突出動作ユニットの側面図であり、（ｂ）は、図１７（ａ）の部分ＸＶＩＩｂにおける突出動作ユニットの部分拡大側面図である。
【図１８】複合動作ユニットの正面斜視図である。
【図１９】複合動作ユニットの正面斜視図である。
【図２０】複合動作ユニットの分解正面斜視図である。
【図２１】複合動作ユニットの分解正面斜視図である。
【図２２】（ａ）は、被駆動部材および従動部材の正面図であり、（ｂ）は、図２２（ａ）の矢印ＸＸＩＩｂ方向視における被駆動部材および従動部材の側面図である。
【図２３】（ａ）は、被駆動部材の正面図であり、（ｂ）は、被駆動部材の背面部である。
【図２４】図２３（ａ）の矢印ＸＸＩＶ方向視における被駆動部材の側面図である。
【図２５】（ａ）は、従動部材の正面図であり、（ｂ）は、従動部材の背面部である。
【図２６】図２５（ａ）の矢印ＸＸＶＩ方向視における従動部材の側面図である。
【図２７】（ａ）は、第１案内溝との関係を示す被駆動部材および従動部材の正面模式図であり、（ｂ）は、第２案内溝との関係を示す被駆動部材および従動部材の正面模式図である。
【図２８】（ａ）は、第１案内溝との関係を示す被駆動部材および従動部材の正面模式図であり、（ｂ）は、第２案内溝との関係を示す被駆動部材および従動部材の正面模式図である。
【図２９】（ａ）は、第１案内溝との関係を示す被駆動部材および従動部材の正面模式図であり、（ｂ）は、第２案内溝との関係を示す被駆動部材および従動部材の正面模式図である。
【図３０】（ａ）は、第１案内溝との関係を示す被駆動部材および従動部材の正面模式図であり、（ｂ）は、第２案内溝との関係を示す被駆動部材および従動部材の正面模式図である。
【図３１】（ａ）は、第１案内溝との関係を示す被駆動部材および従動部材の正面模式図であり、（ｂ）は、第２案内溝との関係を示す被駆動部材および従動部材の正面模式図である。
【図３２】（ａ）は、第１案内溝との関係を示す被駆動部材および従動部材の正面模式図であり、（ｂ）は、第２案内溝との関係を示す被駆動部材および従動部材の正面模式図である。
【図３３】回転動作ユニットの正面斜視図である。
【図３４】回転動作ユニットの分解正面斜視図である。
【図３５】回転動作ユニットの分解背面斜視図である。
【図３６】回転動作ユニットの縦断面図である。
【図３７】（ａ）は、本体部の背面図であり、（ｂ）は、図３７（ａ）のＸＸＸＶＩＩ部分を拡大して示す本体部の部分拡大背面図である。
【図３８】回転動作ユニットの正面図である。
【図３９】（ａ）は、図３８（ａ）のＸＸＸＩＸａ−ＸＸＸＩＸａ線における回転動作ユニットの断面図であり、（ｂ）は、図３８（ｂ）のＸＸＸＩＸｂ−ＸＸＸＩＸｂ線における回転動作ユニット６００の断面図である。
【発明を実施するための形態】
【００１５】
以下、本発明の実施形態について、添付図面を参照して説明する。まず、図１から図３９を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１６】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１７】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１８】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１９】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００２０】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２１】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２２】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２５】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２６】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２７】
図２に示すように、遊技盤１３は、正面視略正方形状に切削加工したベース板６０に、球案内用の多数の釘（図示せず）や風車の他、レール６１，６２、一般入賞口６３、第１入賞口６４、第２入賞口６４０、可変入賞装置６５、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２８】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００２９】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００３０】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３１】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３２】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３３】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３４】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３５】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３６】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３７】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３８】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。
【００３９】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。また、後述する突出動作ユニット４００や複合動作ユニット５００が動作されると、それらの相対変位部材４５０や従動部材５６０の少なくとも一部がセンターフレーム８６の開口部内に張り出し、開口部を介して視認可能とされる。例えば、突出動作ユニット４００は、第１動作により回転位置に配置されると（図１４（ａ）参照）、相対変位部材４５０の先端部分がセンターフレーム８６の開口部を介して視認可能とされ、第２動作により張出位置に配置されると（図１５（ｂ）参照）、相対変位部材４５０の略全体がセンターフレーム８６の開口部を介して視認可能とされる。
【００４０】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４１】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４２】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００４３】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４４】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４５】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４６】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４７】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４８】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４９】
一方、第１入賞口６４の正面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００５０】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５１】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５２】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５３】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５４】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５５】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５６】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５７】
第１入賞口６４の上方右側には可変入賞装置６５が配設されており、その略中央部分に横長矩形状の特定入賞口（大開放口）６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５８】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５９】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６０】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の上方右側に限らず、例えば、可変表示装置ユニット８０の左方でも良い。
【００６１】
遊技盤１３の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６２】
遊技盤１３には、第１アウト口７１が設けられている。遊技領域を流下する球であって、いずれの入賞口６３，６４，６５ａ，６４０，にも入賞しなかった球は、第１アウト口７１を通って図示しない球排出路へと案内される。第１アウト口７１は、第１入賞口６４の下方に配設される。
【００６３】
遊技盤１３には、球の落下方向を適宜分散、調整等するために多数の釘が植設されているとともに、風車等の各種部材（役物）とが配設されている。
【００６４】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６５】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６６】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６７】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６８】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６９】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７０】
次に、図４を参照して、本パチンコ機１０の電気的構成について説明する。図４は、パチンコ機１０の電気的構成を示すブロック図である。
【００７１】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７２】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７３】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７４】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７５】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７６】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７７】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７８】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７９】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８０】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８１】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８２】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４２０，５３０，６３０が含まれる。
【００８３】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８４】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８５】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８６】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８７】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８８】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８９】
次いで、図５及び図６を参照して、ユニット収納部材３００について説明する。図５及び図６は、ユニット収納部材３００の正面図であり、図５では各動作ユニット４００〜８００が退避位置に配置された状態が、図６では突出動作ユニット４００及び複合動作ユニット５００が張出位置に配置された状態が、それぞれ図示される。
【００９０】
図５及び図６に示すように、ユニット収納部材３００は、正面視矩形の底壁板と、その底壁部の４辺の外縁から立設される外壁板とから正面側（図５紙面手前側）が開放された箱状に形成されるユニット収納部材３００を備える。ユニット収納部材３００の底面板には、その中央部分に正面視矩形の開口３０１が開口形成され、これにより、ユニット収納部材３００が正面視矩形の枠状に形成される。なお、開口３０１は、第３図柄表示装置８１（図２参照）の外形に対応した（即ち、第３図柄表示装置８１を配設可能な）大きさに形成される。
【００９１】
ユニット収納部材３００には、その内部空間に、突出動作ユニット４００、複合動作ユニット５００、回転動作ユニット６００、出没動作ユニット７００及び張出動作ユニット８００がそれぞれ収納され、これにより動作ユニット２００が１ユニットとして構成される。
【００９２】
突出動作ユニット４００は、基側変位部材４４０及び相対変位部材４５０を備え、それら両変位部材４４０，４５０を、図５に示す退避位置と図６に示す張出位置との間で動作（変位）させる。図５に示す退避位置では、基側変位部材４４０及び相対変位部材４５０が前後方向（図５紙面垂直方向）で重ねられた状態を形成することで、退避位置に必要とされるスペースを抑制する一方、図６に示す張出位置では、相対変位部材４５０を基側変位部材４４０に対してスライド変位させ、全体を大型化することで、視認性を確保して、演出効果を高める。この突出動作ユニット４００の動作については、図７から図１７を参照して後述する。
【００９３】
複合動作ユニット５００は、被駆動部材５５０（図２０及び図２１参照）及び従動部材５６０を備え、それら両部材５５０，５６０を、図５に示す退避位置と図６に示す張出位置との間で動作（変位）させる。この場合、複合動作ユニット５００は、被駆動部材５５０には、所定位置を回転中心とする回転運動のみを行わせる一方で、その被駆動部材５５０に接続される従動部材５６０には、直線運動と回転運動とを組み合わせた運動を行わせることで、従動部材５６０の軌道に変化を付与して、演出効果を高める。この複合動作ユニット５００の動作については、図１８から図３２を参照して後述する。
【００９４】
回転動作ユニット６００は、同心に配設される第１回転体６５０及び第２回転体６６０を備え、それら両回転体６５０，６６０を回転させることで、両者の回転を遊技者に関連付けさせやすくして、複数の回転体（第１回転体６５０及び第２回転体６６０）をそれぞれ回転させるという演出の効果を発揮させる。この回転動作ユニット６００の動作については、図３３から図３９を参照して後述する。
【００９５】
また、出没動作ユニット７００はスライド変位可能に形成される出没部材７１０を、張出動作ユニット８００は、回転可能に形成される張出部材８１０を、それぞれ備え、それら出没部材７１０及び張出部材８１０を、図５に示す退避位置と開口３０１（第３図柄表示装置８１、図２参照）の正面（前面）に張り出した状態となる張出位置（図示せず）との間でスライド変位または回転により動作（変位）させる。
【００９６】
次いで、図７から図１７を参照して、突出動作ユニット４００について説明する。図７は、基側変位部材４４０及び相対変位部材４５０が退避位置に配置された状態における突出動作ユニット４００の正面斜視図である。図８（ａ）は、突出動作ユニット４００の分解正面斜視図であり、図８（ｂ）は、連結ロッド４６０の背面斜視図である。
【００９７】
なお、図７及び図８では、突出動作ユニット４００とケース体４１０を共用する出没動作ユニット７００が突出動作ユニット４００に併設された状態が図示される。また、突出動作ユニット４００は、開口３０１の下方において出没動作ユニット７００を挟んで左右に一対が配設されるところ（図５及び図６参照）、これら一対の突出動作ユニット４００は左右対称に形成され、その構造は実質的に同一であるので、一方（正面視右側に配設されるもの）についてのみ説明し、他方（正面視左側に配設されるもの）についての説明は省略する。
【００９８】
図７及び図８に示すように、突出動作ユニット４００は、その背面側において骨格をなすケース体４１０と、そのケース体４１０の正面側に配設される駆動モータ４２０と、その駆動モータ４２０の回転駆動力を伝達する複数の歯車（ピニオンギヤ４３１、中間ギヤ４３２及びクランクギヤ４３３）と、ケース体４１０に回転可能に軸支される基側変位部材４４０と、その基側変位部材４４０にスライド変位可能に配設される相対変位部材４５０と、その相対変位部材４５０及びクランクギヤ４３３の間を連結すると共にケース体４１０に回転可能に軸支される連結ロッド４６０と、を主に備えて構成される。
【００９９】
ケース体４１０は、樹脂材料からなり、そのケース体４１０の正面（前面）には、複数の歯車（各ギヤ４３１，４３２，４３３）に対応した外形を有する収納凹部４１１が凹設されると共に、その収納凹部４１１の側方（図８（ａ）右側）にロッド支持軸４１２が、収納凹部４１１の下方（図８（ａ）下側）に基側支持軸４１３が、それぞれ突設される。なお、各支持軸４１２，４１３は、真鍮材料からなり、各ギヤ４３１〜４３３の回転軸と平行な姿勢で配設される。
【０１００】
本実施形態では、基側変位部材４４０及び相対変位部材４５０が退避位置に配置されると、後述するように、各変位部材４４０，４５０と、連結ロッド４６０と、各ギヤ４３１，４３２，４３３とが前後方向に積層される構造であるところ（図１３参照）、ケース体４１０の正面に収納凹部４１１を凹設し、その収納凹部４１１に各ギヤ４３１，４３２，４３３をそれぞれ収納する構造とすることで、その分、突出動作ユニット４００の前後方向の小型化を図ることができる。
【０１０１】
駆動モータ４２０の駆動軸には、ピニオンギヤ４３１が取着され、そのピニオンギヤ４３１には中間ギヤ４３２が、中間ギヤ４３２にはクランクギヤ４３３が、それぞれ歯合される。よって、駆動モータ４２０の駆動軸が回転駆動され、ピニオンギヤ４３１が回転されると、その回転が中間ギヤ４３２を介して、クランクギヤ４３３に伝達され、クランクギヤ４３３が回転される。
【０１０２】
なお、中間ギヤ４３２及びクランクギヤ４３３は、ケース体４１０に軸支される。また、各ギヤ４３１〜４３３は、歯が回転軸と平行に外周面に刻設される平歯車としてそれぞれ形成される。この場合、クランクギヤ４３３は、その正面（軸方向端面）に放射状の装飾が形成されると共に、正面部分（軸方向端面）の直径が、外周面に刻設される歯の歯先円よりも大きくされ、正面視において遊技者から歯を遮蔽可能に形成される。
【０１０３】
クランクギヤ４３３の正面（軸方向端面）には、そのクランクギヤ４３３の回転軸から偏心した位置にクランクピン４３３ａが突設される。クランクピン４３３ａは、連結ロッド４６０に連結される部位であり、クランクギヤ４３３の回転軸に平行な円柱状体として形成されると共に、連結ロッド４６０のロッド溝４６３内に摺動可能に挿通される（図９及び図１０参照）。これにより、クランクギヤ４３３が回転されると、その回転が、クランクピン４３３ａを介して、連結ロッド４６０へ伝達される。
【０１０４】
基側変位部材４４０及び相対変位部材４５０は、退避位置から張出位置へ変位されることで演出を行うための演出部材であり（図５及び図６参照）、基側変位部材４４０（軸支孔４４２）がケース体４１０の基側支持軸４１３に回転可能に軸支されると共に、基側変位部材４４０の正面側に相対変位部材４５０がスライド変位可能に配設される。
【０１０５】
ここで、相対変位部材４５０には、その正面側に装飾部４５４が形成される。装飾部４５４は、相対変位部材４５０の正面側を装飾するための部位であり、基端側（基側変位部材４４０が回転される際の回転中心側、図７及び図８の下側）から先端側（基端変位部材４４０が回転される際の回転先端側、図７及び図８の上側）へ向かうに従って幅が狭くなる正面視先細形状に全体が形成されると共に、装飾部４５４の正面には、第１部分４５４ａ、第２部分４５４ｂ及び第３部分４５４ｃが長手方向に沿って列設される。
【０１０６】
これら装飾部４５４の第１部分４５４ａ、第２部分４５４ｂ及び第３部分４５４ｃは、装飾部４５４全体の先細形状に対応した大きさに形成される。即ち、先端側に位置する第１部分４５４ａよりも中間に位置する第２部分４５４ｂが、中間に位置する第２部分４５４ｂよりも基端側に位置する第３部分４５４ｃが、それぞれ外形の大きな六角形に形成される。
【０１０７】
この場合、第１部分４５４ａ、第２部分４５４ｂ及び第３部分４５４ｃは、その前後方向の位置（図５紙面垂直方向の位置）をそれぞれ異なせて配置される。具体的には、先端側に位置する第１部分４５４ａよりも中間に位置する第２部分４５４ｂが、中間に位置する第２部分４５４ｂよりも基端側に位置する第３部分４５４ｃが、それぞれ正面（前方）側（図５紙面手前側）に配置される。
【０１０８】
これにより、相対変位部材４５０の装飾部４５４（即ち、相対変位部材４５０の正面）は、基端側（基側変位部材４４０の回転中心側、図７及び図８の下側）から先端側（基端変位部材４４０の回転先端側、図７及び図８の上側）へ向かうに従ってケース体４１０に近接する方向へ階段状（本実施形態では３段の階段状）に下降傾斜される。
【０１０９】
これにより、後述するように、基側変位部材４４０を回転させる際には（図１３及び図１４参照）、装飾部材４８０（図１６及び図１７参照）との接触を防止しつつ、装飾部材４８０の背面側を両変位部材４４０，４５０が通過する態様を可能として、演出効果の向上を図ると共に、相対変位部材４５０を張り出させる際には（図１５参照）、装飾部４５４を正面（前方）に位置させ、迫力の向上を図ることができる。
【０１１０】
なお、基側変位部材４４０及び相対変位部材４５０の詳細構成については後述する（図１１及び図１２参照）。
【０１１１】
連結ロッド４６０は、クランクギヤ４３３の回転を相対変位部材４５０へ伝達するための長尺板状の部材であり、長手方向一端側に円形の孔として穿設される軸支孔４６１と、その軸支孔４６１と反対側となる長手方向他端側に長手方向に沿って延設される長穴として穿設される接続孔４６２と、それら軸支孔４６１及び接続孔４６２の間において長手方向に沿って延設される凹溝として背面側に凹設されるロッド溝４６３と、を備えて形成される。
【０１１２】
連結ロッド４６０は、軸支孔４６１にケース体４１０のロッド支持軸４１２が挿通されると共に、ロッド溝４６３にクランクギヤ４３３のクランクピン４３３ａが挿通される状態で、ケース体４１０に取り付けられる。また、連結ロッド４６０の接続孔４６２には、相対変位部材４５０の接続ピン４５２が挿通される（図１１及び図１２参照）。これにより、後述するように、クランクギヤ４３３の回転に伴い、ロッド支持軸４１２を回転中心として連結ロッド４６０が回転されると共に（図９及び図１０参照）、その連結ロッド４６０の回転に伴い、基側変位部材４４０及び相対変位部材４５０が回転（第１動作）及びスライド変位（第２動作）され（図１２参照）、退避位置と張出位置との間で動作（変位）される。
【０１１３】
この場合、本実施形態では、図７に示すように、ケース体４１０の正面（一面）側に駆動モータ４２０と基側変位部材４４０及び相対変位部材４５０とがそれぞれ配設されるので、例えば、ケース体４１０を挟んで、正面（一面）側に基側変位部材４４０及び相対変位部材４５０が、背面（他面）側に駆動モータ４２０が、それぞれ配設される場合と比較して、突出動作ユニット４００の前後方向における寸法の小型化を図ることができる。
【０１１４】
更に、基側変位部材４４０及び相対変位部材４５０は、その長手方向の延長線上に駆動モータ４２０が位置する姿勢で、退避位置に配設されるので（図１３（ａ）参照）、これら駆動モータ４２０と基側変位部材４４０及び相対変位部材４５０とを直線状に配置できる。よって、ケース体４１０の正面側に退避位置として必要とされるスペースを効率的に抑制できる。
【０１１５】
また、本実施形態では、駆動モータ４２０の回転駆動力を基側変位部材４４０及び相対変位部材４５０へ伝達するための伝達手段を、複数の歯車（各ギヤ４３１〜４３３）及びクランクギヤ４３３と共にクランク機構をなす連結ロッド４６０から構成し、後述するように、連結ロッド４６０（接続孔４６２及びロッド溝４６３）とクランクギヤ４３３のクランクピン４３３ａ及び相対変位部材４５０の接続ピン４５２とが接続される部分が、ケース体４１０のロッド支持軸４１１及び基側支持軸４１２の間となる領域内に配置されるように、伝達手段（各ギヤ４３１〜４３３及び連結ロッド４６０）及び各支持軸４１１，４１２の配置を設定する。
【０１１６】
これにより、基側変位部材４４０及び相対変位部材４５０が退避位置に配設された状態において、これら基側変位部材４４０及び相対変位部材４５０に対して正面視において重なる領域内に伝達手段を配設することができる。即ち、退避位置に配設された基側変位部材４４０及び相対変位部材４５０の背面側に形成されるデッドスペースを、伝達手段の配設スペースとして有効に活用できる。その結果、上述した駆動モータ４２０と基側変位部材４４０及び相対変位部材４５０との位置関係による効果と共に、突出動作ユニット４００の前後方向および正面視における外形の小型化を相乗的に達成することができる。
【０１１７】
次いで、図９及び図１０を参照して、伝達手段（ピニオンギヤ４３１、中間ギヤ４３２、クランクギヤ４３３及び連結ロッド４６０）の動作について説明する。図９及び図１０は、正面視における伝達手段を模式的に図示した正面模式図であり、図９（ａ）ではクランクギヤ４３３が第１回転位置に配置された状態が、図９（ｂ）ではクランクギヤ４３３が中間回転位置に配置された状態が、図１０ではクランクギヤ４３３が第２回転位置に配置された状態が、それぞれ図示される。
【０１１８】
なお、図９及び図１０では、図面を簡素化して、理解を容易とするために、各ギヤ４３１〜４３３及び連結ロッド４６０の形状が模式的に図示される。また、図９及び図１０には、クランクギヤ４３３が第１回転位置、中間回転位置および第２回転位置に配置された際の連結ロッド４６０の中心線の位置が位置Ｐ１，Ｐｍ，Ｐ２として二点鎖線を用いて模式的に図示される。
【０１１９】
また、図９及び図１０の説明においては、図１３から図１５を適宜参照する。図９（ａ）は、図１３（ａ）及び図１３（ｂ）に示す状態に対応し、図９（ｂ）は、図１４（ａ）及び図１４（ｂ）に示す状態に対応し、図１０は、図１５（ａ）及び図１５（ｂ）に示す状態に対応する。
【０１２０】
図９（ａ）に示すように、このクランクギヤ４３３が第１回転位置に配置され、連結ロッド４６０が位置Ｐ１に位置する状態では、基側変位部材４４０が退避位置に、相対変位部材４５０が基準位置に、それぞれ配置される（図１２（ａ）及び図１３参照）。この状態では、クランクギヤ４３３のクランクピン４３３ａが、連結ロッド４６０のロッド溝４６３における上端（ロッド支持軸４１２側の端部）に位置する。
【０１２１】
よって、クランクギヤ４３３が第１回転位置に配置された状態では、クランクギヤ４３３が図９（ａ）左回り（反時計回り）へ回転（即ち、基側変位部材４４０及び相対変位部材４５０を張出位置から退避位置へ退避させる方向へ回転）することを、クランクピン４３３ａをロッド溝４６３の上端に当接させることで、規制できる。従って、基側変位部材４４０及び相対変位部材４５０を張出位置から退避位置へ配置する際に、例えば、電気的な要因により、駆動モータ４２０の制御不良が発生した場合であっても、機械的な機構（クランクピン４３３ａをロッド溝４６３で規制するストッパ機構）により、基側変位部材４４０及び相対変位部材４５０が退避位置を越えて変位され、これら両変位部材４４０，４５０や連結ロッド４６０が他の部材に衝突することを未然に回避できる。
【０１２２】
図９（ａ）に示す状態からクランクギヤ４３３が図９（ａ）右回り（時計回り）に回転されると、クランクギヤ４３３のクランクピン４３３ａが、連結ロッド４６０のロッド溝４６３を下端（ロッド支持軸４１２と反対側の端部）へ向けて摺動され、連結ロッド４６０がロッド支持軸４１２を回転中心として図９（ａ）右回り（時計回り）に回転される。クランクギヤ４３３が更に回転され、図９（ｂ）に示すように、中間回転位置に達すると、連結ロッド４６０が位置Ｐｍに位置される。この状態では、基側変位部材４４０が回転位置に、相対変位部材４５０が基準位置に、それぞれ配置される（図１２（ｂ）及び図１４参照）。
【０１２３】
図９（ｂ）に示す状態からクランクギヤ４３３が図９（ａ）右回り（時計回り）に回転されると、クランクギヤ４３３のクランクピン４３３ａが、連結ロッド４６０のロッド溝４６３を下端（ロッド支持軸４１２と反対側の端部）へ向けて摺動した後に上端（ロッド支持軸４１２側の端部）へ向けて摺動され、連結ロッド４６０がロッド支持軸４１２を回転中心として図９（ａ）右回り（時計回り）に回転される。これにより、クランクギヤ４３３が、図１０に示すように、第２回転位置に達すると、連結ロッド４６０が位置Ｐ２に位置される。この状態では、基側変位部材４４０が回転位置に、相対変位部材４５０が張出位置に、それぞれ配置される（図１２（ｃ）及び図１５参照）。
【０１２４】
なお、このクランクギヤ４３３が第２回転位置に配置された場合においても、図９（ａ）に示す第１回転位置に配置された場合と同様に、クランクギヤ４３３のクランクピン４３３ａが、連結ロッド４６０のロッド溝４６３における上端（ロッド支持軸４１２側の端部）に位置する。
【０１２５】
よって、クランクギヤ４３３が第２回転位置に配置された状態では、クランクギヤ４３３が図１０右回り（時計回り）へ回転（即ち、基側変位部材４４０及び相対変位部材４５０を退避位置から張出位置へ張り出させる方向へ回転）することを、クランクピン４３３ａをロッド溝４６３の上端に当接させることで、規制できる。従って、基側変位部材４４０及び相対変位部材４５０を退避位置から張出位置へ配置する際に、例えば、電気的な要因により、駆動モータ４２０の制御不良が発生した場合であっても、機械的な機構（クランクピン４３３ａをロッド溝４６３で規制するストッパ機構）により、基側変位部材４４０及び相対変位部材４５０が張出位置を越えて変位され、これら両変位部材４４０，４５０や連結ロッド４６０が他の部材に衝突することを未然に回避できる。
【０１２６】
次いで、図１１及び図１２を参照して、基側変位部材４４０及び相対変位部材４５０の構成およびその動作について説明する。図１１は、基側変位部材４４０及び相対変位部材４５０の分解背面斜視図である。
【０１２７】
図１１に示すように、基側変位部材４４０は、長尺板状に形成される本体部４４１と、その本体部４１１の背面に円形の孔として開口される軸支孔４４２と、本体部４４１の長手方向（図１１上下方向）に沿って延設される長穴として穿設される第１スライド孔４４３及び第２スライド孔４４４と、を主に備えて形成される。
【０１２８】
軸支孔４４２は、ケース体４１０の基側支持軸４１３が挿通される孔であり、かかる挿通により、基側変位部材４４０は、基側支持軸４１３を回転中心として、ケース体４１０に回転可能に軸支される。即ち、基側変位部材４４０は、後述するように、退避位置（図１２（ａ）及び図１３参照）と回転位置（図１２（ｂ）、図１２（ｃ）、図１４及び図１５参照）との間で回転可能に軸支される。
【０１２９】
この場合、軸支孔４４２は、本体部４１１の長手方向中央よりも下方側であって、本体部４１１の幅方向中央よりも一側（張出位置側）へ偏った位置に形成される。これにより、基側変位部材４４０及び相対変位部材４５０がケース体４１０の外縁から所定量（所定面積）だけ張り出すために基側変位部材４４０に必要とされる回転角度を小さくできるので、基側変位部材４４０を退避位置と回転位置との間で回転させるのに必要な時間を短縮でき、その結果、基側変位部材４４０及び相対変位部材４５０の変位による演出効果を高めることができる。
【０１３０】
相対変位部材４５０は、長尺板状に形成される本体部４５１と、その本体部の背面から突出される接続ピン４５２と、本体部４５１の長手方向（図１１上下方向）に沿って所定間隔を隔てつつ配置される一対のスライドピン４５３と、本体部４５１の正面に配設される装飾部４５４と、を主に備えて形成される。
【０１３１】
接続ピン４５２及びスライドピン４５３は、基側変位部材４４０の第１スライド孔４４３及び第２スライド孔４４４にそれぞれ摺動可能に挿通される円柱状の部位であり、かかる挿通により、相対変位部材４５０が基側変位部材４４０に対しその長手方向に沿ってスライド変位可能に配設される。即ち、相対変位部材４５０は、後述するように、基準位置（図１２（ａ）、図１２（ｂ）、図１３及び図１４参照）と張出位置（図１２（ｃ）及び図１５参照）との間でスライド変位可能に基側変位部材４４０に配設される。
【０１３２】
この場合、接続ピン４５２は、基側変位部材４４０の第１スライド孔４４３から突出される先端側が、連結ロッド４６０の接続孔４６２に摺動可能に挿通され、かかる挿通により、相対変位部材４５０が連結ロッド４６０を介してクランクギヤ４３３（図８参照）に接続される。
【０１３３】
これにより、後述するように、クランクギヤ４３３の回転により、ロッド支持軸４１２を回転中心として連結ロッド４６０を回転させることで（図９参照）、基側支持軸４１３を回転中心とした基側相対変位部材４５０の回転（第１動作）を実行できると共に、基側変位部材４４０に対する相対変位部材４５０のスライド変位（第２動作）を実行できる（図１２参照）。
【０１３４】
ここで、接続ピン４５２とスライドピン４５３とは、相対変位部材４５０の長手方向（図１１上下方向）に沿って位置を違えて（間隔を隔てて）配設される。よって、相対変位部材４５０が基側変位部材４４０に連結される箇所を長手方向に分散させることができるので、基側変位部材４４０に対する相対変位部材４５０の前後方向（ケース体４１０に近接離間する方向）の相対変位を抑制して、スライド変位を安定させることができる。
【０１３５】
また、接続ピン４５２は、スライドピン４５３よりも相対変位部材４５０の長手方向先端側（図１１上側）に配置される。これにより、相対変位部材４５０が連結ロッド４６０を介してケース体４１０に支持される箇所を、相対変位部材４５０の長手方向先端側に近づけることができる。換言すると、相対変位部材４５０が連結ロッド４６０を介してケース体４１０に支持される箇所を、基側変位部材４４０の軸支孔４４２から長手方向先端側（図１１上側）へ遠ざけることができる。その結果、相対変位部材４５０の先端側が前後方向（ケース体４１０に近接離間する方向）に揺れることを抑制しやすくできる。
【０１３６】
即ち、基側変位部材４４０の長手方向基側（軸支孔４４２）のみがケース体４１０の基側支持軸４１３に軸支され、その基側変位部材４４０に相対変位部材４５０が配設される構造であるため、両変位部材４４０，４５０の長手方向先端側が自由端となり、第１動作の最中に先端側が前後方向に揺れやすい。この揺れは、先端側を装飾部材４８０と接触させるおそれを生じる。そのため、連結ロッド４６０を介してケース体４１０に支持させる位置を長手方向先端側とする構造が有効となる。
【０１３７】
接続ピン４５２及びスライドピン４５３には、カラーＣが回転自在に外嵌される。接続ピン４５２及びスライドピン４５３の外周面と第１スライド孔４４３及び第２スライド孔４４４の内周面との間にカラーＣが介在されることで、これら各スライド孔４４３，４４４に沿って各ピン４５２，４５３をスムーズに摺動させることができる。また、基側変位部材４４０の本体部４４１と相対変位部材４５０の本体部４５１及び連結ロッド４６０との間にカラーＣ（詳細には、カラーＣの大径のフランジ部分）が介在されることで、これら基側変位部材４４０と相対変位部材４５０及び連結ロッド４６０との間の対向間隔を一定に保持することができる。
【０１３８】
なお、接続ピン４５２は、その先端側の端面に円板状の円板Ｓがねじにより締結固定されることで、連結ロッド４６０からの抜け止めとされ、スライドピン４５３は、その先端側の端面に長尺平板状のスライドガイド４７０がねじにより締結固定され、基側変位部材４４０からの抜け止めとされる。
【０１３９】
図１２は、基側変位部材４４０及び相対変位部材４５０の背面斜視図である。なお、図１２（ａ）は、図９（ａ）及び図１３に図示する状態（即ち、クランクギヤ４３３が第１回転位置に、連結ロッド４６０が位置Ｐ１に、それぞれ配置された状態）に対応し、図１２（ｂ）は、図９（ｂ）及び図１４に図示する状態（即ち、クランクギヤ４３３が中間回転位置に、連結ロッド４６０が位置Ｐｍに、それぞれ配置された状態）に対応する。また、図１２（ｃ）は、図１０及び図１５に図示する状態（即ち、クランクギヤ４３３が第２回転位置に、連結ロッド４６０が位置Ｐ２に、それぞれ配置された状態）に対応する。
【０１４０】
図１２（ａ）に示すように、連結ロッド４６０が位置Ｐ１に位置する状態では（図９（ａ）及び図１３参照）、基側変位部材４４０の基側支持軸４１３を回転中心とする回転位置が、ロッド支持軸４１２に最も近接する位置である退避位置に、相対変位部材４５０の基側変位部材４４０に対するスライド位置が、基側変位部材４４０からの張り出し量が最少となる位置である基準位置に、それぞれ配置される。この状態では、相対変位部材４５０の接続ピン４５２が、連結ロッド４６０の接続孔４６２における上端（ロッド支持軸４１２側の端部）に位置する。
【０１４１】
図１２（ａ）に示す状態から、クランクギヤ４３３（図９（ａ）参照）の回転により、連結ロッド４６０がロッド支持軸４１２を回転中心として図１２（ａ）左回り（反時計回り）に回転されると、相対変位部材４５０の接続ピン４５２が、連結ロッド４６０の接続孔４６２を下端（ロッド支持軸４１２と反対側の端部）へ向けて摺動され、基側変位部材４４０及び相対変位部材４５０が基側支持軸４１３を回転中心として、基側変位部材４４０が相対変位部材４５０と共に図１２（ａ）右回り（時計回り）に回転される（第１動作）。連結ロッド４６０が更に回転され、図１２（ｂ）に示すように、中間位置Ｐｍに達すると（図９（ｂ）及び図１４参照）、基側変位部材４４０の回転位置が、ロッド支持軸４１２から最も離間した位置である回転位置に配置される。
【０１４２】
この場合、相対変位部材４５０の基側変位部材４４０に対するスライド位置は、基準位置に維持できる。即ち、連結ロッド４６０のロッド支持軸４１２を回転中心とする図１２（ａ）左回り（反時計回り）の回転は、相対変位部材４５０の接続ピン４５２を、連結ロッド４６０の接続孔４６２を下端へ向けて摺動させるところ、この摺動の方向が基側変位部材４４０に対する相対変位部材４５０のスライド変位の方向にほぼ沿う方向であるため、相対変位部材４５０を基側変位部材４４０に対してスライド変位させる方向への力成分を発生させない。よって、基側変位部材４４０に対する相対変位部材４５０のスライド位置を維持しつつ（基準位置からのスライド変位の発生を規制しつつ）、基側支持軸４１３を回転中心とする基側変位部材４４０の回転のみを発生させることができる。
【０１４３】
これにより、基側変位部材４４０からの相対変位部材４５０の張り出し量が最少に維持された状態で、これら両変位部材４４０，４５０を、基側支持軸４１３を中心として回転させることができるので、相対変位部材４５０の回転先端と駆動モータ４２０（図７参照）や装飾部材４８０（図１６及び図１７参照）との間の離間距離を小さくすることができる。その結果、突出動作ユニット４００の小型化を図ることができると共に、装飾部材４８０の形状を規定する際の設計の自由度を高めることができる。
【０１４４】
図１２（ｂ）に示す状態から、クランクギヤ４３３（図９（ｂ）参照）の回転により、連結ロッド４６０がロッド支持軸４１２を回転中心として図１２（ｂ）左回り（反時計回り）に回転されると、相対変位部材４５０の接続ピン４５２が、連結ロッド４６０の接続孔４６２を上端（ロッド支持軸４１２側の端部）へ向けて摺動された後に下端（ロッド支持軸４１２と反対側の端部）へ向けて摺動され、基側変位部材４４０に対して相対変位部材４５０が長手方向（第１及び第２スライド孔４４３，４４４）に沿って伸長する方向へスライド変位される（第２動作）。これにより、連結ロッド４６０が、図１２（ｃ）に示すように、第２位置Ｐ２に達すると（図１０及び図１５参照）、相対変位部材４５０の基側変位部材４４０に対するスライド位置が、基側変位部材４４０からの張り出し量が最大となる位置である張出位置に配置される。
【０１４５】
この場合、基側変位部材４４０の回転位置は、ロッド支持軸４１２から最も離間した位置である回転位置に維持できる。即ち、連結ロッド４６０のロッド支持軸４１２を回転中心とする図１２（ｂ）左回り（反時計回り）の回転は、相対変位部材４５０の接続ピン４５２を、連結ロッド４６０の接続孔４６２に沿って摺動させるところ、この摺動の方向が基側変位部材４４０に対する相対変位部材４５０のスライド変位の方向にほぼ直交する方向であるため、相対変位部材４５０を基側変位部材４４０に対してスライド変位させる方向への力成分のみを発生させ、基側支持軸４１３を回転中心として基側変位部材４４０を回転させる方向への力成分を発生させない。よって、基側支持軸４１３を回転中心とする基側変位部材４４０の回転を規制しつつ、基側変位部材４４０に対する相対変位部材４５０のスライド変位のみを発生させることができる。
【０１４６】
これにより、基側変位部材４４０からの相対変位部材４５０の張り出し量が最少に維持された状態（相対変位部材４５０が基準位置に維持された状態）で、基側変位部材４４０を退避位置から回転位置へ回転させ（第１動作）、その第１動作が完了した後に、基側変位部材４４０の回転は規制した状態（基側変位部材４４０が回転位置に維持された状態）で、相対変位部材４５０を基側変位部材４４０に対して長手方向に沿って伸長させるスライド変位（第２動作）を行うことができる。即ち、回転動作とスライド動作とを分離して、それぞれを別々の動作として２段階で行うことができるので、これら回転動作およびスライド動作が同時に行われる場合と比較して、異なる態様の動作を遊技者に明確に認識させることができ、各変位部材４４０，４５０を変位させることによる演出効果を高めることができる。
【０１４７】
以上のように構成された突出動作ユニット４００の動作について、図１３から図１５を参照して説明する。
【０１４８】
図１３から図１５は、突出動作ユニット４００の正面図である。なお、上述したように、図１３（ａ）及び図１３（ｂ）は、図９（ａ）及び図１２（ａ）に示す状態に対応し、図１４（ａ）及び図１４（ｂ）は、図９（ｂ）及び図１２（ｂ）に示す状態に対応し、図１５（ａ）及び図１５（ｂ）は、図１０及び図１２（ｃ）に示す状態に対応する。また、図１３（ｂ）、図１４（ｂ）及び図１５（ｂ）では、基側変位部材４４０及び相対変位部材４５０が取り外された状態が図示される。
【０１４９】
図１３から図１５に示すように、突出動作ユニット４００によれば、上述したように、基側変位部材４４０が、図１３（ａ）に示す退避位置と図１４（ａ）及び図１５（ａ）に示す回転位置との間で回転可能に形成されると共に、その基側変位部材４４０に配設される相対変位部材４５０が、図１３（ａ）及び図１４（ａ）に示す基準位置と図１５（ａ）に示す張出位置との間でスライド変位可能に形成され、基側変位部材４４０を退避位置および回転位置の間で回転させる第１動作と、相対変位部材４５０を基側変位部材４４０に対して基準位置および張出位置の間で変位させる第２動作と、がそれぞれ実行可能とされる。
【０１５０】
これにより、図１３（ａ）及び図１４（ａ）に示すように、退避位置にある基側変位部材４４０を第１動作により回転位置へ配置し、基準位置にある相対変位部材４５０を第２動作により張出位置へスライド変位させる（伸長させる）ことで、図１５（ａ）に示すように、かかる相対変位部材４５０を基側変位部材４４０から外方へ張り出させることができる。よって、その分、基側変位部材４４０及び相対変位部材４５０を全体として大きくできるので、かかる両変位部材４４０，４５０を遊技者に十分に視認させ、その演出効果を十分に発揮させることができる。
【０１５１】
特に、本実施形態では、図１４（ａ）に示すように、基側変位部材４４０を第１動作により回転位置へ配置することで、相対変位部材４５０の先端部分（本実施形態では、装飾部４５４の第１部分４５４ａの全体）をセンターフレーム８６の開口部を介して遊技者に視認させることができ、図１５（ａ）に示すように、相対変位部材４５０を第２動作により張出位置に配置することで、相対変位部材４５０の略全体（本実施形態では打装飾部４５４の第３部分４５４ａの全体）をセンターフレーム８６の開口部を介して遊技者に視認させることができる。
【０１５２】
即ち、退避位置に退避され、センターフレーム８６の開口部からは視認不能とされていた相対変位部材４５０を、まず、回転運動（第１動作）によりセンターフレーム８６の開口部に側方から登場させ、その相対変位部材４５０の一部のみを遊技者に視認させると共に、次いで、直線運動（第２動作）によりセンターフレーム８６の開口部の中央へ向けて張り出させて、相対変位部材４５０の略全体を遊技者に視認させるという演出を行うことができる。よって、登場時の運動形態（回転運動）とは異なる運動形態（直線運動）により相対変位部材４５０の視認面積を拡大させることができ、運動形態の変化による意外性と、直線運動により視認面積が拡大されることによるスピード感と、これらが組み合わされつつ連続して行われることによる複合動作の一体感とを遊技者に感じさせることができる。その結果、相対変位部材４５０が単に直線運動のみによりセンターフレーム８６の開口部に対して出没する形態（退避位置と張出位置とを往復する形態）では奏し得ない演出効果を得ることができる。
【０１５３】
一方、回転位置にある基側変位部材を第１動作により図１３（ａ）に示す退避位置へ配置する際には、図１４（ａ）及び図１５（ｂ）に示すように、張出位置による相対変位部材４５０を第２動作により基準位置にスライド変位させる（短縮させる）ことで、かかる相対変位部材４５０の基側変位部材４４０からの外方への張り出しを抑制できる。よって、その分、両変位部材４４０，４５０を全体として小さくできるので、退避位置において、両変位部材４４０，４５０を収容するために必要とされるスペースを抑制できる。その結果、他の部品や装置を配設するためのスペースを確保することができる。
【０１５４】
この場合、上述したように、相対変位部材４５０が基側変位部材４４０にスライド変位可能な状態で配設され、第２動作が、図１４（ａ）及び図１５（ａ）に示すように、相対変位部材４４０を基側変位部材４５０に対して基準位置および張出位置の間でスライド変位させる態様であるので、例えば、第２動作が、相対変位部材４４０を基側変位部材４５０に対して回転させる態様である場合と比較して、相対変位部材４４０を基準位置から張出位置まで変位させるのに必要なスペースを抑制することができ、その分、他の部品や装置を配設するためのスペースを確保することができる。また、第１動作による基側変位部材４５０の変位の態様（回転）に対して、第２動作による相対変位部材４５０の変位の態様（スライド変位）を、異なる態様とすることができるので、第１動作および第２動作を連続して行うことによる演出効果を高めることができる。
【０１５５】
特に、かかる第２動作は、そのスライド変位の方向が両変位部材４４０，４５０の互いの長手方向に沿った方向とされる。即ち、基側変位部材４４０に対して相対変位部材４５０が互いの長手方向を沿わせた姿勢で配設され、それら互いの長手方向に沿った方向にスライド変位されるので、両変位部材４４０，４５０を全体として効率的に伸長および短縮させることができる。よって、図１５（ａ）に示すように、基側変位部材４４０が回転位置に配置された状態では、相対変位部材４５０のスライド変位（伸長）により、全体として大きくすることで、両変位部材４４０，４５０を遊技者に十分に視認させることができ、その演出効果を十分に発揮させることができる。一方、図１３（ａ）に示すように、基側変位部材４４０が退避位置に配置された状態では、相対変位部材４５０のスライド変位（短縮）により、全体として小さくすることで、両変位部材４４０，４５０を収容するために必要とされるスペースを抑制でき、他の部品や装置を配設するためのスペースを確保することができる。
【０１５６】
また、突出動作ユニット４００によれば、上述したように、駆動モータ４２０の回転駆動力を基側変位部材４４０及び相対変位部材４５０に伝達する伝達手段が、図１３（ａ）、図１４（ｂ）及び図１５（ｂ）に示すように、複数の歯車（ピニオンギヤ４３１、中間ギヤ４３２及びクランクギヤ４３３）及び連結ロッド４６０からなり、クランクギヤ４３３と共にクランク機構を構成する連結ロッド４６０の接続孔４６２を、連結ロッド４６０の回転中心であるロッド支持軸４１１と基側変位部材４４０の回転中心である基側支持軸４１２との間となる領域内において、相対変位部材４５０の接続ピン４５２に接続するので、クランクギヤ４３３を回転させることで、基側変位部材４４０及び相対変位部材４５０による第１動作と第２動作とを、順に実行することができる。即ち、第１動作および第２動作という異なる２の動作を１の駆動モータ４２０のみにより行うことができるので、部品コストを削減して、その分、製品コストを削減することができる。
【０１５７】
この場合、伝達手段としては、連結ロッド４６０のロッド支持軸４１２側に歯車を設け、その歯車にクランクギヤ４３３の歯を歯合させて、連結ロッド４６０を回転させる構造も考えられるが、かかる構造では、クランクギヤ４３３及び連結ロッド４６０が平面内で併設され、正面視における重なり代が形成されないため、その配設に必要なスペースが嵩む。これに対し、本実施形態によれば、連結ロッド４６０のロッド溝４６３にクランクギヤ４３３のクランクピン４３３ａを挿通させるので、図１３（ａ）、図１４（ｂ）及び図１５（ｂ）に示すように、クランクギヤ４３３と連結リンク４６０とを正面視において重なり代を常に有する状態で配設でき、その重なりの分、これらクランクギヤ４３３及び連結リンク４６０の配設に必要なスペースを抑制できる。
【０１５８】
次いで、図１６及び図１７を参照して、基側変位部材４４０が回転（第１動作）される際における相対変位部材４５０と装飾部材４７０との関係について説明する。
【０１５９】
図１６は、突出動作ユニット４００の正面斜視図である。図１７（ａ）は、図１６の矢印ＸＶＩＩａ方向視における突出動作ユニット４００の側面図であり、図１７（ｂ）は、図１７（ａ）の部分ＸＶＩＩｂにおける突出動作ユニット４００の部分拡大側面図である。なお、図１６及び図１７では、突出動作ユニット４００に装飾部材４８０が取着された状態が図示される。但し、図面を簡素化して、理解を容易とするために、相対変位部材４００との関係の説明に必要な装飾部材４８０のみを図示する。
【０１６０】
図１６及び図１７に示すように、突出動作ユニット４００には、その上方（図１６上側）に装飾部材４８０が配設される（図５及び図６参照）。装飾部材４８０は、装飾用の樹脂製部材であり、光透過性の樹脂材料から形成される。そのため、装飾部材４８０を介して（透過させて）、その装飾部材４８０の背面側に位置する他の部材を遊技者に視認させることができる。
【０１６１】
本実施形態では、装飾部材４８０は、その一部が下方（図１７（ｂ）下側）へ張り出して形成されることで、図１７（ｂ）に示すように、正面視において基側変位部材４４０及び相対変位部材４５０との間に寸法Ｌの重なり代を有して形成される。これにより、基側変位部材４４０が退避位置から回転位置へ回転（第１動作）される際には（図１３及び図１４参照）、基側変位部材４４０及び相対変位部材４５０の回転軌跡を、正面視において装飾部材４８０の一部に重ならせることができる。
【０１６２】
即ち、装飾部材４８０の背面側を通過させる状態で、基側変位部材４４０及び相対変位部材４５０を変位させることができるので、装飾部材４８０及び両変位部材４４０，４５０を交差させる動作が実行できると共に、その交差の際に装飾部材４８０を透過させて両変位部材４４０，４５０を視認可能とでき、その結果、両変位部材４４０，４５０を変位させることによる演出効果を高めることができる。特に、本実施形態では、装飾部材４８０から離間される基板変位部材４４０の先端側を、装飾部材４８０に近い相対変位部材４５０の先端側よりも突出させるので、装飾部材４８０との接触をし難くでき、その結果、重なり代である寸法Ｌをより大きくすることができる。よって、交差による演出効果を高めることができる。
【０１６３】
この場合、相対変位部材４５０は、上述したように、その正面側（図１７（ｂ）右側）を形成する装飾部４５４が、基端側（基側変位部材４４０の回転中心側、図１７（ｂ）下側）から先端側（基端変位部材４４０の回転先端側、図１７（ｂ）上側）へ向かうに従ってケース体４１０に近接する方向（図１７（ｂ）左側）へ階段状に傾斜される。また、相対変位部材４５０の背面側（図１７（ｂ）左側）に配置される基側変位部材４４０の先端側を、相対変位部材４５０の先端側よりも突出させる。よって、基側変位部材４４０及び相対変位部材４５０全体において、その先端側ほどケース体４１０側（背面側、図１７（ｂ）左側）へ奥まった位置に配置される形状とすることができる。
【０１６４】
これにより、基側変位部材４４０が退避位置から回転位置へ回転（第１動作）される際には（図１３及び図１４参照）、その回転軌跡を正面視において装飾部材４８０と重ならせて、演出効果の向上を確保しつつ、基側変位部材４４０及び相対変位部材４５０と装飾部材４８０とが接触することを抑制できる。
【０１６５】
この場合、基側変位部材４４０は、その長手方向一側のみが基側支持軸４１３により軸支され、先端側が自由端となる構造であるため（図１２（ａ）及び図１２（ｂ）参照）、第１動作の最中に先端側が前後方向（ケース体４１０側へ近接離間する方向、図５紙面垂直方向）に揺れやすく、装飾部材４８０と接触するおそれが生じやすい。そのため、本実施形態における構成（先端側ほどケース体４１０側となるように傾斜する形状）が特に有効となる。
【０１６６】
一方で、相対変位部材４５０は、装飾部４５４の全体がケース体４１０側に近接されるのではなく、上述したように、先端側（基端変位部材４４０の回転先端側、図１７（ｂ）上側）よりも基端側（基側変位部材４４０の回転中心側、図１７（ｂ）下側）ほど正面（前方）側（図１７（ｂ）右側）に位置する形状とされる。即ち、装飾部４５４は、先端側から基端側へ向かうに従ってケース体４１０から離間する方向（図１７（ｂ）右側）へ階段状に上昇傾斜される。
【０１６７】
これにより、相対変位部材４５０が基準位置から張出位置へスライド変位（第２動作）される際には（図１４及び図１５参照）、相対変位部材４４０をより正面（前方）側（即ち、遊技者に近い側）に配置して、迫力を高めることができる。特に、本実施形態では、正面（前方）側に配置される部分（第１部分４５４ａよりも第２部分４５４ｂ、第２部分４５４ｂよりも第３部分４５４ｃ）ほど外形が大きくされるので、その迫力を高める効果をより発揮させることができる。
【０１６８】
次いで、図１８から図３０を参照して、複合動作ユニット５００について説明する。図１８及び図１９は、複合動作ユニット５００の正面斜視図である。なお、図１８では、従動部材５６０が退避位置（図５参照）に配置された状態が、図１９では、従動部材５６０が張出位置（図５参照）に配置された状態が、それぞれ図示される。
【０１６９】
ここで、複合動作ユニット５００は、開口３０１の上方において回転動作ユニット６００を挟んで左右に一対が配設されるところ（図５及び図６参照）、これら一対の複合動作ユニット５００は左右対称に形成され、その構造は実質的に同一であるので、一方（正面視右側に配設されるもの）についてのみ説明し、他方（正面視左側に配設されるもの）についての説明は省略する。
【０１７０】
図１８及び図１９に示すように、複合動作ユニット５００は、駆動モータ５３０の駆動力により被駆動部材５５０を変位させると共に、その被駆動部材５５０の変位に伴って従動部材５６０を従動させることで、従動部材５６０を図１８に示す退避位置と図１９に示す張出位置との間で変位させる。この場合、従動部材５６０は、後述するように、回転およびスライド変位により被駆動部材５５０に対する相対位置を変化させつつ、被駆動部材５５０に従動される（図２７から図２９参照）。
【０１７１】
これにより、被駆動部材５５０が所定位置（軸部５５３，５５４）を回転中心として一定の軌道を一定の速度で回転される場合であっても、この被駆動部材５５０とは異なる軌道で、従動部材５６０を変位させることができ、その従動部材５６０の変位の態様に変化を与えることができる。即ち、複合動作ユニット５００によれば、駆動モータ５３０の出力を一定に維持しつつ、従動部材５６０の変位の態様に変化を付与可能とされる。かかる複合動作ユニット５００の詳細構成について、以下に説明する。
【０１７２】
図２０及び図２１は、複合動作ユニット５００の分解正面斜視図である。また、図２２（ａ）は、被駆動部材５５０及び従動部材５６０の正面図であり、図２２（ｂ）は、図２２（ａ）の矢印ＸＸＩＩｂ方向視における被駆動部材５５０及び従動部材５６０の側面図である。
【０１７３】
なお、図２０は、図１８に図示される複合動作ユニット５００を、図２１は、図１９に図示される複合動作ユニット５００を、それぞれ分解した状態に対応する。また、図２２（ａ）及び図２２（ｂ）は、図１８及び図２０に図示された状態における被駆動部材５５０及び従動部材５６０に対応する。
【０１７４】
図２０から図２２に示すように、複合動作ユニット５００は、その骨格をなす表ケース体５１０及び背面ケース体５２０と、背面ケース体５２０の背面側に配設される駆動モータ５３０と、その駆動モータ５３０の駆動軸５３１に取着されるクランク部材５４０と、そのクランク部材５４０を介して駆動モータ５３０の駆動力が伝達されて駆動される被駆動部材５５０と、その被駆動部材５５０に相対変位可能に接続される従動部材５６０と、を主に備えて構成される。
【０１７５】
正面ケース体５１０及び背面ケース体５２０は、樹脂材料から平板状に形成され、所定間隔を隔てた状態で対向配置されると共に、ねじ（図示せず）によって互いが締結固定されることで、その対向面間に内部空間が形成される収容部材として構成される。これら正面ケース体５１０及び背面ケース体５２０の内部空間（対向面間）には、被駆動部材５５０（介設板部５５２）及び従動部材５６０（介設板部５６１）とクランク部材５４０とがそれぞれ変位可能な状態で収容される。
【０１７６】
正面ケース体５１０は、軸支孔５１１と、挿通孔５１２と、第１案内溝５１３とを備える。軸支孔５１１は、被駆動部材５４０の軸部５５３を回転可能に軸支するための正面視円形の孔である。挿通孔５１２は、クランク部材５４０のクランクピン５４１が挿通される開口であり、クランクピン５４１の往復移動を許容可能な大きさに形成される。この挿通孔５１２を介して、クランクピン５４１を被駆動部材５６０（駆動軸５６１ａ）に接続できる。
【０１７７】
第１案内溝５１３は、従動部材５６０の介設板部５６１における第１ピン５６１ａが挿通される開口であり、円環形状の一部を取り出した形状（即ち、円弧状に湾曲する溝状、図２７（ａ）から図２９（ａ）参照）に形成される。第１案内溝５１３の溝幅は、第１ピン５６１ａの直径と同等または若干大きな寸法に設定され、後述するように、かかる第１案内溝５１３の延設方向に沿って第１ピン５６１ａを摺動させる（案内する）ことで、介設板部５６１（従動部材５６０）の姿勢（特に、被駆動部材５５０に対する相対回転位置）を規定できる（図２７（ａ）から図２９（ａ）参照）。
【０１７８】
背面ケース体５２０は、軸支孔５２１と、挿通孔５２２と、第２案内溝５２３と、を備える。軸支孔５２１は、被駆動部材５４０の軸部５５４を回転可能に軸支するための正面視円形の孔であり、上述した正面ケース体５１０の軸支孔５１１と同心に配設される。即ち、正面ケース体５１０及び背面ケース体５２０は、それらの軸支孔５１１，５２１が被駆動部材５５０の軸部５５３，５５４をそれぞれ軸支することで、その被駆動部材５５０を回転可能に軸支できる。挿通孔５２２は、駆動モータ５３０の駆動軸５３１が挿通される開口であり、この挿通孔５２２を介して、駆動モータ５３０の駆動軸５３１をクランク部材５４０に接続できる。
【０１７９】
第２案内溝５１３は、従動部材５６０の介設板部５６１における接続軸５６１ｂが挿通される開口であり、円環形状の一部を取り出した形状（即ち、円弧状に湾曲する溝状、図２７（ｂ）から図２９（ｂ）参照）に形成される。第２案内溝５２３の溝幅は、接続軸５６１ｂの直径と同等または若干大きな寸法に設定され、後述するように、かかる第２案内溝５２３の延設方向に沿って接続軸５６１ｂを摺動させる（案内する）ことで、介設板部５６１（従動部材５６０）の姿勢（特に、被駆動部材５５０に対する相対スライド位置）を規定できる（図２７（ｂ）から図２９（ｂ）参照）。
【０１８０】
駆動モータ５３０の駆動軸５３１には、上述したように、クランク部材５４０が取着され、そのクランク部材５４０には、駆動モータ５３０により回転駆動される際の回転軸（駆動軸５３１）から偏心した位置にクランクピン５４１が配設される。クランクピン５４１は、被駆動部材５５０の駆動溝５５１ａに挿通される。よって、駆動モータ５３０の回転駆動力によりクランク部材５４０を回転させることで、そのクランク部材５４０のクランクピン５４１を被駆動部材５５０の駆動溝５５１ａに沿って摺動させ、被駆動部材５５０を回転させることができる（図３０から図３２参照）。
【０１８１】
被駆動部材５５０は、上述したように、駆動モータ５３０の回転駆動力により回転されると共に、その回転に伴って従動部材５６０を変位させるための部材であり、その軸部５５３，５５４を軸支孔５１１，５２１に軸支させることで、正面ケース体５１０及び背面ケース体５２０に回転可能に保持される。ここで、被駆動部材５５０の詳細構成について、図２３及び図２４を参照して説明する。
【０１８２】
図２３（ａ）は、被駆動部材５５０の正面図であり、図２３（ｂ）は、被駆動部材５５０の背面部である。図２４は、図２３（ａ）の矢印ＸＸＩＶ方向視における被駆動部材５５０の側面図である。
【０１８３】
図２３及び図２４に示すように、被駆動部材５５０は、長尺板状の正面板部５５１と、その正面板部５５１に対して正面視略直角に交差される長尺板状の介設板部５５２と、それら正面板部５５１及び介設板部５５２を接続する円柱状の軸部５５３と、その軸部５５３と同心となる位置において介設板部５５２の背面から突設される円柱状の軸部５５４とを主に備えて構成される。
【０１８４】
正面板部５５１は、正面ケース体５１０の正面に配設される部材であり（図２０及び図２１参照）、その一端側（軸部５５３が接続される側と反対側）に正面視長円状の駆動溝５５１ａが穿設される。駆動溝５５１ａは、クランク部材５４０のクランクピン５４１（図２０及び図２１参照）が挿通される開口であり、正面板部５５１の長手方向に沿って延設される。駆動溝５５１ａの溝幅は、クランクピン５４１の直径と同等または若干大きな寸法に設定される。よって、駆動モータ５３０の回転駆動力によりクランク部材５４０を回転させることで、そのクランクピン５４１を駆動溝５５１ａに沿って摺動させることができ、これにより、軸部５５３，５５４を回転中心として被駆動部材５５０を回転させることができる（図３０から図３２参照）。
【０１８５】
介設板部５５２は、正面ケース体５１０及び背面ケース体５２０の内部空間（対向面間）に配設される部材であり（図２０及び図２１参照）、その一端側（正面胃体部５５１が接続される側と反対側）に正面視長円状の接続溝５５２ａが穿設される。接続溝５５２ａは、従動部材５６０の接続軸５６１ｂ（図２０及び図２１参照）が挿通される開口であり、介設板部５５２の長手方向に沿って延設される。接続溝５５２ａの溝幅は、接続軸５６１ｂの直径と同等または若干大きな寸法に設定される。よって、接続溝５５２ａは、接続軸５６１ｂを回転可能かつスライド変位可能に保持できる。即ち、被駆動部材５５０には、従動部材５６０が、回転可能かつスライド変位可能な状態で接続される（図２７から図２９参照）。
【０１８６】
ここで、接続溝５５２ａは、被駆動部材５５０が軸部５５３，５５４を回転中心として回転される際に、背面ケース体５２０の第２案内溝５２３と正面視において重なる領域を有し、かつ、その領域内に接続軸５６１ｂが配置可能となるように構成される（図２７（ａ）から図２７（ｃ）参照）。これにより、後述するように、被駆動部材５５０に対する従動部材５６０のスライド変位を、第２案内溝５２３の形状（輪郭）に基づいて規定できる。
【０１８７】
被駆動部材５５０は、介設板部５５２と軸部５５３，５５４とが樹脂材料から一体に形成される一方、これら各部５５２〜５５４とは別部材として正面板部５５１が樹脂材料から形成され、正面板部５５１の基端側（駆動溝５５１ａが穿設される側と反対側）の背面に軸部５５３の軸方向端面（介設板部５５２と反対側の端面）を当接させて、両者をねじにより締結固定することで組み立てられる。
【０１８８】
この場合、軸部５５３の軸方向端面からは４本のピン５５３ａが突設される一方、それら４本のピン５５３ａをそれぞれ受け入れるための孔５５１ｂが正面板部５５１の基端側の４箇所に穿設されており、各ピン５５３ａが各孔５５１ｂに受け入れられた状態で組み立てられる。これにより、ねじの本数を抑制して、部品コストを削減しつつ、平板部５５１と介設板部５５２とを確実に相対回転不能とできる。
【０１８９】
図２０から図２３に戻って説明する。被駆動部材５５０における介設板部５５２の接続溝５５２ａには、上述したように、従動部材５６０における介設板部５６１の接続軸５６１ｂが挿通され、これにより、駆動部材５５０に対して従動部材５６０が相対変位（回転およびスライド変位）可能に接続される。従動部材５６０は、上述したように、駆動部材５５０の変位に伴って従動される部材であり、介設板部５６１の接続軸５６１ｂを、被駆動部材５５０における介設板部５５２の接続溝５５２ａに加え、背面ケース体５２０の第２案内溝５２３に挿通させることで、正面ケース体５１０及び背面ケース体５２０に回転可能かつスライド変位可能な状態で保持される。ここで、従動部材５６０の詳細構成について、図２５及び図２６を参照して説明する。
【０１９０】
図２５（ａ）は、従動部材５６０の正面図であり、図２５（ｂ）は、従動部材５６０の背面部である。図２６は、図２５（ａ）の矢印ＸＸＶＩ方向視における従動部材５６０の側面図である。
【０１９１】
図２５及び図２６に示すように、従動部材５６０は、板状の介設板部５６１と、装飾用の形状が正面に形成される一対の長尺状の部分を有する装飾部５６２と、その装飾部５６２の側方に連設されると共に介設板部５６１の背面側に接続される背面板部５６３とを主に備えて構成される。
【０１９２】
介設板部５６１は、正面ケース体５１０及び背面ケース体５２０の内部空間（対向面間）に配設される部材であり（図２０及び図２１参照）、その正面には、正面ケース体５１０の第１案内溝５１３（図２０及び図２１参照）に挿通される第１ピン５６１ａが突設されると共に、背面には、第１ピン５６１ａに対して偏心する位置に接続軸５６１ｂが突設される。接続軸５６１ｂは、上述したように、被駆動部材５５０（介設板部５５２）の接続溝５５２ａと背面ケース体５２０の第２案内溝５２３とにそれぞれ挿通される（図２０及び図２１参照）。
【０１９３】
よって、被駆動部材５５０が軸部５５３，５５５４を回転中心として回転されると、第１ピン５６１ａが第１案内溝５１３に沿って摺動（案内）されることで、介設板部５６１（即ち、従動部材５６０）がその接続軸５６１ｂを回転中心として被駆動部材５５０及び背面ケース体５２０に対して相対回転されると共に（図２７（ａ）から図２９（ａ）参照）、接続軸５６１ｂが第２案内溝５２３に沿って摺動（案内）されることで、介設板部５６１（即ち、従動部材５６０）が被駆動部材５５０の接続溝５５２ａに沿う方向をスライド方向として被駆動部材５５０に対して相対的にスライド変位される（図２７（ｂ）から図２９（ｂ）参照）。
【０１９４】
ここで、従動部材５６０の接続軸５６１ｂは、被駆動部材５５０（介設板部５５２）の接続溝５５２ａのみに挿通させ、介設板部５６１に別途設けたピンを、背面ケース体５２０の第２案内溝５２３に挿通することによっても、上述した場合と同様の作用を得ることはできる。
【０１９５】
これに対し、本実施形態では、背面ケース体５２０の第２案内溝５２３と、被駆動部材５５０（介設板部５５２）の接続溝５５２ａとの両者に、従動部材５６０の接続軸５６１ｂをそれぞれ挿通させ、かかる接続軸５６１ｂに、第２案内溝５２３に案内されることで従動部材５６０の背面ケース体５２０に対する変位を規定する（即ち、従動部材５６０を被駆動部材５５０に対してスライド変位させる）役割と、接続溝５６１ｂに挿通されることで従動部材５６０を被駆動部材５５０に相対変位（回転かつスライド変位）可能に接続する役割との両者を兼用させる。これにより、部品点数を削減して、製品コストの削減を図ることができると共に、構造を簡素化して、可動部材としての信頼性と耐久性の向上を図ることができる。
【０１９６】
背面板部５６３は、背面ケース体５２０の背面に配設される正面視円形の部材であり（図２０及び図２１参照）、その正面（図２５（ａ）紙面手前側面）には当接部５６３ａが突設される。当接部５６３ａは、背面ケース体５２０の背面に当接される部位であり、接続軸５６１ｂに同心の正面視円環状に形成される。即ち、背面ケース体５２０の背面には、背面板部５６３のうちのその周縁部分（当接部５６２ａの突設先端面）のみが当接される。
【０１９７】
このように、背面板部５６３に接続軸５６１ｂに同心の当接部５６３を設けることで、接続軸５６１ｂが第２案内溝５２３に沿って摺動（案内）される際に、第１ピン５６１ａ及び第１案内溝５２３による回転作用によって、従動部材５６０が接続軸５６１ｂを回転中心として背面ケース体５２０に対して相対回転される場合であっても（図２７から図２９参照）、背面ケース体５２０の背面に対する当接状態を一定として、支持反力が変化することを抑制できる。その結果、従動部材５６０を安定した状態で変位させることができる。
【０１９８】
従動部材５６０は、装飾部５６２と背面板部５６３とが樹脂材料から一体に形成される一方、これら各部５６２，５６３とは別部材として介設板部５６１が樹脂材料から形成され、背面板部５６３の正面に介設板部５６１の接続軸５６１ｂの軸方向端面を当接させて、両者をねじにより締結固定することで組み立てられる。なお、接続軸５６１ｂの軸方向端面から突設される複数のピン５６１ｃを、背面板部５６３の複数の孔５６３ｂにそれぞれ受け入れることで、両者を相対回転不能に連結する構造は、上述した被駆動部材５５０の場合と同様であるので、その説明は省略する。
【０１９９】
図２０から図２２に戻って説明する。複合動作ユニット５００の組み立ては、次のように行うことができる。まず、正面ケース体５１０の軸支孔５１１に被駆動部材５５０の軸部５５３を挿通させ、被駆動部材５５０の介設板部５６１及び正面板部５５１どうしを締結固定する。これにより、正面ケース体５１０に被駆動部材５５０を回転可能な状態で組み付けることができる。この組み付けに際しては、被駆動部材５５０（介設板部５５２）の接続溝５５２に、従動部材５６０における介設板部５６１の接続軸５６１ｂを事前に挿通させておく。
【０２００】
次いで、背面ケース体５２０の挿通孔５２２を介して、駆動モータ５３０の駆動軸５３１にクランク部材５４０を装着すると共に、そのクランクピン５４１を正面ケース体５１０の挿通孔５１２を介して被駆動部材５５０（正面板部５５１）の駆動溝５５１ａに挿通させる。併せて、背面ケース体５２０の第２案内溝５２３に従動部材５６０（介設板部５６１）の接続軸５６１ｂを挿通させ、従動部材５６０の介設板部５６１及び背面板部５６３どうしを締結固定する。これにより、従動部材５６０を、背面ケース体５２０に回転可能な状態で組み付けることができると共に、被駆動部材５５０に回転可能かつスライド変位可能な状態で接続でき、また、クランク部材５４０を介して駆動モータ５３０の回転駆動力を被駆動部材５５０へ伝達可能な状態を形成できる。
【０２０１】
その後、正面ケース体５１０及び背面ケース体５２０どうしをねじ（図示せず）により締結固定する。これにより、駆動モータ５３０の回転駆動力により被駆動部材５５０を変位させ、その被駆動部材５５０の変位に伴って従動部材５６０を変位（従動）させることが可能な状態で、複合動作ユニット５００を１の装置としてユニット化できる。このように、複合動作ユニット５００によれば、正面ケース体５１０及び背面ケース体５２０に対し各構成要素を順に組み付けることで、組み立て可能であるので、その組立コストを削減できるだけでなく、ユニット化できることで、ユニット収納部材３００（遊技機本体、図５及び図６参照）への組み付けを容易として、パチンコ機１０の製造コストの削減を図ることができる。
【０２０２】
次いで、図２７から図３２を参照して、複合動作ユニット５００の動作について説明する。図２７（ａ）、図２８（ａ）及び図２９（ａ）は、第１案内溝５１３との関係を示す被駆動部材５５０及び従動部材５６０の正面模式図であり、図２７（ｂ）、図２８（ｂ）及び図２９（ｂ）は、第２案内溝５２３との関係を示す被駆動部材５５０及び従動部材５６０の正面模式図である。
【０２０３】
同様に、図３０（ａ）、図３１（ａ）及び図３２（ａ）は、第１案内溝５１３との関係を示す被駆動部材５５０及び従動部材５６０の正面模式図であり、図３０（ｂ）、図３０（ｂ）及び図３０（ｂ）は、第２案内溝５２３との関係を示す被駆動部材５５０及び従動部材５６０の正面模式図である。
【０２０４】
なお、図２７及び図３０は、従動部材５６０が退避位置に配置された状態（図１８及び図２０に示す状態）に対応し、図２９及び図３２は、従動部材５６０が張出位置に配置された状態（図１９及び図２０に示す状態）に対応する。また、図２８及び図３１に示す状態は、従動部材５６０が退避位置および張出位置の間に配置された状態に対応する。
【０２０５】
図２７及び図３０に示すように、従動部材５６０が退避位置に配置された状態では、クランク部材５４０のクランクピン５４１が駆動モータ５３０の駆動軸５３１に対して正面視右側（図３０（ａ）右側）に位置し、これにより、被駆動部材５５０は、正面板部５５１の先端側（駆動溝５５１ａの形成部分）を正面視右側（図３０（ｂ）右側）に傾倒させると共に、介設板部５５２の先端側（接続溝５５２ａの形成部分）を上方（図３０（ｂ）上側）に持ち上げた姿勢とされる。即ち、被駆動部材５５０が、軸部５５３，５５４（図２０及び図２１参照）を回転中心とする正面視時計回り（右回り）方向への回転終端となる回転位置に配置される。
【０２０６】
一方、従動部材５６０は、上述したように、被駆動部材５５０が介設板部５５２の先端側を上方へ持ち上げた姿勢とされることで、接続軸５６１ｂが第２案内溝５２３の上端側（図２７（ｂ）上側）へ押し上げられた姿勢とされる。即ち、従動部材５６０が、上下方向（図３０（ｂ）上下方向）において最も上方となる位置に配置されると共に、左右方向（図３０（ｂ）左右方向）において最も左方となる位置に配置される。また、従動部材５６０は、介設板部５６１の第１ピン５６１ａが第１案内溝５１３の上端側（図２７（ａ）左上側）に位置することで、介設板部５６１の先端側（第１ピン５６１ａの配設部分）を正面視左方（図２７（ａ）左側）へ向けた水平姿勢とされる。即ち、従動部材５６０が、接続軸５６１ｂを回転中心とする正面視反時計回り（左回り）方向への回転終端となる回転位置に配置される。
【０２０７】
図２７及び図３０に示す従動部材５６０が退避位置に配置された状態から、駆動モータ５３０の回転駆動力により、クランク部材５４０が駆動軸５３１を回転中として正面視反時計回り（左回り）に回転されると、クランク部材５４０のクランクピン５４１が被駆動部材５５０の正面板部５５１における駆動溝５５１ａに沿って摺動されることで、被駆動部材５５０が軸部５５３，５５４（図２０及び図２１参照）を回転中心として正面視反時計回り（左回り）方向へ回転され、図２８及び図３１に示すように、従動部材５６０が退避位置と張出位置との略中間となる位置に配置される。
【０２０８】
図２８及び図３１に示すように、従動部材５６０が退避位置と張出位置との略中間となる位置に配置されると、被駆動部材５５０は、正面板部５５１を略直立させると共に、介設板部５５２を略水平とする姿勢とされる。即ち、被駆動部材５５０が、軸部５５３，５５４（図２０及び図２１参照）を回転中心とする回転可能範囲における略中間となる回転位置に配置される。
【０２０９】
一方、従動部材５６０は、被駆動部材５５０が介設板部５５２を略水平とする姿勢とされることで、その介設板部５５２の接続溝５５２ａによって押し下げられた接続軸５６１ｂが、第２案内溝５２３の中間位置に配置された姿勢とされる。即ち、従動部材５６０が、上下方向（図３１（ｂ）上下方向）の変位可能範における略中間となる位置に配置されると共に、左右方向（図３０（ｂ）左右方向）において最も右方となる位置に配置される。また、従動部材５６０は、介設板部５６１の第１ピン５６１ａが第１案内溝５１３の略中間となる位置に配置されることで、介設板部５６１の先端側（第１ピン５６１ａの配設部分）を正面視左上方（図２８（ａ）左上側）へ向けた傾斜姿勢とされる。即ち、従動部材５６０が、接続軸５６１ｂを回転中心とする回転可能範囲における略中間となる回転位置に配置される。
【０２１０】
図２８及び図３１に示す状態から、駆動モータ５３０の回転駆動力により、クランク部材５４０が駆動軸５３１を回転中として正面視反時計回り（左回り）に更に回転されると、クランク部材５４０のクランクピン５４１が被駆動部材５５０の正面板部５５１における駆動溝５５１ａに沿って摺動されることで、被駆動部材５５０が軸部５５３，５５４（図２０及び図２１参照）を回転中心として正面視反時計回り（左回り）方向へ回転され、図２９及び図３２に示すように、従動部材５６０が張出位置に配置される。
【０２１１】
図２９及び図３２に示すように、従動部材５６０が張出位置に配置された状態では、クランク部材５４０のクランクピン５４１が駆動モータ５３０の駆動軸５３１に対して正面視左側（図３２（ａ）左側）に位置し、これにより、被駆動部材５５０は、正面板部５５１の先端側（駆動溝５５１ａの形成部分）を正面視左側（図３２（ｂ）左側）に傾倒させると共に、介設板部５５２の先端側（接続溝５５２ａの形成部分）を下方（図３２（ｂ）下側）に落とし込んだ姿勢とされる。即ち、被駆動部材５５０が、軸部５５３，５５４（図２０及び図２１参照）を回転中心とする正面視反時計回り（左回り）方向への回転終端となる回転位置に配置される。
【０２１２】
一方、従動部材５６０は、上述したように、被駆動部材５５０が介設板部５５２の先端側を下方へ落とし込んだ姿勢とされることで、接続軸５６１ｂが第２案内溝５２３の下端側（図２９（ｂ）下側）へ押し下げられた姿勢とされる。即ち、従動部材５６０が、上下方向（図３２（ｂ）上下方向）において最も下方となる位置に配置されると共に、左右方向（図３２（ｂ）左右方向）において最も左方となる位置に配置される。また、従動部材５６０は、介設板部５６１の第１ピン５６１ａが第１案内溝５１３の下端側（図２９（ａ）右下側）に位置することで、介設板部５６１の先端側（第１ピン５６１ａの配設部分）を正面視上方（図２９（ａ）上側）へ向けた直立姿勢とされる。即ち、従動部材５６０が、接続軸５６１ｂを回転中心とする正面視時計回り（右回り）方向への回転終端となる回転位置に配置される。
【０２１３】
以上のように、複合動作ユニット５００によれば、駆動モータ５３０の回転駆動力によって被駆動部材５５０を変位（回転）させると、その被駆動部材５５０の変位に伴って、従動部材５６０を、被駆動部材５５０に対して相対変位をさせつつ、従動させることができる。即ち、被駆動部材５５０の変位の態様が、軸部５３３，５５４を回転中心とする回転であり、一定の軌道で変位される場合であっても、その被駆動部材５５０とは異なる軌道（変位の態様）で従動部材５６０を変位させることができる。また、かかる変位の態様の変化は、被駆動部材５５０に対して従動部材５６０が相対変位することで形成されるので、被駆動部材５５０を一定の速度で変位（回転）させたとしても、その被駆動部材５５０とは異なる軌道（変位の態様）で従動部材５６０を変位させることができる。その結果、駆動モータ５３０の出力を一定としつつ、従動部材５６０の変位の態様に変化を付与できる。
【０２１４】
この場合、本実施形態では、被駆動部材５５０に対して従動部材５６０を相対変位させる手段（変位規定手段）が、正面ケース体５１０及び背面ケース体５２０の第１案内溝５１３及び第２案内溝５２３と従動部材５６０の第１ピン５６１ａ及び接続軸５６１ｂとにより形成される。即ち、各案内溝５１３，５２３に沿って第１ピン５６１ａ及び接続軸５６１ｂが案内されることで、各ケース体５１０，５２０に対する従動部材５６０の変位を規定できる。これにより、各案内溝５１３，５２３の輪郭（形状）に応じて、被駆動部材５５０に対する従動部材５６０の相対変位を形成できる。その結果、変位規定手段が案内溝とそれに案内される軸状体という機械的要素により形成でき、その構造が簡素化されるので、製品コストの削減を図ることができる。また、簡素な機械的要素を採用できることから、可動部分としての信頼性および耐久性の向上を図ることができる。
【０２１５】
また、第１案内溝５１３及び第２案内溝５２３の輪郭（形状）を設定することで、被駆動部材５５０に対する従動部材５６０の相対変位の態様を任意に設定できるので、従動部材５６０の変位の態様を設定する際の設計の自由度を高めることができる。その結果、従動部材５６０に付与可能な変位の態様のバリエーションを確保しやすくできる。
【０２１６】
特に、本実施形態では、従動部材５６０が被駆動部材５５０に回転可能かつスライド変位可能に接続されるところ、第１案内溝５１３及び第１ピン５６１ａにより構成され主に回転を規定する第１の案内構造と、第２案内溝５２３及び接続軸５６１ｂにより構成され主にスライド変位を規定する第２の案内構造とを設ける。これにより、変位の態様に付与できる変化のバリエーションを増やすことができるだけでなく、被駆動部材５５０に対する従動部材５６０の変位が複数種類（回転およびスライド変位）となる場合でも、これら各変位を第１及び第２の案内構造によってそれぞれ適切に案内することができる。その結果、従動部材５６０の変位を安定化させることができ、可動部材としての信頼性の向上を図ることができる。
【０２１７】
ここで、上述した第１の案内構造は、例えば、第１案内溝５１３を介設板部５６１又は背面板部５６３に、第１ピン５６１ａを正面ケース体５１０又は背面ケース体５２０に、それぞれ形成する構成でも成立する。これに対し、本実施形態では、第１案内溝５１３を正面ケース体５１０に、第１ピン５６１ａを介設板部５６１に、それぞれ形成する。これにより、第１案内溝５１３を形成するためのスペースを確保しやすくできる。
【０２１８】
即ち、正面ケース体５１０及び背面ケース体５２０は、被駆動部材５５０及び従動部材５６０の変位スペースを確保しつつこれら両部材５５０，５６０を保持する必要があるため、比較的大きな外形に形成せざるを得ず、その板面にデッドスペースが形成される傾向がある。よって、第１案内溝部５１３の形成対象を正面ケース体５１０とすることで、デッドスペースを有効に利用して、第１案内溝５１３を形成するためのスペースを十分に確保できる。その結果、第１案内溝５１３の輪郭（形状）や延設長さの自由度を増加させること可能となり、その分、変位の態様に付与できる変化のバリエーションを増やすことができる。なお、第２の案内構造についても第１の案内構造の場合と同様であるので、その説明は省略する。
【０２１９】
また、第１の案内構造および第２の案内構造は、第１案内溝５１３及び第２案内溝５２３の両者を背面ケース体５２０に形成する構成でも成立する。これに対し、本実施形態では、第１案内溝５１３を正面ケース体５１０に、第２案内溝５２３を背面ケース体５２０に、それぞれ形成するので、これら第１案内溝５１３及び第２案内溝５２３を互いに相手の形成位置を考慮することなく形成することができる。
【０２２０】
即ち、第１案内溝５１３及び第２案内溝５２３の両者を背面ケース体５２０に形成する場合には、これら第１案内溝５１３及び第２案内溝５２３が交差しないように形成する必要があり、その輪郭（形状）や延設長さの設計の自由度が制限される。これに対し、本実施形態によれば、第１案内溝５１３及び第２案内溝５２３の両者において、その輪郭（形状）や延設長さを相手との位置関係を考慮することなく任意に設定できるので、その設計の自由度を増加させ、その分、変位の態様に付与できる変化のバリエーションを増やすことができる。
【０２２１】
次いで、図３３から図３９を参照して、回転動作ユニット６００について説明する。図３３は、回転動作ユニット６００の正面斜視図である。
【０２２２】
図３３に示すように、回転動作ユニット６００は、球体液晶装置６７０に対し、その周囲を取り囲むように正面視円環状の第１回転体６５０が配置されると共に、その第１回転体６５０の背面側に正面視円環状の第２回転体６６０が同心に配置され、本実施形態では、これら第１回転体６５０及び第２回転体６６０が異なる回転速度で且つ互いに逆方向へ回転される。
【０２２３】
ここで、複数の回転体を互いに離れた位置に配置される従来品では、それら複数の回転体の回転を関連づけて遊技者に認識させることが困難であった。即ち、従来品は、各回転体が他の回転体と関わり合わずに、それぞれが独立して回転される形態であり、そのため、複数の回転体を回転させることによる演出の効果を十分に発揮させることができなかった。
【０２２４】
これに対し、本実施形態における回転動作ユニット６００によれば、球体液晶装置６７０を中心として、第１回転体６５０と第２回転体６６０とが同心に配置され、これら二つの回転体が異なる回転態様（回転速度および回転方向を互いに異ならせる態様）で回転されるので、これらの回転を関連づけて遊技者に認識させやすくでき、複数の回転体を回転させることによる演出の効果を発揮することができる。かかる回転動作ユニット６００の詳細構成について、以下に説明する。
【０２２５】
図３４は、回転動作ユニット６００の分解正面斜視図であり、図３５は、回転動作ユニット６００の分解背面斜視図である。また、図３６は、回転動作ユニット６００の縦断面図である。なお、図３５及び図３６では、球体液晶装置６７０の図示が省略される。また、図３６に示す断面は、第１回転体６５０及び第２回転体６６０の回転中心を含む平面により切断された回転動作ユニット６００の断面に対応する。
【０２２６】
図３４から図３６に示すように、回転動作ユニット６００は、その骨格をなす表ケース体６１０及び背面ケース体６２０と、背面ケース体６２０の背面側に配設される駆動モータ６３０と、その駆動モータ６３０の回転駆動力を伝達する伝達手段としての複数の歯車（第１〜第５収納ギヤ６４１〜６４５及び正面ギヤ６４６）と、それら複数の歯車を介して駆動モータ６３０の回転駆動力が伝達されて回転される第１回転体６５０及び第２回転体６６０と、それら第１回転体６５０及び第２回転体６６０の内周側に配設される球体液晶装置６７０と、正面ケース体６１０の正面に配設される発光装置６８０と、を主に備えて構成される。
【０２２７】
正面ケース体６１０及び背面ケース体６２０は、樹脂材料から平板状に形成され、所定間隔を隔てた状態で対向配置されると共に、ねじ（図示せず）によって互いが締結固定されることで、その対向面間に内部空間が形成される収容部材として構成される。これら正面ケース体６１０及び背面ケース体６２０の内部空間（対向面間）には、第１〜第５収納ギヤ６４１〜６４５と、第１回転体６５０の収納フランジ部６５３とがそれぞれ収納される。
【０２２８】
正面ケース体６１０及び背面ケース体６２０には、正面視円形の開口６１１，６２１がそれぞれ開口形成され、これら開口６１１，６２１は、組立状態において同心に配設される。正面ケース体６１０の正面側には、開口６１１，６２１と同心となる位置に、筒状の筒状部６１２が正面（前方）へ向けて突設される。正面ケース体６１０は、開口６１１及び筒状部６１２の内径寸法が同一の寸法に設定され、それら開口６１１及び筒状部６１２の内周側には、第１回転体６１０の本体部６５１が回転可能に支持される。また、筒状部６１２の外周側には、第２回転体６２０が回転可能に支持される。
【０２２９】
このように、正面ケース体６１０の筒状部６１１の内周面および外周面により、第１回転体６５０（本体部６５１）及び第２回転体６６０を回転可能に支持することで、これら第１回転体６５０及び第２回転体６６０の配設位置を、それぞれ正面ケース体６１０を基準として規定できる。よって、後述するように、第１回転体６５０（収納フランジ部６５３）及び第２回転体６６０のそれぞれの外周面に刻設された歯車（第１及び第２外周ギヤ６５３ａ，６６１ａ）と、正面ケース体６１０に配設される第２収容ギヤ６４２及び正面ギヤ６４６との間の位置関係を、正面ケース体６１０を基準として規定できる。その結果、両回転体６５０，６６０の両外周ギヤ６５３ａ，６６１ａと第２収容ギヤ６４２及び正面ギヤ６４６との歯合状態を安定化させることができるので、歯車の偏摩耗を抑制できると共に駆動抵抗の抑制を図ることができる。
【０２３０】
駆動モータ６３０は、その駆動軸にピニオンギヤ６３１が取着され、背面ケース体６２０の背面に装着されることで、ピニオンギヤ６３１を、伝達手段を構成する複数の歯車のうちの第１収納ギヤ６４１に歯合させる。よって、駆動モータ４２０の回転駆動力を、ピニオンギヤ４３１を介して、伝達手段（複数の歯車）へ伝達することができ、その結果、後述するように、第１回転体６５０及び第２回転体６６０をそれぞれ回転させることができる。
【０２３１】
第１〜第５収納ギヤ６４１〜６４５及び正面ギヤ６４６は、上述したように、駆動モータ６３０の回転駆動力を第１回転体６５０及び第２回転体６６０へ伝達するための歯車群であり、歯が回転軸と平行に外周面に刻設される平歯車としてそれぞれ形成される。第１〜第５収納ギヤ６４１〜６４５は、正面ケース体６１０の背面側に回転可能に軸支され、直列に連結（歯合）し合うことで、第１収納ギヤ６４１を先頭とし第５収納ギヤ６４５を後尾とする１のギヤトレーン（歯車列）を形成する。
【０２３２】
正面ギヤ６４６は、第５収納ギヤ６４５に同期回転可能な状態で、正面ケース体６１０の正面側に回転可能に軸支される。即ち、正面ギヤ６４６及び第５収納ギヤ６４５は、正面ケース体６１０を貫通して配設される回転軸の一端および他端にそれぞれ固着され、これら両ギヤ６４５，６４６と回転軸とが一体となって回転される。
【０２３３】
このように構成される歯車群によれば、駆動モータ６３０が回転駆動されると、その回転駆動力がピニオンギヤ６３１を介して第１収容ギヤ６４１に伝達され、第１収容ギヤ６４１が回転される。第１収容ギヤ６４１の回転は、ギヤトレーン（歯車列）の作用により第５収容ギヤ６４５まで伝達され、かかる第５収容ギヤ６４５が回転されることで、正面ギヤ６４６が回転される。
【０２３４】
ここで、後述するように、第２収容ギヤ６４２には、第１回転体６５０（収納フランジ部６５３）の第１外周ギヤ６５３ａが、正面ギヤ６４６には、第２回転体６６０の第２外周ギヤ６６１ａが、それぞれ歯合されるので、駆動モータ６３０の回転駆動に伴い、第１回転体６５０及び第２回転体６６０をそれぞれ回転させることができる。即ち、１の駆動モータ６３０の回転駆動により、２の回転体（第１回転体６５０及び第２回転体６６０）を同時に回転させることができる。
【０２３５】
この場合、本実施形態では、第２収容ギヤ６４２と第５収容ギヤ６４５との間には、偶数個のギヤ（第３及び第４収容ギヤ６４３，６４４）が介在される。よって、第５収容ギヤ６４５に同期回転される正面ギヤ６４６と第２収容ギヤ６４２との間の回転速度を異なるせることができるだけでなく、第２収容ギヤ６４２と正面ギヤ６４６との間の回転方向を異ならせることもできる。その結果、後述するように、第１回転体６５０と第２回転体６６０との間の回転速度および回転方向をそれぞれ異ならせることができる。
【０２３６】
また、本実施形態では、正面ケース体６１０の背面側に第２収納ギヤ６４２を含む歯車列が、正面ケースチア６１０の正面側に正面ギヤが、それぞれ配設され、正面ケース体６１０の正面側および背面側において、それぞれ第２収納ギヤ６４２及び正面ギヤ６４６を、第１回転体６５０の第１外周ギヤ６５３ａ及び第２回転体６６０の第２外周ギヤ６５１ａに歯合させる。よって、例えば、正面ケース体６１０の正面側に第２収納ギヤ６４２及び正面ギヤ６４６の両者を配置し、これら両ギヤ６４２，６４６を、第１回転体６５０及び第２回転体６６０にそれぞれ歯合させる構造と比較して、駆動モータ６３０の回転駆動力を第１回転体６５０及び第２回転体６６０へ伝達する伝達構造だけでなく、第１回転体６５０及び第２回転体６６０自体の構造も簡素化できる。
【０２３７】
更に、歯車列とその歯車列のうちの第２収納ギヤ６４２が歯合される第１回転体６５０の収納フランジ部６５３とが、正面ケース体６１０の背面側に配設されることで、回転動作ユニット６００を正面視する遊技者に対して、歯車列および収納フランジ部６５３とを正面ケース体６１０により遮蔽することができる。即ち、歯車列および収納フランジ部６５３を視認不能に遮蔽するための遮蔽構造を、別部材を設けることを必要とせず、背面ケース体６１０を利用して簡素に形成することができる。
【０２３８】
第１回転体６５０は、球体液晶装置６７０の周囲を回転することで演出を行うための演出部材であり（図３３参照）、本体部６５１と、その本体部６５１の軸方向一側に一体に形成される正面演出部６５２と、本体部６５１の軸方向他側（軸方向端面）にねじにより締結固定される収納フランジ部６５３と、を主に備える。
【０２３９】
本体部６５１は、樹脂材料から円筒状に形成される部位であり、正面ケース体６１０における開口６１１及び筒状部６１２の内周側に挿通される。即ち、第１回転体６５０は、本体部６５１を回転軸として、正面ケース体６１０（開口６１１及び筒状部６１２）に回転可能に保持される。ここで、本体部６５１の詳細構成について、図３７を参照して説明する。
【０２４０】
図３７（ａ）は、本体部６５１の背面図であり、図３７（ｂ）は、図３７（ａ）のＸＸＸＶＩＩ部分を拡大して示す本体部６５１の部分拡大背面図である。なお、図３７（ｂ）では、理解を容易とするために、第１突出部６５１ａ及び第２突出部６５１ｂの直径が実際よりも拡大して模式的に図示されると共に、第１突出部６５１ａ及び第２突出部６５１ｂの各頂部がそれぞれ内接される仮想の円である仮想円ＩＳが二点鎖線を用いて図示される。
【０２４１】
図３７（ａ）及び図３７（ｂ）に示すように、本体部６５１には、第１突出部６５１ａ及び第２突出部６５１ｂが形成されると共に、第２突出部６５１ｂに対応する位置には、オフセット部６５１ｃが形成される。
【０２４２】
第１突出部６５１ａ及び第２突出部６５１ｂは、本体部６５１の外周面および内周面のそれぞれから突出して形成されると共に本体部６５１の軸方向（図３７（ａ）紙面垂直方向）に沿いつつ本体部６５１の全長にわたって延設される部位であり（図３５参照）、周方向等間隔となる複数箇所（本実施形態では合計８箇所）であって、第１突出部６５１ａと第２突出部６５１ｂとが周方向に交互に点在して配置されて形成される。
【０２４３】
即ち、第１突出部６５１ａは、本体部５６１の板厚寸法よりも大きな直径寸法を有する断面円形の円柱状体を本体部６５１と軸方向を一致させた姿勢で本体部６５１内に埋設し、この埋設された円柱状体のうちの本体部６５１の外周面および内周面から突出した部分（円柱状体の一部）により形成される。第２突出部６５１ｂについても、本体部６５１に埋設される円柱状体の直径が第１突出部６５１ａよりも大径とされる点を除き、第１突出部６５１ａと同様である。
【０２４４】
このように、本体部６５１の外周面および内周面から突出される第１突出部６５１ａ及び第２突出部６５１ｂが軸方向に沿って本体部６５１の全長にわたって延設されることで、本体部６５１の剛性を高めることができる。
【０２４５】
なお、第２突出部６５１ｂは、本体部６５１の軸方向端面（図３７（ｂ）紙面手前側面）から更に軸方向に沿って延設される。よって、後述するように、本体部６５１に収納フランジ部６５３がねじにより締結固定される際には、第２突出部６５１ｂの軸方向への延設部分が、収納フランジ部６５３の前面に凹設される凹部に内嵌されることで、本体部６５１及び収納フランジ部６５３を相対回転不能に強固に結合させることができる（図３６参照）。
【０２４６】
オフセット部６５１ｃは、本体部６５１における第２突出部６５１ｂ形成部分の近傍を、板厚寸法を保持しつつ内周側にオフセットさせた部分であり、第２突出部６５１ｂの直径の略３倍の範囲（周方向）にわたって形成される。即ち、オフセット部６５１ｃは、図３７（ｂ）に示す本体部６５１の軸方向視において、本体部６５１と同心の円弧状に湾曲される。このように本体部６５１にオフセット部６５１ｃが形成されることで、後述するように第２突出部６５１ｂの軸心を軸心側にオフセットさせて位置させることができると共に、本体部６５１全体としての剛性を高めることができる。
【０２４７】
複数（本実施形態では４個）の第１突出部６５１ａは、本体部６５１の外周面からの突出量が互いに同一に設定され、複数（本実施形態では４個）の第２突出部６５２ｂは、本体部６５１の外周面からの突出量が互いに同一に設定されると共に、オフセット部６５１ｃによるオフセットにより第１突出部６５１ａの突出量とも同一とされる。複数（本実施形態では８個）の第１突出部６５１ａ及び第２突出部６５２ｂは、本体部６５１の外周面からの突出量がそれぞれ同一に設定される。これにより、図３７（ｂ）に示すように、第１突出部６５１ａ及び第２突出部６５２ｂの各頂部が内接する仮想円ＩＳを、本体部６５１の外周側に同心に設定することができる。この場合、仮想円ＩＳの直径寸法は、正面ケース体６１０における開口６１１及び筒状部６１２の内径寸法と同等の寸法または若干大きな寸法に設定される。
【０２４８】
よって、正面ケース体６１０の開口６１１及び筒状部６１２の内周側に第１回転体６５０の本体部６５１が挿通された状態では、それらの接触領域を第１突出部６５１ａ及び第２突出部６５１ｂの各頂部に限定できるので、接触抵抗を抑制して、開口６１１及び筒状部６１２の内周側で本体部６５１をスムーズに回転させることができる。
【０２４９】
特に、第１突出部６５１ａ及び第２突出部６５１ｂは、軸方向視円弧状（詳細には、本体部６５１の軸方向に直交する平面で切断した断面の形状が外方へ凸となる円弧状）に湾曲されるので、接触面積を抑制できるだけでなく、正面ケース体６１０の開口６１１及び筒状部６１２の内周面に対して第１及び第２突出部６５１ａ，６５１ｂの頂部を滑らかに接触させることができるので、寸法公差に起因してがたつきを有する場合であっても、開口６１１及び筒状部６１２の内周側で本体部６５１をよりスムーズに回転させることができる。
【０２５０】
第１突出部６５１ａ及び第２突出部６５１ｂは、上述したように、本体部６５１の外周面から突出されるだけでなく、本体部６５１の内周面からも突出される。これにより、本体部６５１を樹脂金型により成形する際には、本体部６５１の形状を外周面側および内周面側において均一化（対称形状化）して、その成形性を確保できる。
【０２５１】
特に、本実施形態では、図３７（ｂ）に示す本体部６５１の軸方向視において、第１突出部６５１ａは、本体部６５１の外周面から突出して形成される部分の突出寸法と本体部６５１の内周面から突出して形成される部分の突出寸法とが同一とされる。同様に、第２突出部６５１ａは、オフセット部６５１ｃの外周面から突出して形成される部分の突出寸法とオフセット部６５１ｃの内周面から突出して形成される部分の突出寸法とが同一とされる。よって、本体部６５１の外周面側および内周面側における形状をより均一化（対称形状化）して、その成形性を更に確保できる。
【０２５２】
また、第２突出部６５１ｂには、その軸方向に沿って穿設される断面円形の孔が全長にわたって穿設される（図３６参照）。これにより、第１突出部６５１ａに比較して大径とされる第２突出部６５１ｂにおける肉厚寸法を他の部分（本体部６５１やオフセット部６５１ｃ、第１突出部６５１ａなど）と均一化でき、その結果、本体部６５１の成形性を確保できる。
【０２５３】
この場合、第２突出部６５１ｂに穿設される孔の内周面にはめねじが刻設され、収納フランジ部６５３を締結固定するためのねじが螺合可能とされる（図３６参照）。このように、ねじを締結するためのねじ締結部を、比較的大径に形成される第２突出部６５１ｂが担うことで、ねじ締結部の強度を確保できる。特に、第２突出部６５１ｂはオフセット部６５１ｃに形成される部位であり、本体部６５１の剛性が強化されているので、本体部６５１と収納フランジ部６５３との連結部分を第２突出部６５１ｂが担うことで、両者を強固に連結できると共に、耐久性の向上を図ることができる。
【０２５４】
図３４から図３６に戻って説明する。正面演出部６５２は、遊技者に演出部分として視認される部位であり、本体部６５１の外周面から径方向外方へフランジ状に張り出して形成される。正面演出部６５２の正面（前面、外観形成面）には、メッキが施され、光沢のある金属を模した外観が正面演出部６５２に付与される。なお、正面演出部６５２は、光透過性の樹脂材料からなるが、メッキが施されることで、正面演出部６５２を透かして発光装置６８０（発光素子６８１）が遊技者に視認されることを回避できる。
【０２５５】
正面演出部６５２の正面視形状は、不定形状の山（第２部分）と谷（第１部分）とが周方向に沿って繰り返される鋸刃形状に形成され、本実施形態では、１６個の山（谷）が周方向不等間隔（不等ピッチ）で配設される。後述するように、第１回転体６５０が回転されると、正面演出部６５２の山と谷とが発光装置６８０の発光素子６８１の正面側（前方）を順に通過することで、遊技者に発光素子６８１を断続的かつ選択的に視認させることができる（図３９参照）。
【０２５６】
収納フランジ部６５３は、正面ケース体６１０及び背面ケース体６２０の内部空間（対向面間）に収納される部位であり、正面視円環形状に形成されると共に、正面ケース体６１０の筒状部６１２に挿通された本体部６５１の軸方向端面に開口６１１を介して締結固定される。詳細には、収納フランジ部６５３に挿通されたねじを、上述したように、本体部６５１の第２突出部６５１ｂに螺合させることで、本体部６５１に収納フランジ部６５３が締結固定される。
【０２５７】
収納フランジ部６５３は、その厚み寸法が、正面ケース体６１０及び背面ケース体６２０の対向面間隔と同等の寸法または若干小さな寸法に設定されると共に、外径寸法が、正面ケース体６１０及び背面ケース体６２０における開口６１１，６２１の内径寸法よりも大きな寸法に設定される。よって、第１回転体６５０は、収納フランジ部６５３の正面または背面を正面ケース体６１０の背面または背面ケース体６２０の正面に当接させることで、その第１回転体６５０の軸方向位置を規定できる。
【０２５８】
収納フランジ部６５３の外周面には、第１外周ギヤ６５３ａが刻設され、この第１外周ギヤ６５３ａには、正面ケース体６１０の背面に配設される上述した歯車列のうちの第２収納ギヤ６４２が歯合される。よって、駆動モータ６３０の回転駆動力により歯車列が回転されると、その回転が、第２収納ギヤ６４２及び第１外周ギヤ６５３ａを介して収納フランジ部６５３に伝達され、第１回転体６５０が回転される。
【０２５９】
このように、第１回転体６５０は、収納フランジ部６５３の外周面に第１外周ギヤ６５３ａを刻設し、正面ケース体６１０の開口５１１に周縁に沿って配設された歯車列のうちの第２収納ギヤ６４２を第１外周ギヤ６５３ａに歯合させるので、駆動モータ６３０の回転駆動力を第１回転体６５０へ伝達するための伝達構造を簡素化できる。特に、第１回転体６５０は、筒状に形成され、その内周側に後述する球体液晶装置６７０の被投射面部６７１が配設されるため、内周面側にスペースを確保することが困難となる。そのため、第１回転体６５０の外周側に上述した伝達構造を配設できることが有効となる。
【０２６０】
また、上述したように、第１回転体６５０（本体部６５１）は、正面ケース体６１０の筒状部６１１の内周面に回転可能に支持されるので、かかる第１回転体６５０の配設位置を、正面ケース体６１０を基準として規定できる。よって、第１回転体６５０（収納フランジ部６５３）の外周面に刻設された歯車（第１外周ギヤ６５３ａ）と、正面ケース体６１０に配設される第２収容ギヤ６４２との間の位置関係を、正面ケース体６１０を基準として規定できる。その結果、第１回転体６５０の第１外周ギヤ６５３ａと第２収容ギヤ６４２との歯合状態を安定化させることができるので、歯車の偏摩耗を抑制できると共に駆動抵抗の抑制を図ることができる。
【０２６１】
第２回転体６６０は、第１回転体６５０の背面側で回転することで演出を行うための演出部材であり（図３３参照）、光透過性の樹脂材料から円筒状に形成される本体部６６１と、その本体部６６１の軸方向端面に一体に形成される正面演出部６６２と、を主に備える。
【０２６２】
本体部６６１は、その内径寸法が正面ケース体６１０における筒状部６１２の外径寸法と同等の寸法または若干大きな寸法に設定され、筒状部６１２の外周側に外嵌されることで（即ち、本体部６６１の内周側に筒状部６１２を挿通させることで）、正面ケース体６１０（筒状部６１２）に回転可能に保持される。
【０２６３】
本体部６６１の外周面には、第２外周ギヤ６６１ａが刻設され、この第２外周ギヤ６６１ａには、正面ケース体６１０の正面に配設される上述した正面ギヤ６４６が歯合される。よって、駆動モータ６３０の回転駆動力により上述した歯車列および正面ギヤ６４６が回転されると、その回転が、正面ギヤ６４６及び第２外周ギヤ６６１ａを介して本体部６６１に伝達され、第２回転体６６０が回転される。
【０２６４】
このように、第２回転体６６０は、その外周面に第２外周ギヤ６６１ａを刻設し、正面ケース体６１０の正面に配設された正面ギヤ６４６を第２外周ギヤ６６１ａに歯合させるので、駆動モータ６３０の回転駆動力を第２回転体６６０へ伝達するための伝達構造を簡素化できる。特に、第２回転体６５０は、筒状に形成され、正面ケース体６１０の筒状部６１２に外嵌されることで回転可能の保持される構造であるため、内周面側にスペースを確保することが困難となる。そのため、第２回転体６６０の外周側に上述した伝達構造を配設できることが有効となる。
【０２６５】
また、上述したように、第２回転体６６０は、正面ケース体６１０の筒状部６１１の外周面に回転可能に支持されるので、かかる第２回転体６６０の配設位置を、正面ケース体６１０を基準として規定できる。よって、第２回転体６６０の外周面に刻設された歯車（第２外周ギヤ６６１ａ）と、正面ケース体６１０に配設される正面ギヤ６４６との間の位置関係を、正面ケース体６１０を基準として規定できる。その結果、第２回転体６６０の第２外周ギヤ６６１ａと正面ギヤ６４６との歯合状態を安定化させることができるので、歯車の偏摩耗を抑制できると共に駆動抵抗の抑制を図ることができる。
【０２６６】
本体部６６１は、その軸方向寸法が、正面ケース体６１０の正面と第１回転体６５０の正面演出部６５２の背面との対向間隔と同等の寸法または若干小さい寸法に設定される。よって、第２回転体６６０は、本体部６６１の軸方向一側の端面または軸方向他側の端面を第１回転体６５０の正面演出部６５２の背面または正面ケース体６１０の正面に当接させることで、その第２回転体６５０の軸方向位置を規定できる。
【０２６７】
なお、本体部６６１は、その軸方向一側の端面および軸方向他側の端面に正面凸条６６１ｂ及び背面凸条６６１ｃがそれぞれ突設される。正面凸条６６１ｂは正面視円環形状に形成されると共に、背面凸条６６１ｃは正面視円環形状を複数箇所で分断した形状に形成される。これにより、第１回転体６６０を回転させる際には、本体部６６１と正面ケース６１０及び第２回転体６５０（正面演出部６５２）との間の摩擦抵抗を低減して、駆動モータ６３０の負荷を抑制できる。
【０２６８】
正面演出部６６２は、第１回転体６５０における正面演出部６５２の背面側に位置し、その演出部６５２と共に遊技者に演出部分として視認される部位であり、本体部６６１の外周面から径方向外方へフランジ状に張り出して形成される。正面演出部６６２は、不定形状の山と谷とが周方向に沿って繰り返される鋸刃形状に形成される外周側部分６６２ａと、その外周側部分６６２ａの内周側における正面視円環形状の部分である内周側部分６６２ｂとを備える。
【０２６９】
正面演出部６６２の正面（前面、外観形成面）には、第１回転体６５０の正面演出部６５２の場合と同様に、メッキが施される。但し、上述した第１回転体６５０では、正面演出部６５２の全面（全範囲）にメッキが施されたが、第２回転体６５０では、正面演出部６６２のうちの外周側部分６６２ａのみにメッキが施され、内周側部分６６２ｂにはメッキは施されない。
【０２７０】
よって、後述するように、第１回転体６５０における正面演出部６５２の山（第２部分）と谷（第１部分）とを発光装置６８０における発光素子６８１の正面側（前方）で順に通過させて、発光素子６８１を遊技者に断続的かつ選択的に視認させる際には、かかる発光素子６８１を、正面演出部６６２の内周側部分６６２ｂ（即ち、メッキが施されていない部分）を透かして、遊技者に視認させることが可能とされる（図３９参照）。
【０２７１】
球体液晶装置６７０は、光透過性材料から球殻として形成される被投射面部６７１と、その被投射面部６７１の球殻の内面に映像を投射する投射装置が内部に収納されたケース体６７２と、を主に備え、投射装置から投射され被投射面部６７１の外面に透過された映像を遊技者に視認させる。組立状態では、ケース体６７２が背面ケース体６２０の背面に締結固定され、被投射面部６７１が、その球殻の略半分を第１回転体６５０の正面演出部６５２の正面よりも前方へ突出させた姿勢で、第１回転体６５０の内周側に配設される（図３３参照）。
【０２７２】
発光装置６８０は、正面ケースの６１０の筒状部６１２に外嵌される正面視円環形状のケース体６８１と、そのケース体６８１に収納される回路基板と、その回路基板の正面（前面）側に配設（搭載）される複数（本実施形態では１２個）の発光素子６８２と、を主に備え、組み立て状態において、第１回転体６５０及び第２回転体６６０の正面演出部６５２，６６２の背面側に配設される。
【０２７３】
ケース体６８１の正面（前面）には、発光素子６８２よりも大きな外形を有する開口部が周方向等間隔となる１２箇所に開口形成され、それら各開口部の開口位置に対応して各発光素子６８２が回路基板に搭載される。即ち、発光装置６８０は、その正面視において、ケース体６８１の開口部から発光素子６８２が露出され、発光素子６８２から発光された光をケース体６８１の開口部を介して正面側（第１回転体６５０及び第２回転体６６０の正面演出部６５２，６６２）へ向けて照射可能とされる。
【０２７４】
発光装置６８０の正面（前面）側には、上述したように、第１回転体６５０及び第２回転体６６０の正面演出部６５２，６６２が配設され、第１回転体６５０の正面演出部６５２が回転されることで、発光素子６８２による発光を断続的かつ選択的に遊技者に視認させることが可能とされる。ここで、発光素子６８２の発光を断続的かつ選択的に遊技者に視認させる構造について、図３８及び図３９を参照して説明する。
【０２７５】
図３８は、回転動作ユニット６００の正面図であり、図３８（ａ）及び図３８（ｂ）では、第１回転体６５０が互いに異なる回転位置に配置された状態が図示される。図３９（ａ）は、図３８（ａ）のＸＸＸＩＸａ−ＸＸＸＩＸａ線における回転動作ユニット６００の断面図であり、図３９（ｂ）は、図３８（ｂ）のＸＸＸＩＸｂ−ＸＸＸＩＸｂ線における回転動作ユニット６００の断面図である。
【０２７６】
なお、図３８では、第１回転体６５０の正面演出部６５２と発光装置６８０の発光素子６８２との間の位相関係を明確とするために、回転動作ユニット６００のうちの第１回転体６５０及び発光装置６８０のみが図示され、図３９では、第１回転体６５０及び第２回転体６６０の正面演出部６５２，６６２と発光装置６８０の発光素子６８２との径方向位置の関係を明確とするために、図３８に示す第１回転体６５０及び発光装置６８０に第２回転体６６０が追加された分解状態が模式的に図示される。
【０２７７】
図３８及び図３９に示すように、第１回転体６５０における正面演出部６５２の正面視形状が、不定形状の山（第２部分）と谷（第１部分）とが周方向に沿って繰り返される鋸刃形状に形成されるところ、発光装置６８０における発光素子６８２の配設位置は、正面演出部６５２における谷底よりも径方向外側（図３９（ａ）上側）であって正面演出部６５２における山頂よりも径方向内側（図３９（ａ）下側）となる径方向位置（図３９（ａ）上下方向位置）に設定される。
【０２７８】
この場合、第２回転体６６０の正面演出部６６２における内周側部分６６２ｂには、上述したように、正面（前面）にメッキが施されず、光を透過可能に形成されるところ、かかる内周側部分６６２ｂの形成範囲（図３９において二点鎖線で示す範囲）が、第１回転体６５０の正面演出部６５２における谷底と、発光装置６８０の発光素子６８２とを含む範囲に設定される。即ち、正面視において、第１回転体６５０の正面演出部６５２における谷の部分から、第２回転体６６０の正面演出部６６２における内周側部分６６２ｂを介して（即ち、透過させて）、発光装置６８０の発光素子６８２を遊技者に視認させることができる。
【０２７９】
また、第２回転体６６０の正面演出部６６２における外周側部分６６２ａには、上述したように、正面（前面）にメッキが施され、光沢のある金属を模した外観が付与されるところ、かかる外周側部分６６２ａが、第１回転体６５０の正面演出部６５２の背面側に対向して配設される。即ち、正面視において、第１回転体６５０の正面演出部６５２における谷の部分から、第２回転体６６０の正面演出部６６２における外周側部分６６２ａを遊技者に視認させることができる。
【０２８０】
このように、回転動作ユニット６００によれば、第１回転体６５０の正面演出部６５２には、正面視において発光装置６８０の発光素子６８２に重なる領域に、山と谷とが周方向交互に形成されるので、第１回転体６５０の回転に伴い、その正面演出部６５２の山と谷とが発光素子６８２の前方を交互に通過することで、発光素子６８２の発光を、第２回転体６６０の正面演出部６８２における内周側部分６６２ｂを介して、遊技者に断続的に視認させることができる。これにより、球体液晶装置６７０を中心とし、その周囲において、複数の回転体（第１回転体６５０及び第２回転体６６０）をそれぞれ回転させる演出を効果的に行うことができる。
【０２８１】
また、第２回転体６６０の正面演出部６６２における外周側部分６６２ａには、メッキが施され、光沢のある金属を模した外観が付与されるところ、その外周側部分６６２ａの正面（前面）側には、第１回転体６５０の正面演出部６５２が配設される。よって、上述したように、第１回転体６５０と第２回転体６６０とが互いに逆方向へ回転される際には、第１回転体６５０の正面演出部６５２における谷の部分を介して、第２回転体６６０の正面演出部６５２における外周側部分６６２ａが、第１回転体６５０の正面演出部６５２とは逆方向へ回転される態様を遊技者に視認させることができる。
【０２８２】
即ち、回転動作ユニット６００によれば、第１回転体６５０を正面視する遊技者に対し、正面演出部６５２の山谷形状における谷底側では、発光装置６８０の発光素子６８２を断続的に視認させると共に、正面演出部６５２の山谷形状における山頂側では、第２回転体６６０の正面演出部６６２（外周側部分６６２ａ）が第１回転体６５０の正面演出部６５２（山谷形状）と逆方向へ回転される態様を視認させることができる。これにより、第１回転体６５０の回転と第２回転体６６０の回転とを関連付けて遊技者に認識させやすくでき、その結果、複数の回転体（第１回転体６５０及び第２回転体６６０）をそれぞれ回転させる演出を効果的に行うことができる。
【０２８３】
更に、回転演出ユニット６００によれば、上述したように、第１回転体６５０の正面演出部６５２における谷が周方向１６箇所に形成される一方で、発光装置６８０の発光素子６８２が周方向１２箇所に配設されるので、それら１２箇所に配設された発光素子６８２のうちから遊技者に特定の発光素子６８２のみを選択的に視認させることができる。
【０２８４】
即ち、正面演出部６５２における谷の周方向間隔と、発光素子６８２の周方向間隔とが異なる間隔とされることで、例えば、図３８（ａ）に示す状態では、上下左右の４箇所に配設された発光素子６８２が視認可能とされる一方で、図３８（ａ）に示す状態から第１回転体６５０（正面演出部６５２）が所定の回転角度だけ回転されると、図３８（ｂ）に示すように、異なる発光素子６８２が選択され、右上、右下、左下および左上の４箇所に配設された発光素子６８２が視認可能とされる。
【０２８５】
これにより、発光装置６８０の発光素子６８２を断続的に視認させるだけでなく、視認される発光素子６８２の位置を周方向へ変更することができるので、複数の回転体（第１回転体６５０及び第２回転体６６０）をそれぞれ回転させる演出をより効果的に行うことができる。
【０２８６】
図３４から図３６に戻って、回転動作ユニット６００の全体構造について説明する。上述したように、正面ケース体６１０に開口６１１及び筒状部６１２が形成され、第１回転体６５０が本体部６５１及び正面演出部６５２に対して収納フランジ部６５３が別体に形成される。よって、正面ケース体６１０の筒状部６１２の外周側に第２回転体６６０を装着し、正面ケース体６１０の筒状部６１２の内周側に第１回転体６５０の本体部６５１を挿通すると共に、その挿通した本体部６５１に収納フランジ部６５３を締結固定した後、正面ケース体６１０に背面ケース体６２０を締結固定することで、正面ケース体６１０及び背面ケース体６２０に第１回転体６５０及び第２回転体６６０を回転可能な状態で保持させることができる。
【０２８７】
即ち、第１回転体６５０は、その本体部６５１が正面ケース体６１０の開口６１１及び筒状部６１２に挿通されることで、かかる正面ケース体６１０に回転可能に軸支される。この場合、第１回転体６５０の収納フランジ部６５３が正面ケース体６１０の背面および背面ケース体６２０の正面にそれぞれ当接可能とされ、これにより、両ケース体６１０，６２０に対する第１回転体６５０の正面側（前方）および背面側（後方）への変位を規制できる。
【０２８８】
同時に、第２回転体６６０は、正面ケース体６１０の筒状部６１２に外嵌されることで、かかる正面ケース体６１０に回転可能に軸支される。この場合、第２回転体６６０（正面凸条６６１ｂ及び背面凸条６６２ｃ）が、第１回転体６５０の正面演出部６５２の背面および発光装置６８０のケース体６８１の正面にそれぞれ当接され、これにより、両ケース体６１０，６２０に対する第２回転体６６０の正面側（前方）および背面側（後方）への変位を規制できる。
【０２８９】
このように、回転動作ユニット６００によれば、複数の回転体（第１回転体６５０及び第２回転体６６０）を回転可能な状態で保持可能としつつ、回転体（第１回転体６５０）自身が第２回転体６６０の変位を規制する部位を兼用するため、その分、構造の簡素化を図ることができる。また、複数の回転体（第１回転体６５０及び第２回転体６６０）を回転可能な状態で保持可能とする保持構造を、第１回転体６５０の本体部６５１に収納フランジ部６５３を締結固定するのみで形成できるので、組み立て工程を簡素化できる。その結果、製品コストの削減を図ることができる。
【０２９０】
また、回転動作ユニット６００によれば、第１回転体６５０が筒状に形成されると共に、背面ケース体６２０に開口６２１が形成されるので、正面ケース体６１０及び背面ケース体６２０に複数の回転体（第１回転体６５０及び第２回転体６６０）を回転可能な状態で保持させた後は、背面ケース体６２０の背面側から球体液晶装置６７０を装着して締結固定するだけで、回転動作ユニット６００の組み立てを完了することができる（図３３参照）。即ち、各ケース体５６１０，６２０及び各回転体６５０，６６０の組立品に対して、球体液晶装置６７０を別工程にて後付けすることができる。よって、この点も、組み立て工程を簡素化して、製品コストを削減することに寄与できる。
【０２９１】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２９２】
上記実施形態における突出動作ユニット４００では、基側変位部材４４０に対して相対変位部材４５０がスライド変位可能に配設される場合を説明したが、必ずしもこれに限られるものではなく、基側変位部材４４０に対して相対変位部材４５０が回転可能に配設されるものであって良い。即ち、第１動作を、上記実施形態の場合と同様に、基側変位部材４４０を退避位置（図１３参照）及び回転位置（図１４参照）の間で回転させるものとし、第２動作を、相対変位部材４５０を基側変位部材４４０に対して基準位置（図１４参照）及び張出位置（図１５参照）の間で回転させる構成を採用しても良い。
【０２９３】
この構成によっても、退避位置にある基側変位部材４５０が第１動作により回転位置へ配置されると共に、基準位置にある相対変位部材４５０が第２動作により張出位置へ配置されることで、両変位部材４４０，４５０全体を遊技者に十分に視認させ、その演出効果を十分に発揮させることができる一方、張出位置にある相対変位部材４５０が第２動作により基準位置に回転されると共に、回転位置にある基側変位部材４４０が第１動作により退避位置へ配置されることで、両変位部材４４０，４５０全体を小さくして、変位部材を収容するために必要とされるスペースを抑制できる。
【０２９４】
上記実施形態における突出動作ユニット４００では、基側変位部材４４０が退避位置に配置された状態において（図１７（ｂ）参照）、基側変位部材４５０の先端側が相対変位部材４５０の先端側よりも装飾部材４８０側（図１７（ｂ）上側）へ突出される場合を説明したが、必ずしもこれに限られるものではなく、これとは逆に、相対変位部材４５０の先端側が基側変位部材４５０の先端側よりも装飾部材４８０側（図１７（ｂ）上側）へ突出される構成を採用しても良い。
【０２９５】
この構成によっても、両変位部材４４０，４５０の回転軌跡を装飾部材４８０と交差させ、その交差の際に装飾部材４８０を透過させて両変位部材４４０，４５０を視認させることができるので、両変位部材４４０，４５０を変位させることによる演出効果を高めることができる。更に、この構成によれば、相対変位部材４５０を張り出させる際には（図１５参照）、正面（前方）に位置する装飾部４５４の面積をより拡大することができ、迫力のより一層の向上を図ることができる。
【０２９６】
上記実施形態における複合動作ユニット５００では、被駆動部材５５０の接続溝５５２ａが長穴形状に形成されることで、被駆動部材５５０（接続溝５５２ａ）に従動部材５６０（接続軸５６１ｂ）が回転可能かつスライド変位可能な状態で接続される場合を説明したが、必ずしもこれに限られるものではなく、接続溝５５２ａが円形状に形成されることで、被駆動部材５５０（接続溝５５２ａ）に対する従動部材５６０（接続軸５６１ｂ）のスライド変位が不能とされる構成（即ち、回転のみが許容される構成）を採用しても良い。この構成によっても、被駆動部材５５０の変位に伴って従動部材５６０を相対変位させる際に、被駆動部材５５０に対する従動部材５６０の相対的な角度を変化させることができるので、従動部材５６０の軌道に変化を付与して、演出効果を高めることができる。
【０２９７】
なお、この場合には、第１案内溝５１３及び第１ピン５６１ａにより構成される変位規定手段を、従動部材５６０に接続軸５６１ｂと同心に配設される歯車とその歯車に歯合されると共に被駆動部材５５０の駆動軸５５１ａを中心とする円弧に沿って形成され正面ケース体５１０又は背面ケース体５２０に配設される湾曲したラックギヤとにより構成しても良い。これにより、被駆動部材５５０の変位に伴って従動部材５６０を相対変位させる際に、歯車がラックギヤを転動することで、被駆動部材５５０に対する従動部材５６０の相対的な角度を変化させることができる。
【０２９８】
上記実施形態における複合動作ユニット５００では、第１案内溝５１３及び第２案内溝５２３が正面ケース体５１０及び背面ケース体５２０に形成されると共に、これら両案内溝５１３，５２３にそれぞれ挿通される第１ピン５６１ａ及び接続軸５６１ｂが従動部材５６０に形成される場合を説明したが、必ずしもこれに限られるものではなく、これとは逆に、第１案内溝５１３及び第２案内溝５２３を従動部材５６０に設けると共に、それら両案内溝５１３，５２３に挿通される部位（第１ピン５６１ａ及び接続軸５６１ｂに相当する部材）を正面ケース体５１０及び（又は）背面ケース体５２０に設ける構成を採用しても良い。この構成によっても、被駆動部材５５０の変位に伴って、直線運動と回転運動とを組み合わせた運動を従動部材５６０に行わせることができるので、かかる従動部材５６０の軌道に変化を付与して、演出効果を高めることができる。
【０２９９】
上記実施形態における複合動作ユニット５００では、第１案内溝５１３が正面ケース体５１０に穿設（開口形成）される場合を説明したが、必ずしもこれに限られるものではなく、かかる第１案内溝５１３が例えば断面コ字状の凹溝として形成されても良い。即ち、第１案内溝５１３は、その延設方向に沿って第１ピン５６１ａを案内可能な形状であれば足りる趣旨である。
【０３００】
上記実施形態における複合動作ユニット５００では、第１案内溝５１３及び第２案内溝５２３が湾曲して延設される一方、接続溝５５１ａが直線状に延設される場合を説明したが、必ずしもこれに限られるものではなく、これとは逆に、第１案内溝５１３及び第２案内溝５２３が直線状に延設される一方、接続溝５５１ａが湾曲して延設される構成を採用しても良い。特に、第１案内溝５１３及び第２案内溝５２３については、曲率半径が一定の円弧形状に設定される場合を説明したが、これに限られるものではなく、複数の曲率半径の円弧形状を組み合わせた形状（例えば、Ｓ字状など）を採用することは当然可能である。これにより、従動部材５６０の軌道をより複雑に変化させることができるので、演出効果を高めることができる。
【０３０１】
具体的には、例えば、第１案内溝５１３又は第２案内溝５２３を円弧形状に設定する場合、その円弧形状を、被駆動部材５５０が軸部５５３，５５４を中心とする回転方向の回転始端または終端およびその近傍に配置される状態では、半径を基準値よりも大きくする（曲率を小さくする）ことが好ましい。即ち、第１案内溝５１３又は第２案内溝５２３における始端およびその近傍の第１範囲または終端およびその近傍の第２範囲における半径を、基準値よりも大きくする、又は、第１範囲および第２範囲の間に位置する第３範囲における半径よりも大きくすることが好ましい。これにより、停止状態にある被駆動部材５５０の駆動モータ５３０による駆動を開始する初期段階において、負荷を低減して、駆動をスムーズに開始させることができる。
【０３０２】
或いは、従動部材５６０が正面ケース体５１０によって視認不能とされている間は、第１案内溝５１３又は第２案内溝５２３の半径を基準値よりも大きな値に設定し、従動部材５６０の一部が正面ケース体５１０の領域外に露出され（視認可能とされ）始めてから従動部材５６０の全体が正面ケース体５１０の領域外に露出される（視認可能とされる）までの間は、第１案内溝５１３又は第２案内溝５２３の半径を基準値よりも小さな値に設定しても良い。これによれば、前者の場合には、従動部材５６０の動作は遊技者に視認されないため、演出効果に影響を与えることなく、駆動モータ５３０の負荷の軽減を可能とでき、後者の場合は、正面ケース体５１０に従動部材５６０の一部が遮蔽されている範囲において、従動部材５６０の動きを速くできるので、正面ケース体５１０から従動部材５６０が突然現れる演出や従動部材５６０が正面ケース体５１０の背面に素早く隠れる演出を行うことができる。
【０３０３】
或いは、従動部材５６０が水平姿勢（接続軸５６１ｂ方向視（図３０参照）において、接続軸５６１ｂを通過する水平線に対して、上下に４５度傾斜する一対の仮想線により区画される範囲内に装飾部５６２の重心位置が位置する姿勢）にある間は、第１案内溝５１３又は第２案内溝５２３の半径を基準値よりも大きな値に設定し、従動部材５６０が水平姿勢を越える間は、第１案内溝５１３又は第２案内溝５２３の半径を基準値よりも小さな値に設定しても良い。これによれば、従動部材５６０の自重（重力の作用）を駆動モータ５３０の駆動力に支える必要が比較的大きい領域では、半径を大きくして、各案内溝５１３，５１４でｎ摩擦抵抗や従動部材５６０の姿勢変化による慣性力の影響を低減して、駆動モータ５３０の負荷を低減できる一方、従動部材５６０の自重（重力の作用）を駆動モータ５３０の駆動力に支える必要が比較的小さい領域では、半径を小さくすることで、従動部材５６０の動作の変化を大きくして、演出効果を高めることができる。
【０３０４】
上記実施形態における回転動作ユニット６００では、第１回転体６５０において、本体部６５１及び正面演出部６５２が一体とされ、収納フランジ部６５３が別体とされる場合を説明したが、必ずしもこれに限られるものではなく、本体部６５１及び収納フランジ部６５３が一体とされ、正面演出部６５２が別体とされることで、第１回転体６５０が形成される構成を採用しても良い。この構成によっても、上記実施形態の場合と同様に、複数の回転体を回転可能に保持する構造および組み立て工程を簡素化することができ、製品コストの削減を図ることができる。
【０３０５】
上記実施形態における回転動作ユニット６００では、第２回転体６６０の正面演出部６６２における内周側部分６６２ｂが、その正面（前面）を平坦面として形成される場合を説明したが、必ずしもこれに限られるものではなく、その正面の一部または全部を平坦面に代えて他の形状としても良い。他の形状としては、例えば、複数の凹凸を有する面、断面波形に形成される面、傾斜面、湾曲面、或いは、これらを組み合わせた面などが例示される。これら他の形状を採用した場合には、発光素子６８２から発光され内周側部分６６２ｂを透過する光を乱反射や屈折させることができるだけでなく、第２回転体６６０の回転に伴い、その乱反射や屈折の方向に動きを持たせることができるので、その演出効果を高めることができる（図３９参照）。
【０３０６】
上記実施形態における回動動作ユニット６００では、第２回転体６６０の正面演出部６６２の外径寸法が正面視において正面ギヤ６４６の一部のみに重なる大きさに設定される場合を説明したが（図３６参照）、必ずしもこれに限られるものではなく、第２回転体６６０の正面演出部６６２の外径寸法を、正面視において正面ギヤ６４６の全体と重なる大きさに設定しても良い。これにより、正面ギヤ６４６を正面演出部６６２により遮蔽できるので、正面ギヤ６４６を遊技者から視認不能とするための部材を別途設けることを不要とできる。なお、正面ギヤ６４６を遊技者から視認不能とできれば、かかる正面ギヤ６４６をより大径の歯車とできるので、ギヤ比の設定の自由度を高めることができる。よって、第１回転体６５０に対する第２回転体６６０の回転の変化を大きくできる。
【０３０７】
上記実施形態における回動動作ユニット６００では、第１回転体６５０及び第２回転体６６０の停止位置についての説明を省略したが、次のように構成しても良い。即ち、第１回転体６５０又は第２回転体６６０の正面演出部６５２，６６２の少なくとも一方または両方における山の形状を、正面視において正面ギヤ６４６を遮蔽可能な大きさに形成し、その山の形状の部分が正面ギヤ６４６の正面に配置される位相位置で、第１回転体６５０又は第２回転体６６０の回転を停止させるようにしても良い。これにより、第１回転体６５０又は第２回転体６６０の回転の停止時には正面ギヤ６４６を遊技者から視認不能とできる。
【０３０８】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０３０９】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０３１０】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０３１１】
以下に、本発明の遊技機に加えて上述した実施形態に含まれる各種発明の概念を示す。
＜突出動作ユニット４００を一例とする発明の概念について＞
駆動力を発生する駆動手段と、その駆動手段が発生する駆動力により変位される変位部材と、を備えた遊技機において、前記変位部材は、退避位置および回転位置の間を回転可能に形成される基側変位部材と、その基側変位部材に配設されると共に基準位置およびその基準位置よりも前記基側変位部材から外方へ張り出す張出位置の間を変位可能に形成される相対変位部材と、を備え、前記基側変位部材を前記退避位置および回転位置の間で回転させる第１動作と、前記相対変位部材を前記基側変位部材に対して前記基準位置および張出位置の間で変位させる第２動作と、をそれぞれ実行可能とされることを特徴とする遊技機Ａ１。
【０３１２】
ここで、パチンコ機等の遊技機において、回転可能に軸支された基端側を中心として変位部材を回転させることで演出を行う遊技機が知られている（特開２０１１−９２６３４号公報（例えば、段落０１７５〜０１８９、図８３参照））。この遊技機によれば、変位部材を一の方向へ回転させることで、かかる変位部材の先端側を液晶表示装置の前面となる所定位置に配置する一方、変位部材を一の方向と逆方向となる他の方向へ回転させることで、変位部材を液晶表示装置の表示領域の外（退避位置）に退避させる。しかしながら、上述した従来の遊技機では、変位部材の外形が小さいと、液晶表示装置の前面となる所定位置において、変位部材を遊技者に十分に視認させることが困難となり、演出効果を十分に発揮できない一方、変位部材の外形が大きいと、表示領域の外（退避位置）に大きなスペースが必要になるという問題点があった。遊技機Ａ１は、上記例示した問題点を解決するためになされたものであり、退避位置に必要とされるスペースを抑制しつつ、所定位置において変位部材を遊技者に十分に視認させることができる遊技機を提供することを目的とする。
【０３１３】
即ち、遊技機Ａ１によれば、変位部材は、退避位置および回転位置の間を回転可能に形成される基側変位部材と、その基側変位部材に配設されると共に基準位置およびその基準位置よりも基側変位部材から外方へ張り出す張出位置の間を変位可能に形成される相対変位部材とを備え、基側変位部材を退避位置および回転位置の間で回転させる第１動作と、相対変位部材を基側変位部材に対して基準位置および張出位置の間で変位させる第２動作とをそれぞれ実行可能とされるので、退避位置にある基側変位部材を第１動作により回転位置へ配置する際には、基準位置にある相対変位部材を第２動作により張出位置へ配置することで、かかる相対変位部材を基側変位部材から外方へ張り出させることができる。よって、その分、変位部材を全体として大きくできるので、回転位置において、変位部材を遊技者に十分に視認させ、その演出効果を十分に発揮させることができる。
【０３１４】
一方、回転位置にある基側変位部材を第１動作により退避位置へ配置する際には、張出位置による相対変位部材を第２動作により基準位置に配置することで、かかる相対変位部材の基側変位部材からの外方への張り出しを抑制できる。よって、その分、変位部材を全体として小さくできるので、退避位置において、変位部材を収容するために必要とされるスペースを抑制できる。その結果、他の部品や装置を配設するためのスペースを確保することができる。
【０３１５】
なお、第２動作は、少なくとも退避位置へ配置されるまでの間（即ち、第１動作が完了するまでの間）に行われれば良い。よって、第１動作の少なくとも一部と第２動作の少なくとも一部とが重複して実行されても良い。
【０３１６】
遊技機Ａ１において、前記変位部材の移動平面よりも前方に配置され開口部が形成される前方部材を備え、前記基側変位部材４４０が第１動作により回転位置に配置されると、前記相対変位部材の少なくとも一部が前記前方部材の開口部を介して遊技者に視認可能とされ、前記相対変位部材が第２動作により張出位置に配置されると、前記相対変位部材の前記前方部材の開口部を介して遊技者に視認可能な領域が拡大されることを特徴とする遊技機Ａ２。
【０３１７】
遊技機Ａ２によれば、遊技機Ａ１の奏する効果に加え、退避位置に退避されていた相対変位部材を、まず、回転運動（第１動作）により前方部材の開口部に登場させ、その相対変位部材の一部のみを遊技者に視認させると共に、次いで、直線運動（第２動作）により前方部材の開口部を介して遊技者が相対変位部材を視認可能な領域を拡大させるという演出を行うことができる。
【０３１８】
遊技機Ａ２において、前記相対変位部材は、前記基側変位部材にスライド変位可能に配設され、前記第２動作は、前記相対変位部材を前記基側変位部材に対して前記基準位置および張出位置の間でスライド変位させることを特徴とする遊技機Ａ３。
【０３１９】
遊技機Ａ３によれば、遊技機Ａ２の奏する効果に加え、相対変位部材は、基側変位部材にスライド変位可能に配設され、第２動作は、相対変位部材を基側変位部材に対して基準位置および張出位置の間でスライド変位させるので、例えば、第２動作が相対変位部材を基側変位部材に対して回転させる態様である場合と比較して、相対変位部材を基準位置から張出位置まで変位させるのに必要なスペースを抑制することができ、その分、他の部品や装置を配設するためのスペースを確保することができる。また、第１動作による基側変位部材の変位の態様に対して、第２動作による相対変位部材の変位の態様を異ならせることができるので、第１動作および第２動作を行うことによる演出効果を高めることができる。
【０３２０】
遊技機Ａ３において、前記相対変位部材は、前記基側変位部材に互いの長手方向を沿わせた姿勢で配設されると共に、前記スライド変位の方向が互いの長手方向に沿った方向とされることを特徴とする遊技機Ａ４。
【０３２１】
遊技機Ａ４によれば、遊技機Ａ３の奏する効果に加え、相対変位部材は、基側変位部材に互いの長手方向を沿わせた姿勢で配設されると共に、そのスライド変位の方向が互いの長手方向に沿った方向とされるので、基側変位部材に対する相対変位部材の長手方向に沿ったスライド変位により変位部材を全体として伸縮させることができる。よって、回転位置においては、変位部材を、伸長により全体として大きくすることで、遊技者に十分に視認させることができ、その演出効果を十分に発揮させることができる。一方、退避位置においては、変位部材を、短縮により全体として小さくすることで、変位部材を収容するために必要とされるスペースを抑制でき、他の部品や装置を配設するためのスペースを確保することができる。
【０３２２】
また、遊技機Ａ４によれば、退避位置に退避されていた相対変位部材を、まず、回転運動（第１動作）により前方部材の開口部に側方から登場させ、その相対変位部材の一部のみを遊技者に視認させると共に、次いで、直線運動（第２動作）により前方部材の開口部内へ向けて張り出させて、相対変位部材を遊技者が視認可能な領域を拡大させるという演出を行うことができる。よって、登場時の運動形態（回転運動）とは異なる運動形態（直線運動）により相対変位部材の視認面積を拡大させることができ、運動形態の変化による意外性と、直線運動により視認面積が拡大されることによるスピード感と、これらが組み合わされつつ連続して行われることによる複合動作の一体感とを遊技者に感じさせることができる。その結果、相対変位部材が単に直線運動のみにより前方部材の開口部に対して出没する形態（退避位置と張出位置とを往復する形態）では奏し得ない演出効果を得ることができる。
【０３２３】
遊技機Ａ４において、前記駆動手段の駆動力を前記変位部材へ伝達する伝達手段を備え、前記伝達手段は、前記退避位置に配設された前記変位部材と正面視において重なる位置に配設されることを特徴とする遊技機Ａ５。
【０３２４】
遊技機Ａ５によれば、遊技機Ａ４の奏する効果に加え、駆動手段の駆動力を変位部材へ伝達する伝達手段を備え、その伝達手段は、退避位置に配設された変位部材と正面視において重なる位置に配設されるので、退避位置に配設された変位部材の背面側に形成されるデッドスペースを、伝達手段の配設スペースとして有効に活用できる。
【０３２５】
遊技機Ａ５において、前記駆動手段、伝達手段および変位部材を保持する保持部材を備え、その保持部材の一面側に前記駆動手段および変位部材が配設されると共に、前記変位部材は、その長手方向の延長線上に前記駆動手段が位置する姿勢で、前記退避位置に配設されることを特徴とする遊技機Ａ６。
【０３２６】
遊技機Ａ６によれば、遊技機Ａ５の奏する効果に加え、保持部材の一面側に駆動手段および変位部材が配設されるので、例えば、保持部材を挟んでその一面側および他面側に駆動手段および変位部材がそれぞれ配設される場合と比較して、保持部材の一面側および他面側を結ぶ方向における寸法の小型化を図ることができる。更に、変位部材は、その長手方向の延長線上に駆動手段が位置する姿勢で退避位置に配設されるので、これら変位部材および駆動手段を直線状に配置できる。よって、退避位置として必要とされるスペースを効率的に抑制できる。
【０３２７】
遊技機Ａ１からＡ６のいずれかにおいて、前記駆動手段の駆動力を前記変位部材へ伝達する伝達手段と、その伝達手段を保持する保持部材と、を備え、前記伝達部材は、前記駆動手段の駆動力を受けて回転される回転部材と、その回転部材の回転中心から偏心した位置に一側位置および他側位置の間の所定位置が軸支されると共に前記一側位置が前記保持部材に回転可能に軸支され前記他側位置が前記変位部材の相対変位部材に接続されるリンク部材と、を備え、前記回転部材が第１回転位置と中間回転位置との間で回転されると、前記リンク部材の変位に伴い前記変位部材の相対変位部材を介して前記基側変位部材が回転されることで、前記第１動作が実行され、前記回転部材が中間回転位置と第２回転位置との間で回転されると、前記リンク部材の変位に伴い前記変位部材の相対変位部材が前記基側変位部材に対して変位され、前記第２動作が実行されることを特徴とする遊技機Ａ７。
【０３２８】
遊技機Ａ７によれば、リンク部材は、回転部材の回転中心から偏心した位置に一側位置および他側位置の間の所定位置を軸支させると共に、一側位置を保持部材に回転可能に軸支させ他側位置を変位部材の相対変位部材に接続させるので、回転部材を駆動手段の駆動力により回転させることで、その回転部材の回転を、リンク部材を介して変位部材の相対変位部材に伝達することができる。この場合、回転部材を第１回転位置と中間回転位置との間で回転させると、リンク部材の変位に伴い変位部材の相対変位部材を介して基側変位部材を回転させることができ、第１動作を実行できる。一方、回転部材を中間回転位置と第２回転位置との間で回転させると、リンク部材の変位に伴い変位部材の相対変位部材を基側変位部材に対して変位させることができ、第２動作を実行できる。即ち、遊技機Ａ６によれば、遊技機Ａ１からＡ６のいずれかの奏する効果に加え、第１動作および第２動作の異なる２の動作を１の駆動手段により行うことができるので、部品コストを削減して、その分、製品コストを削減できる。
【０３２９】
また、伝達手段は、リンク部材の一側位置に歯車を設け、その歯車に回転部材の外周に設けた歯車を歯合させて、リンク部材を変位させる構造も考えられるが、かかる構造では、回転部材およびリンク部材の配設に必要なスペースが嵩む。これに対し、遊技機Ａ６では、リンク部材の一側位置および他側位置の間の所定位置を回転部材に軸支させるので、回転部材とリンク部材とを正面視において重なる状態で配設でき、その重なりの分、回転部材およびリンク部材の配設に必要なスペースを抑制できる。
【０３３０】
更に、伝達部材を介して、相対変位部材と保持部材とが連結されるので、相対変位部材の揺れを、保持部材の剛性を利用して、抑制することができる。
【０３３１】
遊技機Ａ１からＡ７のいずれかにおいて、前記第１動作により前記変位部材の基側変位部材が回転される際の前記変位部材の変位軌跡と少なくとも一部が正面視において重なる位置に配設される装飾部材を備えることを特徴とする遊技機Ａ８。
【０３３２】
遊技機Ａ８によれば、遊技機Ａ１からＡ７のいずれかの奏する効果に加え、第１動作により変位部材の基側変位部材が回転される際には正面視において変位部材と装飾部材とを少なくとも一部で交差させることができ、演出効果を高めることができる。
【０３３３】
遊技機Ａ８において、前記変位部材は、前記基側変位部材の長手方向一側が前記第１動作における回転中心とされると共に、前記相対変位部材が前記基側変位部材の正面側において互いの長手方向を沿わせつつスライド変位可能に配設され、前記第２動作は、前記相対変位部材を前記基側変位部材に対して前記基準位置および張出位置の間でスライド変位させ、前記装飾部材は、前記第１動作により前記基側変位部材が回転される際の前記変位部材の回転先端側における変位軌跡と少なくとも一部が正面視において重なる位置に配設されると共に、前記第１動作により前記基側変位部材が前記回転位置に配置されると前記変位部材との正面視における重なりが非形成とされ、前記相対変位部材は、前記回転先端側よりも回転中心側が正面側に位置する形状とされることを特徴とする遊技機Ａ９。
【０３３４】
遊技機Ａ９によれば、遊技機Ａ８の奏する効果に加え、基側変位部材の正面側に配設される相対変位部材は、回転先端側よりも回転中心側が正面側に位置する形状、即ち、回転先端側が背面側に奥まって位置する形状とされるので、第１動作により基側変位部材が回転される際には、相対変位部材と装飾部材とが接触することを抑制できる。この場合、変位部材は、基側変位部材の長手方向一側が第１動作における回転中心とされるため、自由端となる回転先端側が第１動作の最中に前後に揺れやすく、装飾部材と接触するおそれが生じやすい。そのため、遊技機Ａ９の構成が特に有効となる。
【０３３５】
一方、第２動作により相対変位部材を基準位置から張出位置にスライド変位させる際には、基側変位部材の正面側に配設される相対変位部材が、回転先端側よりも回転中心側が正面側に位置する形状とされることで、その分、相対変位部材をより前方（遊技者に近い側）に配置して、迫力を高めることができる。
【０３３６】
なお、遊技機Ａ９において、相対変位部材の回転先端側よりも相対変位部材の回転中心側が正面側に位置する形状とは、回転先端側から回転中心側までの間の形状は任意であり、例えば、階段状に変化するものであっても良く、或いは、直線状または曲線状に連続して漸次変化するものであっても良い。
【０３３７】
遊技機Ａ６からＡ９のいずれかにおいて、前記基側変位部材または相対変位部材の一方に設けられるピン部材と、前記基側変位部材または相対変位部材の他方に設けられ前記ピン部材をスライド変位可能に受け入れて前記基側変位部材に対する相対変位部材のスライド変位を可能とするスライド溝とを備え、前記リンク部材の他側位置が前記相対変位部材に接続される位置が、前記ピン部材よりも前記相対変位部材のスライド方向先端側であることを特徴とする遊技機Ａ１０。
【０３３８】
遊技機Ａ１０によれば、遊技機Ａ６からＡ９のいずれかの奏する効果に加え、リンク部材の他側位置が相対変位部材に接続される位置が、ピン部材よりも相対変位部材のスライド方向先端側であるので、相対変位部材がリンク部材を介して保持部材に支持される箇所を、相対変位部材のスライド方向先端側に近づけることができる。換言すると、相対変位部材がリンク部材を介して保持部材に支持される箇所を、基側変位部材が保持部材に軸支される箇所から遠ざけることができる。その結果、相対変位部材が前後方向に揺れることを抑制しやすくできる。
＜複合動作ユニット５００を一例とする発明の概念について＞
駆動力を発生する駆動手段と、その駆動手段が発生する駆動力により駆動されて変位される被駆動部材と、その被駆動部材を変位可能に保持する保持部材と、を備えた遊技機において、前記被駆動部材に変位可能に接続される従動部材と、その従動部材の前記保持部材に対する変位を規定する変位規定手段と、を備え、前記変位規定手段により前記従動部材の前記保持部材に対する変位が規定されることで、前記駆動手段の駆動力により前記被駆動部材が変位される際に、前記従動部材が前記被駆動部材に対して相対変位されることを特徴とする遊技機Ｂ１。
【０３３９】
ここで、パチンコ機等の遊技機において、ここで、パチンコ機等の遊技機において、駆動手段からの駆動力により、例えば、液晶表示装置の前面となる張出位置とその張出位置から液晶表示装置の表示領域外となる方向へ退避される退避位置との間で変位部材を変位させることで演出を行う遊技機が知られている（特開２０１１−２００７９０号公報（例えば、段落００９５、図１１から図１５参照））。この遊技機によれば、駆動手段の出力方向を切り替える、或いは、出力を断続的とすることで、変位部材の変位の態様に変化を付与する。しかしながら、上述した従来の遊技機では、駆動手段の出力を変化させる構成であるため、制御が複雑化するという問題点を有する一方で、変位部材は、駆動手段の出力の変化に応じて、変位速度が変化されるのみであり、変位方向は一定のままであるため、変位の態様に十分な変化が付与されないという問題点があった。遊技機Ｂ１は、上記例示した問題点を解決するためになされたものであり、駆動手段の出力を一定としつつ、変位部材の変位の態様に変化を付与できる遊技機を提供することを目的とする。
【０３４０】
即ち、遊技機Ｂ１によれば、駆動手段の駆動力により駆動されて被駆動部材が変位されると、変位規定手段により従動部材の保持部材に対する変位が規定されることで、被駆動部材の変位に伴って、その被駆動部材に対して従動部材を相対変位させつつ従動させることができる。即ち、被駆動部材が例えば直線状や円弧状の一定の軌道を変位される場合でも、その被駆動部材とは異なる軌道で従動部材を変位させることができる。また、かかる変位の態様の変化は、被駆動部材に対して従動部材が相対変位することで形成されるので、被駆動部材を一定の速度で変位させたとしても、その被駆動部材とは異なる軌道で従動部材を変位させることができる。よって、駆動手段の出力を一定としつつ、従動部材の変位の態様に変化を付与できる。
【０３４１】
遊技機Ｂ１において、前記変位規定手段は、前記従動部材または保持部材の一方に溝状に形成される第１溝部と、その第１溝部に沿って案内されると共に前記従動部材または保持部材の他方に形成される第１被案内部と、を備えることを特徴とする遊技機Ｂ２。
【０３４２】
遊技機Ｂ２によれば、遊技機Ｂ１の奏する効果に加え、変位規定手段が第１溝部および第１被案内部を備え、第１溝部に沿って第１被案内部が案内されることで、従動部材の保持部材に対する変位を規定できる。よって、駆動手段の駆動力により駆動されて被駆動部材が変位されることで、第１溝部の輪郭（形状）に応じて、被駆動部材に対する従動部材の相対変位を形成できる。即ち、第１溝部の輪郭（形状）を設定することで、被駆動部材に対する従動部材の相対変位の態様を任意に設定できる。このように、溝状の部位（第１溝部）とその部位に案内される部位（第１被案内部）とにより変位規定手段を構成するので、構造を簡素化して、製品コストの削減を図ると共に、可動部分としての信頼性および耐久性の向上を図ることができる。
【０３４３】
遊技機Ｂ１又はＢ２において、前記従動部材は、前記被駆動部材に少なくとも回転可能な状態で接続されることを特徴とする遊技機Ｂ３。
【０３４４】
遊技機Ｂ３によれば、遊技機Ｂ１又はＢ２において、従動部材は、被駆動部材に少なくとも回転可能な状態で接続されるので、被駆動部材の変位に伴って従動部材を相対変位させる際には、被駆動部材に対する従動部材の相対的な角度を変化させることができ、変位の態様の変化として強い印象の変化を遊技者に認識させることができる。
【０３４５】
遊技機Ｂ３において、前記従動部材は、前記被駆動部材に回転可能かつスライド変位可能な状態で接続されることを特徴とする遊技機Ｂ４。
【０３４６】
遊技機Ｂ４によれば、遊技機Ｂ３の奏する効果に加え、従動部材は、被駆動部材に回転可能かつスライド変位可能な状態で接続されるので、被駆動部材の変位に伴って従動部材を相対変位させる際には、被駆動部材に対する従動部材の相対的な角度を回転により変化させることができるだけでなく、スライド変位により両者の相対位置を変化させることも同時に行うことができ、変位の態様に付与できる変化のバリエーションを増やすことができる。
【０３４７】
遊技機Ｂ４において、前記変位規定手段は、前記従動部材または保持部材の一方に溝状に形成される第２溝部と、その第２溝部に沿って案内されると共に前記従動部材または保持部材の他方に形成される第２被案内部と、を備えることを特徴とする遊技機Ｂ５。
【０３４８】
遊技機Ｂ５によれば、遊技機Ｂ４の奏する効果に加え、変位規定手段が第２溝部および第２被案内部を備え、第２溝部に沿って第２被案内部が案内されることで、従動部材の保持部材に対する変位を規定できる。よって、駆動手段の駆動力により被駆動部材が変位されることで、第２溝部の輪郭（形状）に応じて、被駆動部材に対する従動部材の相対変位を形成できる。即ち、第２溝部の輪郭（形状）を設定することで、被駆動部材に対する従動部材の相対変位の態様を任意に設定できる。特に、従動部材が被駆動部材に回転可能かつスライド変位可能に接続される場合に、第１溝部および第１被案内部の組み合わせによる案内構造と、第２溝部および第２被案内部の組み合わせによる案内構造との両者を設けることで、変位の態様に付与できる変化のバリエーションを増やすことができるだけでなく、被駆動部材に対する従動部材の変位可能方向が多方向となる場合でも、かかる変位を２つの案内構造によって案内できるので、変位が不安定となることを抑制して、可動部材としての信頼性の向上を図ることができる。
【０３４９】
なお、遊技機Ｂ５においても、上述した場合と同様に、溝状の部位（第２溝部）とその部位に案内される部位（第２被案内部）とにより変位規定手段を構成するので、構造を簡素化して、製品コストの削減を図ると共に、可動部材としての信頼性および耐久性の向上を図ることができる。
【０３５０】
遊技機Ｂ５において、前記第２溝部が前記保持部材に形成されると共に、前記第２被案内部が従動部材に形成され、前記被駆動部材は、前記第２被案内部が回転可能かつスライド変位可能な状態で挿通される溝状の接続溝部を備え、前記接続溝部に前記第２被案内部が挿通されることで、前記従動部材が前記被駆動部材に回転可能かつスライド変位可能な状態で接続されることを特徴とする遊技機Ｂ６。
【０３５１】
遊技機Ｂ６によれば、遊技機Ｂ５の奏する効果に加え、第２溝部が保持部材に形成されると共に、第２被案内部が従動部材に形成され、第２被案内部が被駆動部材の接続溝部に挿通されることで、従動部材が被駆動部材に回転可能かつスライド変位可能な状態で接続されるので、第２被案内部に、第２溝部に案内されることで従動部材の保持部材に対する変位を規定する役割と、接続溝部に挿通されることで従動部材を被駆動部材に相対変位可能に接続する役割との両者を兼用させることができる。これにより、部品点数を削減して、製品コストの削減を図ることができると共に、構造を簡素化して、可動部材としての信頼性と耐久性の向上を図ることができる。
【０３５２】
遊技機Ｂ６において、前記保持部材は、少なくとも前記第２溝部の形成される部分が、前記被駆動部材と従動部材との間に介設され、前記従動部材は、前記保持部材の前記第２溝部の周縁に当接される当接部を備えると共に、その当接部が、前記第２被案内部に同心の円形に形成されることを特徴とする遊技機Ｂ７。
【０３５３】
遊技機Ｂ７によれば、遊技機Ｂ６の奏する効果に加え、従動部材は、保持部材の第２溝部の周縁に当接される当接部を備え、その当接部が、第２被案内部に同心の円形に形成されるので、従動部材が保持部材（第２溝部）に対して回転される場合でも、それら当接部と保持部（第２溝部の周縁）との間の当接面積を一定として、支持反力が変化することを抑制できる。その結果、従動部材を安定した状態で変位させることができる。
【０３５４】
遊技機Ｂ１からＢ７のいずれかにおいて、前記保持部材は、前記駆動手段の駆動力により前記被駆動部材が変位可能であって、かつ、その被駆動部材の変位に伴って前記従動部材が変位可能となる状態で、前記駆動手段、被駆動部材および従動部材を保持可能に形成されることを特徴とする遊技機Ｂ８。
【０３５５】
遊技機Ｂ８によれば、遊技機Ｂ１からＢ７のいずれかの奏する効果に加え、保持部材は、駆動手段の駆動力により被駆動部材が変位可能であって、かつ、その被駆動部材の変位に伴って従動部材が変位可能となる状態で、駆動手段、被駆動部材および従動部材を保持可能に形成されるので、これら駆動手段、被駆動部材および従動部材が保持部材に保持された１の装置としてユニット化できる。これにより、ユニット自体を組み立てる際の製造コストやそのユニットを遊技機本体へ組み付けて遊技機を組み立てる際の製造コストの削減を図ることができる。
【０３５６】
遊技機Ｂ８において、前記第１溝部が前記保持部材に形成されると共に、前記第１被案内部が従動部材に形成されることを特徴とする遊技機Ｂ９。
【０３５７】
遊技機Ｂ９によれば、遊技機Ｂ８の奏する効果に加え、第１溝部が保持部材に形成されると共に、第１被案内部が従動部材に形成されるので、第１溝部を形成するためのスペースを確保しやすくできる。即ち、駆動手段、被駆動部材および従動部材を保持してユニット化するために比較的大きな外形に形成せざる得ない保持部材のデッドスペースを利用して、第１溝部を形成するためのスペースを確保できる。これにより、第１溝部の輪郭（形状）や延設長さの自由度を増加させ、その分、変位の態様に付与できる変化のバリエーションを増やすことができる。
【０３５８】
遊技機Ｂ９において、前記変位規定手段は、前記保持部材に溝状に形成される第２溝部と、その第２溝部に沿って案内されると共に前記従動部材に形成される第２被案内部と、を備え、前記保持部材は、前記被駆動部材を挟んで対向する第１対向部および第２対向部を備え、前記第１対向部または第２対向部の一方に前記第１溝部が形成されると共に、前記第１対向部または第２対向部の他方に前記第２溝部が形成されることを特徴とする遊技機Ｂ１０。
【０３５９】
遊技機Ｂ１０によれば、遊技機Ｂ９の奏する効果に加え、被駆動部材を挟んで対向する保持部材の第１対向部および第２対向部のうちの一方に第１溝部が形成されると共に他方に第２溝部が形成されるので、これら第１溝部および第２溝部を相手の形成位置を考慮することなく形成することができる。即ち、第１対向部および第２対向部のうちの一方に第１溝部および第２溝部の両者を形成する場合には、これら第１溝部および第２溝部を交差しないように形成する必要があり、自由度が制限される。これに対し、遊技機Ｂ１０によれば、第１溝部および第２溝部の両者において、その輪郭（形状）や延設長さを相手との位置関係を考慮することなく設定することができるので、その自由度を増加させ、その分、変位の態様に付与できる変化のバリエーションを増やすことができる。
【０３６０】
遊技機Ｂ５からＢ７のいずれかにおいて、前記第１溝および第２溝の少なくとも一方は、始端または終端における半径が基準値よりも大きくされることを特徴とする遊技機Ｂ１１。
【０３６１】
遊技機Ｂ１１によれば、遊技機Ｂ５からＢ７のいずれかの奏する効果に加え、停止状態にある被駆動部材の駆動手段による駆動を開始する初期段階において、負荷を低減して、その駆動をスムーズに開始させることができる。
【０３６２】
遊技機Ｂ５からＢ７のいずれかにおいて、前記従動部材を視認不能に遮蔽する遮蔽部材を備え、記第１溝および第２溝の少なくとも一方は、前記従動部材の一部が前記遮蔽部材の領域外に露出され始めてから従動部材の全体が前記遮蔽部材の領域外に露出されるまでの間に対応する領域における半径が基準値よりも小さくされることを特徴とする遊技機Ｂ１２。
【０３６３】
遊技機Ｂ１２によれば、遊技機Ｂ５からＢ７のいずれかの奏する効果に加え、遮蔽部材に従動部材の一部が遮蔽されている範囲において、従動部材の動きを速くできるので、遮蔽部材から従動部材が突然現れる演出や従動部材が遮蔽部材に素早く隠れる演出を行うことができる。
＜回転動作ユニット６００を一例とする発明の概念について＞
保持部材と、その保持部材に回転可能に配設される第１回転体および第２回転体と、それら第１回転体および第２回転体に回転駆動力を付与する駆動手段と、を備えた遊技機において、前記第２回転体が、円環状に形成されると共に、前記第１回転体に対して同心に外嵌されることを特徴とする遊技機Ｃ１。
【０３６４】
ここで、パチンコ機等の遊技機において、複数の回転体を回転させることで演出を行うものがある（特開２０１１−３０８４７号公報（例えば、段落０１６２、図４２から図４６参照））。この遊技機によれば、左右に離れて配置される複数の回転体をそれぞれ同一方向へ同期して回転させ、演出に統一感を持たせる。しかしながら、上述した従来の遊技機では、複数の回転体が左右に離れて配置されるため、互いの回転を関連付けて遊技者に認識させることが困難であり、複数の回転体を回転させることによる演出の効果を十分に発揮させることができないという問題点があった。遊技機Ｃ１は、上記例示した問題点を解決するためになされたものであり、複数の回転体の回転を互いに関連付けて遊技者に認識させやすくして、複数の回転体を回転させることによる演出の効果を十分に発揮させることができる遊技機を提供することを目的とする。
【０３６５】
即ち、遊技機Ｃ１によれば、第２回転体が、円環状に形成されると共に、第１回転体に対して同心に外嵌されるので、これら第１回転体と第２回転体とを同心に回転させることができる。これにより、第１回転体の回転と第２回転体の回転とを関連付けて遊技者に認識させやすくでき、その結果、複数の回転体をそれぞれ回転させることによる演出の効果を十分に発揮させることができる。
【０３６６】
遊技機Ｃ１において、前記第１回転体が筒状に形成されることを特徴とする遊技機Ｃ２。
【０３６７】
遊技機Ｃ２によれば、遊技機Ｃ１の奏する効果に加え、第１回転体が筒状に形成されるので、第１回転体の内周側に演出部材などを配設することができる。これにより、演出部材の周囲を取り囲む第１回転体と、更にその第１回転体の周囲を取り囲む第２回転体とを、演出部材を中心として、それぞれ回転させるという演出を行うことができる。その結果、複数の回転体をそれぞれ回転させるという演出をより効果的に行うことができる。
【０３６８】
遊技機Ｃ１又はＣ２において、前記第１回転体は、前記保持部材に挿通される本体部と、その本体部の軸方向一側において外方へフランジ状に張り出す一側フランジ部と、その一側フランジ部とは反対側となる軸方向他側において外方へ張り出すと共に前記保持部材を挟んで前記一側フランジ部と対向される他側フランジ部と、を備え、前記第２回転体は、前記第１回転体の本体部に外嵌され、前記第１回転体の一側フランジ部と保持部材との間に配設されることを特徴とする遊技機Ｃ３。
【０３６９】
遊技機Ｃ３によれば、遊技機Ｃ１又はＣ２の奏する効果に加え、第１回転体が、保持部材に挿通される本体部と、その本体部の軸方向一側および他側にそれぞれ形成され保持部材を挟んで対向する一側フランジ部および他側フランジ部と、を備え、第２回転体が、第１回転体の本体部に外嵌され、第１回転体の一側フランジ部と保持部材との間に配設されるので、保持部材による第１回転体および第２回転体の保持構造を簡素化することができる。
【０３７０】
即ち、上記構成によれば、第１回転体の本体部が保持部材に挿通されるので、第１回転体を保持部材によって回転可能に保持できる。また、第１回転体の他側フランジ部が保持部材に当接されることで、第１回転体の軸方向一方への変位を規制でき、第１回転体の一側フランジ部が第２回転体に当接され、その第２回転体が保持部材に当接されることで、第１回転体の軸方向他方への変位を規制できる。
【０３７１】
更に、第２回転体が第１回転体の本体部に外嵌されるので、第１回転体の本体部を介して、第２回転体を保持部材に回転可能に保持できる。また、第２回転体が第１回転体の一側フランジ部に当接され、その第１回転体の他側フランジ部が保持部材に当接されることで、第２回転体の軸方向一方への変位を規制でき、第２回転体が保持部材に当接されることで、第２回転体の軸方向他方への変位を規制できる。
【０３７２】
遊技機Ｃ３において、前記保持部材に配設されると共に前記駆動手段の回転駆動力を前記第１回転体および第２回転体にそれぞれ伝達する第１歯車および第２歯車を備え、前記第１回転体および第２回転体には、前記第１歯車および第２歯車が歯合される歯車がそれぞれ外周面に刻設されることを特徴とする遊技機Ｃ４。
【０３７３】
遊技機Ｃ４によれば、遊技機Ｃ３の奏する効果に加え、保持部材に配設されると共に駆動手段の回転駆動力を第１回転体および第２回転体にそれぞれ伝達する第１歯車および第２歯車を備え、第１回転体および第２回転体には、第１歯車および第２歯車が歯合される歯車がそれぞれ外周面に刻設されるので、これら第１歯車および第２歯車を介して駆動手段の回転駆動力を第１回転体および第２回転体へ伝達する構造を簡素化できる。特に、第１回転体の本体部を筒状に形成し、その本体部の内周側に演出部材などを配設する場合に、第１回転体および第２回転体の外周面に第１歯車および第２歯車に歯合させる構造が有効となる。
【０３７４】
遊技機Ｃ４において、前記保持部材の一側に前記第２歯車が配設されると共に前記保持部材の前記一側と反対側となる他側に前記第１歯車が配設され、前記第１歯車が前記第１回転体の他側フランジ部の外周面に刻設された歯車に歯合されると共に、前記第２歯車が前記第２回転体の外周面に刻設された歯車に歯合されることを特徴とする遊技機Ｃ５。
【０３７５】
遊技機Ｃ５によれば、遊技機Ｃ４の奏する効果に加え、保持部材の一側に第２歯車が配設されると共に保持部材の前記一側と反対側となる他側に第１歯車が配設され、第１歯車が第１回転体の他側フランジ部の外周面に刻設された歯車に歯合されると共に、第２歯車が第２回転体の外周面に刻設された歯車に歯合されるので、例えば、保持部材の一側において第１歯車および第２歯車の両者を第１回転体および第２回転体にそれぞれ歯合させる場合と比較して、第１歯車および第２歯車を介して駆動手段の回転駆動力を第１回転体および第２回転体へ伝達する構造を簡素化できる。
【０３７６】
また、第１歯車とその第１歯車が歯合される第１回転体の他側フランジ部とが、第１回転体の一側フランジ部および本体部と第２回転体とが配設される保持部材の一側と反対側となる他側に配設されることで、保持部材の一側を正面視する遊技者に対して、第１歯車と第１回転体の他側フランジ部とを保持部材により遮蔽することができる。即ち、第１歯車と第１回転体の他側フランジ部とを視認不能に遮蔽する構造を、保持部材を利用して簡素化することができる。
【０３７７】
遊技機Ｃ４又はＣ５のいずれかにおいて、前記駆動手段の回転駆動力を前記第１歯車へ伝達する第１伝達手段と、前記駆動手段の回転駆動力を前記第２歯車へ伝達する第２伝達手段とを備えることを特徴とする遊技機Ｃ６。
【０３７８】
遊技機Ｃ６によれば、遊技機Ｃ４又はＣ５の奏する効果に加え、駆動手段の回転駆動力を第１歯車および第２歯車へそれぞれ伝達する第１伝達手段および第２伝達手段を備えるので、第１回転体および第２回転体を１の駆動手段によって回転させることができる。この場合、駆動手段の回転駆動力を、第１歯車へは第１伝達手段により、第２歯車へは第２伝達手段により、それぞれ別の伝達経路によって伝達することができる。よって、それぞれの伝達経路ごとに、例えば、歯車の個数や減速比を設定することで、１の駆動手段により２の回転体を回転させる場合であっても、それら２の回転体（第１回転体および第２回転体）の回転態様を異ならせることができる。その結果、複数の回転体をそれぞれ回転させるという演出をより効果的に行うことができる。
【０３７９】
遊技機Ｃ４からＣ６のいずれかにおいて、前記保持部材は、筒状に形成されると共に前記一側へ突出される筒状部を備え、その保持部材の筒状部の内周側に前記第１回転体の本体部が、前記保持部材の筒状部の外周側に前記第２回転体が、それぞれ回転可能に配設されることを特徴とする遊技機Ｃ７。
【０３８０】
遊技機Ｃ７によれば、遊技機Ｃ４からＣ６のいずれかの奏する効果に加え、保持部材が、筒状に形成されると共に一側へ突出される筒状部を備え、その保持部材の筒状部の内周側に第１回転体の本体部が、保持部材の筒状部の外周側に第２回転体が、それぞれ回転可能に配設されるので、第２回転体を、保持部材の筒状部を介して第１回転体の本体部に外嵌させることができる。即ち、第１回転体のみでなく、第２回転体も保持部材に保持させることができる。これにより、第１回転体および第２回転体の配設位置を、それぞれ保持部材を基準として規定できるので、第１回転体および第２回転体のそれぞれの外周面に刻設された歯車と、保持部材に配設される第１歯車および第２歯車との間の位置関係を、保持部材を基準として規定できる。よって、第１回転体および第２回転体のそれぞれの外周面に刻設された歯車と第１歯車および第２歯車との歯合を安定化させることができる。その結果、歯車の偏摩耗を抑制できると共に駆動抵抗の抑制を図ることができる。
【０３８１】
遊技機Ｃ７において、前記第１回転体は、前記本体部の外周面から突出され前記本体部の軸方向に延設されると共に周方向に所定間隔を隔てて点在される複数の突出部を備えることを特徴とする遊技機Ｃ８。
【０３８２】
遊技機Ｃ８によれば、遊技機Ｃ７の奏する効果に加え、第１回転体の本体部が、本体部の外周面から突出され本体部の軸方向に延設されると共に周方向に所定間隔を隔てて点在される複数の突出部を備えるので、第１回転体の本体部と保持部材の筒状部との間の接触領域を突出部に限定して、第１回転体の本体部を保持部材の筒状部の内周側でスムーズに回転させることができる。
【０３８３】
なお、突出部は、本体部の軸方向に直交する平面で切断した断面の形状が外方へ凸となる円弧状に湾曲されることを好ましい。保持部材の筒状部の内周面との間の接触面積を抑制して、第１回転体の本体部を保持部材の筒状部の内周側で、よりスムーズに回転させることができるからである。
【０３８４】
遊技機Ｃ８において、前記第１回転体の本体部は、筒状に形成され、前記第１回転体は、前記本体部の内周面から突出され前記本体部の軸方向に延設されると共に前記突出部と同位相となる位置に配設される複数の内側突出部を備えることを特徴とする遊技機Ｃ９。
【０３８５】
遊技機Ｃ９によれば、遊技機Ｃ８の奏する効果に加え、第１回転体の本体部が筒状に形成され、第１回転体が、本体部の内周面から突出され本体部の軸方向に延設されると共に突出部と同位相となる位置（即ち、突出部が形成される領域の裏面側）に配設される複数の内側突出部を備えるので、第１回転体の本体部を樹脂金型により成形する際には、その第１回転体の本体部の形状を、外周面側および内周面側において均一化（対称形状化）して、その成形性を確保することができる。
【０３８６】
遊技機Ｃ９において、前記第１回転体は、前記本体部が軸方向に分割されると共に、それら分割された部分どうしがねじにより締結固定され、前記ねじが前記突出部に対応する位置に締結されることを特徴とする遊技機Ｃ１０。
【０３８７】
遊技機Ｃ１０によれば、遊技機Ｃ９の奏する効果に加え、第１回転体は、本体部が軸方向に分割されると共に、それら分割された部分どうしがねじにより締結固定され、ねじが突出部に対応する位置に締結される、即ち、ねじを締結するためのねじ締結部を突出部が兼ねるので、ねじ締結部の強度を確保できる。
【０３８８】
遊技機Ｃ１からＣ１０のいずれかにおいて、前記保持部材の一側であって、正面視において前記第１回転体または第２回転体の少なくとも一方の回転軌跡に重なる位置に配設され発光可能に形成される発光手段を備えることを特徴とする遊技機Ｃ１１。
【０３８９】
遊技機Ｃ１１によれば、遊技機Ｃ１からＣ１０のいずれかにおいて、保持部材の一側であって、正面視において第１回転体または第２回転体の少なくとも一方の回転軌跡に重なる位置に配設される発光手段を備えるので、第１回転体と第２回転体とを同心に回転させる際に、それら第１回転体または第２回転体の少なくとも一方の回転軌跡上で発光手段による発光を遊技者に視認させることができる。即ち、発光手段による発光と重なる位置において、第１回転体および第２回転体をそれぞれ回転させるという演出を行うことができ、その結果、複数の回転体をそれぞれ回転させるという演出をより効果的に行うことができる。
【０３９０】
遊技機Ｃ１１において、前記第１回転体または第２回転体の少なくとも一方には、回転軌跡が正面視において前記発光手段に重なる領域に、前記発光手段が視認可能に形成される第１部分と前記発光手段が視認不能に形成される第２部分とが周方向交互に配設されることを特徴とする遊技機Ｃ１２。
【０３９１】
遊技機Ｃ１２によれば、遊技機Ｃ１１の奏する効果に加え、第１回転体または第２回転体の少なくとも一方には、回転軌跡が正面視において発光手段に重なる領域に、発光手段が視認可能に形成される第１部分と発光手段が視認不能に形成される第２部分とが周方向交互に配設されるので、第１回転体および第２回転体が回転される際には、第１部分および第２部分が発光手段の前方を交互に通過することで、発光手段の発光を遊技者に断続的に視認させることができる。即ち、第１回転体および第２回転体をそれぞれ回転させつつ、その回転に発光手段の断続的な発光を関連づけるという演出を行うことができ、その結果、複数の回転体をそれぞれ回転させるという演出をより効果的に行うことができる。
【０３９２】
遊技機Ａ１からＡ８，Ｂ１からＢ１０，Ｃ１からＣ１２のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３９３】
遊技機Ａ１からＡ８，Ｂ１からＢ１０，Ｃ１からＣ１２のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３９４】
遊技機Ａ１からＡ８，Ｂ１からＢ１０，Ｃ１からＣ１２のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０３９５】
１０              パチンコ機（遊技機）
６０              ベース板（前方部材）
８６              センターフレーム（前方部材）
４１０            ケース体（保持部材）
４２０            駆動モータ（駆動手段）
４３１            ピニオンギヤ（伝達手段の一部）
４３２            中間ギヤ（伝達手段の一部）
４３３            クランクギヤ（伝達手段の一部、回転部材）
４４０            基側変位部材（変位部材の一部）
４４４            第２スライド孔（スライド溝）
４５０            相対変位部材（変位部材の一部）
４５３            スライドピン（ピン部材）
４６０            連結ロッド（伝達手段の一部、リンク部材）
４８０            装飾部材
５１０            正面ケース体（保持部材の一部、遮蔽部材）
５１３            第１案内溝（第１溝部、変位規定手段の一部）
５２３            第２案内溝（第２溝部、変位規定手段の一部）
５２０            背面ケース体（保持部材の一部、遮蔽部材）
５３０            駆動モータ（駆動手段）
５５０            被駆動部材
５５２ａ          接続溝（接続溝部、変位規定手段の一部）
５６０            従動部材（変位部材）
５６１ａ          第１ピン（第１被案内部、変位規定手段の一部）
５６１ｂ          接続軸（第２被案内部、変位規定手段の一部）
５６３ａ          当接面（当接部）
６１０            正面ケース体（保持部材の一部）
６１２            筒状部
６２０            背面ケース体（保持部材の一部）
６３０            駆動モータ（駆動手段）
６３１            ピニオンギヤ（第１伝達手段の一部、第２伝達手段の一部）
６４１            第１収納ギヤ（第１伝達手段の一部、第２伝達手段の一部）
６４２            第２収納ギヤ（第１歯車）
６４３            第３収納ギヤ（第２伝達手段の一部）
６４４            第４収納ギヤ（第２伝達手段の一部）
６４５            第５収納ギヤ（第２伝達手段の一部）
６４６            正面ギヤ（第２歯車）
６５０            第１回転体
６５１            本体部
６５１ａ          第１突出部（突出部の一部、内側突出部）
６５１ｂ          第２突出部（突出部の一部、内側突出部）
６５２            正面演出部（一側フランジ部、第１部分および第２部分）
６５３            収納フランジ部（他側フランジ部）
６５３ａ          第１外周ギヤ（第１回転体の外周面に刻設された歯車）
６６０            第２回転体
６６１ａ          第２外周ギヤ（第２回転体の外周面に刻設された歯車）
６７０            球体液晶装置（演出部材）
６８２            発光素子（発光手段）
【図１】
2020078715.tif 000003
【図２】
2020078715.tif 000004
【図３】
2020078715.tif 000005
【図４】
2020078715.tif 000006
【図５】
2020078715.tif 000007
【図６】
2020078715.tif 000008
【図７】
2020078715.tif 000009
【図８】
2020078715.tif 000010
【図９】
2020078715.tif 000011
【図１０】
2020078715.tif 000012
【図１１】
2020078715.tif 000013
【図１２】
2020078715.tif 000014
【図１３】
2020078715.tif 000015
【図１４】
2020078715.tif 000016
【図１５】
2020078715.tif 000017
【図１６】
2020078715.tif 000018
【図１７】
2020078715.tif 000019
【図１８】
2020078715.tif 000020
【図１９】
2020078715.tif 000021
【図２０】
2020078715.tif 000022
【図２１】
2020078715.tif 000023
【図２２】
2020078715.tif 000024
【図２３】
2020078715.tif 000025
【図２４】
2020078715.tif 000026
【図２５】
2020078715.tif 000027
【図２６】
2020078715.tif 000028
【図２７】
2020078715.tif 000029
【図２８】
2020078715.tif 000030
【図２９】
2020078715.tif 000031
【図３０】
2020078715.tif 000032
【図３１】
2020078715.tif 000033
【図３２】
2020078715.tif 000034
【図３３】
2020078715.tif 000035
【図３４】
2020078715.tif 000036
【図３５】
2020078715.tif 000037
【図３６】
2020078715.tif 000038
【図３７】
2020078715.tif 000039
【図３８】
2020078715.tif 000040
【図３９】
2020078715.tif 000041
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
駆動力を発生する駆動手段と、その駆動手段が発生する駆動力により駆動されて変位される被駆動部材と、その被駆動部材を変位可能に保持する保持手段と、を備えた遊技機において、
前記被駆動部材に変位可能に接続される従動部材と、その従動部材の前記保持手段に対する変位を規定する変位規定手段と、を備え、
前記変位規定手段により前記従動部材の前記保持手段に対する変位が規定されることで、前記駆動手段の駆動力により前記被駆動部材が変位される際に、前記従動部材が前記被駆動部材に対して相対変位され、
前記変位規定手段は、第１部材に溝状に形成される第１溝部と、前記従動部材の変位により前記第１溝部に沿って案内される第１被案内部と、第２部材に溝状に形成される第２溝部と、前記従動部材の変位により前記第２溝部に沿って案内される第２被案内部と、を備え、
前記保持手段は、前記第１部材と、前記第２部材と、を備えることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、駆動手段からの駆動力により、例えば、液晶表示装置の前面となる張出位置とその張出位置から液晶表示装置の表示領域外となる方向へ退避される退避位置との間で変位部材を変位させることで演出を行う遊技機が知られている（特許文献１）。この遊技機によれば、駆動手段の出力方向を切り替える、或いは、出力を断続的とすることで、変位部材の変位の態様に変化を付与する。
【先行技術文献】
【特許文献】
【０００３】
【特許文献１】特開２０１１−２００７９０号公報（例えば、段落００９５、図１１から図１５参照）
【発明の概要】
【発明が解決しようとする課題】
【０００４】
しかしながら、上述した従来の遊技機では、駆動手段の出力を変化させる構成であるため、制御が複雑化するという問題点を有する一方で、変位部材は、駆動手段の出力の変化に応じて、変位速度が変化されるのみであり、変位方向は一定のままであるため、変位の態様に十分な変化が付与されないという問題点があった。
【０００５】
本発明は、上記例示した問題点を解決するためになされたものであり、駆動手段の出力を一定としつつ、変位部材の変位の態様に変化を付与できる遊技機を提供することを目的とする。
【課題を解決するための手段】
【０００６】
この目的を達成するために請求項１記載の遊技機は、駆動力を発生する駆動手段と、その駆動手段が発生する駆動力により駆動されて変位される被駆動部材と、その被駆動部材を変位可能に保持する保持手段と、を備えるものであって、前記被駆動部材に変位可能に接続される従動部材と、その従動部材の前記保持手段に対する変位を規定する変位規定手段と、を備え、前記変位規定手段により前記従動部材の前記保持手段に対する変位が規定されることで、前記駆動手段の駆動力により前記被駆動部材が変位される際に、前記従動部材が前記被駆動部材に対して相対変位され、前記変位規定手段は、第１部材に溝状に形成される第１溝部と、前記従動部材の変位により前記第１溝部に沿って案内される第１被案内部と、第２部材に溝状に形成される第２溝部と、前記従動部材の変位により前記第２溝部に沿って案内される第２被案内部と、を備え、前記保持手段は、前記第１部材と、前記第２部材と、を備える。
【０００７】
【０００８】
【発明の効果】
【０００９】
請求項１記載の遊技機によれば、駆動手段の出力を一定としつつ、従動部材の変位の態様に変化を付与できる。
【００１０】
【００１１】
【００１２】
【００１３】
【図面の簡単な説明】
【００１４】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】ユニット収納部材の正面図である。
【図６】ユニット収納部材の正面図である。
【図７】基側変位部材および相対変位部材が退避位置に配置された状態における突出動作ユニットの正面斜視図である。
【図８】（ａ）は、突出動作ユニットの分解正面斜視図であり、（ｂ）は、連結ロッドの背面斜視図である。
【図９】正面視における伝達手段を模式的に図示した正面模式図である。
【図１０】正面視における伝達手段を模式的に図示した正面模式図である。
【図１１】基側変位部材および相対変位部材の分解背面斜視図である。
【図１２】基側変位部材および相対変位部材の背面斜視図である。
【図１３】突出動作ユニットの正面図である。
【図１４】突出動作ユニットの正面図である。
【図１５】突出動作ユニットの正面図である。
【図１６】突出動作ユニットの正面斜視図である。
【図１７】（ａ）は、図１６の矢印ＸＶＩＩａ方向視における突出動作ユニットの側面図であり、（ｂ）は、図１７（ａ）の部分ＸＶＩＩｂにおける突出動作ユニットの部分拡大側面図である。
【図１８】複合動作ユニットの正面斜視図である。
【図１９】複合動作ユニットの正面斜視図である。
【図２０】複合動作ユニットの分解正面斜視図である。
【図２１】複合動作ユニットの分解正面斜視図である。
【図２２】（ａ）は、被駆動部材および従動部材の正面図であり、（ｂ）は、図２２（ａ）の矢印ＸＸＩＩｂ方向視における被駆動部材および従動部材の側面図である。
【図２３】（ａ）は、被駆動部材の正面図であり、（ｂ）は、被駆動部材の背面部である。
【図２４】図２３（ａ）の矢印ＸＸＩＶ方向視における被駆動部材の側面図である。
【図２５】（ａ）は、従動部材の正面図であり、（ｂ）は、従動部材の背面部である。
【図２６】図２５（ａ）の矢印ＸＸＶＩ方向視における従動部材の側面図である。
【図２７】（ａ）は、第１案内溝との関係を示す被駆動部材および従動部材の正面模式図であり、（ｂ）は、第２案内溝との関係を示す被駆動部材および従動部材の正面模式図である。
【図２８】（ａ）は、第１案内溝との関係を示す被駆動部材および従動部材の正面模式図であり、（ｂ）は、第２案内溝との関係を示す被駆動部材および従動部材の正面模式図である。
【図２９】（ａ）は、第１案内溝との関係を示す被駆動部材および従動部材の正面模式図であり、（ｂ）は、第２案内溝との関係を示す被駆動部材および従動部材の正面模式図である。
【図３０】（ａ）は、第１案内溝との関係を示す被駆動部材および従動部材の正面模式図であり、（ｂ）は、第２案内溝との関係を示す被駆動部材および従動部材の正面模式図である。
【図３１】（ａ）は、第１案内溝との関係を示す被駆動部材および従動部材の正面模式図であり、（ｂ）は、第２案内溝との関係を示す被駆動部材および従動部材の正面模式図である。
【図３２】（ａ）は、第１案内溝との関係を示す被駆動部材および従動部材の正面模式図であり、（ｂ）は、第２案内溝との関係を示す被駆動部材および従動部材の正面模式図である。
【図３３】回転動作ユニットの正面斜視図である。
【図３４】回転動作ユニットの分解正面斜視図である。
【図３５】回転動作ユニットの分解背面斜視図である。
【図３６】回転動作ユニットの縦断面図である。
【図３７】（ａ）は、本体部の背面図であり、（ｂ）は、図３７（ａ）のＸＸＸＶＩＩ部分を拡大して示す本体部の部分拡大背面図である。
【図３８】回転動作ユニットの正面図である。
【図３９】（ａ）は、図３８（ａ）のＸＸＸＩＸａ−ＸＸＸＩＸａ線における回転動作ユニットの断面図であり、（ｂ）は、図３８（ｂ）のＸＸＸＩＸｂ−ＸＸＸＩＸｂ線における回転動作ユニット６００の断面図である。
【発明を実施するための形態】
【００１５】
以下、本発明の実施形態について、添付図面を参照して説明する。まず、図１から図３９を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１６】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１７】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１８】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００１９】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００２０】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２１】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００２２】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２５】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２６】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２７】
図２に示すように、遊技盤１３は、正面視略正方形状に切削加工したベース板６０に、球案内用の多数の釘（図示せず）や風車の他、レール６１，６２、一般入賞口６３、第１入賞口６４、第２入賞口６４０、可変入賞装置６５、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２８】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００２９】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００３０】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３１】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３２】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３３】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３４】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３５】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３６】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３７】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３８】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。
【００３９】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。また、後述する突出動作ユニット４００や複合動作ユニット５００が動作されると、それらの相対変位部材４５０や従動部材５６０の少なくとも一部がセンターフレーム８６の開口部内に張り出し、開口部を介して視認可能とされる。例えば、突出動作ユニット４００は、第１動作により回転位置に配置されると（図１４（ａ）参照）、相対変位部材４５０の先端部分がセンターフレーム８６の開口部を介して視認可能とされ、第２動作により張出位置に配置されると（図１５（ｂ）参照）、相対変位部材４５０の略全体がセンターフレーム８６の開口部を介して視認可能とされる。
【００４０】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４１】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４２】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００４３】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４４】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４５】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４６】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４７】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４８】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４９】
一方、第１入賞口６４の正面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００５０】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５１】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５２】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５３】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５４】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５５】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５６】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５７】
第１入賞口６４の上方右側には可変入賞装置６５が配設されており、その略中央部分に横長矩形状の特定入賞口（大開放口）６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５８】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５９】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６０】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の上方右側に限らず、例えば、可変表示装置ユニット８０の左方でも良い。
【００６１】
遊技盤１３の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６２】
遊技盤１３には、第１アウト口７１が設けられている。遊技領域を流下する球であって、いずれの入賞口６３，６４，６５ａ，６４０，にも入賞しなかった球は、第１アウト口７１を通って図示しない球排出路へと案内される。第１アウト口７１は、第１入賞口６４の下方に配設される。
【００６３】
遊技盤１３には、球の落下方向を適宜分散、調整等するために多数の釘が植設されているとともに、風車等の各種部材（役物）とが配設されている。
【００６４】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６５】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６６】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６７】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６８】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６９】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７０】
次に、図４を参照して、本パチンコ機１０の電気的構成について説明する。図４は、パチンコ機１０の電気的構成を示すブロック図である。
【００７１】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７２】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７３】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７４】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７５】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７６】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７７】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７８】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７９】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８０】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８１】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８２】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４２０，５３０，６３０が含まれる。
【００８３】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８４】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８５】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８６】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８７】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８８】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８９】
次いで、図５及び図６を参照して、ユニット収納部材３００について説明する。図５及び図６は、ユニット収納部材３００の正面図であり、図５では各動作ユニット４００〜８００が退避位置に配置された状態が、図６では突出動作ユニット４００及び複合動作ユニット５００が張出位置に配置された状態が、それぞれ図示される。
【００９０】
図５及び図６に示すように、ユニット収納部材３００は、正面視矩形の底壁板と、その底壁部の４辺の外縁から立設される外壁板とから正面側（図５紙面手前側）が開放された箱状に形成されるユニット収納部材３００を備える。ユニット収納部材３００の底面板には、その中央部分に正面視矩形の開口３０１が開口形成され、これにより、ユニット収納部材３００が正面視矩形の枠状に形成される。なお、開口３０１は、第３図柄表示装置８１（図２参照）の外形に対応した（即ち、第３図柄表示装置８１を配設可能な）大きさに形成される。
【００９１】
ユニット収納部材３００には、その内部空間に、突出動作ユニット４００、複合動作ユニット５００、回転動作ユニット６００、出没動作ユニット７００及び張出動作ユニット８００がそれぞれ収納され、これにより動作ユニット２００が１ユニットとして構成される。
【００９２】
突出動作ユニット４００は、基側変位部材４４０及び相対変位部材４５０を備え、それら両変位部材４４０，４５０を、図５に示す退避位置と図６に示す張出位置との間で動作（変位）させる。図５に示す退避位置では、基側変位部材４４０及び相対変位部材４５０が前後方向（図５紙面垂直方向）で重ねられた状態を形成することで、退避位置に必要とされるスペースを抑制する一方、図６に示す張出位置では、相対変位部材４５０を基側変位部材４４０に対してスライド変位させ、全体を大型化することで、視認性を確保して、演出効果を高める。この突出動作ユニット４００の動作については、図７から図１７を参照して後述する。
【００９３】
複合動作ユニット５００は、被駆動部材５５０（図２０及び図２１参照）及び従動部材５６０を備え、それら両部材５５０，５６０を、図５に示す退避位置と図６に示す張出位置との間で動作（変位）させる。この場合、複合動作ユニット５００は、被駆動部材５５０には、所定位置を回転中心とする回転運動のみを行わせる一方で、その被駆動部材５５０に接続される従動部材５６０には、直線運動と回転運動とを組み合わせた運動を行わせることで、従動部材５６０の軌道に変化を付与して、演出効果を高める。この複合動作ユニット５００の動作については、図１８から図３２を参照して後述する。
【００９４】
回転動作ユニット６００は、同心に配設される第１回転体６５０及び第２回転体６６０を備え、それら両回転体６５０，６６０を回転させることで、両者の回転を遊技者に関連付けさせやすくして、複数の回転体（第１回転体６５０及び第２回転体６６０）をそれぞれ回転させるという演出の効果を発揮させる。この回転動作ユニット６００の動作については、図３３から図３９を参照して後述する。
【００９５】
また、出没動作ユニット７００はスライド変位可能に形成される出没部材７１０を、張出動作ユニット８００は、回転可能に形成される張出部材８１０を、それぞれ備え、それら出没部材７１０及び張出部材８１０を、図５に示す退避位置と開口３０１（第３図柄表示装置８１、図２参照）の正面（前面）に張り出した状態となる張出位置（図示せず）との間でスライド変位または回転により動作（変位）させる。
【００９６】
次いで、図７から図１７を参照して、突出動作ユニット４００について説明する。図７は、基側変位部材４４０及び相対変位部材４５０が退避位置に配置された状態における突出動作ユニット４００の正面斜視図である。図８（ａ）は、突出動作ユニット４００の分解正面斜視図であり、図８（ｂ）は、連結ロッド４６０の背面斜視図である。
【００９７】
なお、図７及び図８では、突出動作ユニット４００とケース体４１０を共用する出没動作ユニット７００が突出動作ユニット４００に併設された状態が図示される。また、突出動作ユニット４００は、開口３０１の下方において出没動作ユニット７００を挟んで左右に一対が配設されるところ（図５及び図６参照）、これら一対の突出動作ユニット４００は左右対称に形成され、その構造は実質的に同一であるので、一方（正面視右側に配設されるもの）についてのみ説明し、他方（正面視左側に配設されるもの）についての説明は省略する。
【００９８】
図７及び図８に示すように、突出動作ユニット４００は、その背面側において骨格をなすケース体４１０と、そのケース体４１０の正面側に配設される駆動モータ４２０と、その駆動モータ４２０の回転駆動力を伝達する複数の歯車（ピニオンギヤ４３１、中間ギヤ４３２及びクランクギヤ４３３）と、ケース体４１０に回転可能に軸支される基側変位部材４４０と、その基側変位部材４４０にスライド変位可能に配設される相対変位部材４５０と、その相対変位部材４５０及びクランクギヤ４３３の間を連結すると共にケース体４１０に回転可能に軸支される連結ロッド４６０と、を主に備えて構成される。
【００９９】
ケース体４１０は、樹脂材料からなり、そのケース体４１０の正面（前面）には、複数の歯車（各ギヤ４３１，４３２，４３３）に対応した外形を有する収納凹部４１１が凹設されると共に、その収納凹部４１１の側方（図８（ａ）右側）にロッド支持軸４１２が、収納凹部４１１の下方（図８（ａ）下側）に基側支持軸４１３が、それぞれ突設される。なお、各支持軸４１２，４１３は、真鍮材料からなり、各ギヤ４３１〜４３３の回転軸と平行な姿勢で配設される。
【０１００】
本実施形態では、基側変位部材４４０及び相対変位部材４５０が退避位置に配置されると、後述するように、各変位部材４４０，４５０と、連結ロッド４６０と、各ギヤ４３１，４３２，４３３とが前後方向に積層される構造であるところ（図１３参照）、ケース体４１０の正面に収納凹部４１１を凹設し、その収納凹部４１１に各ギヤ４３１，４３２，４３３をそれぞれ収納する構造とすることで、その分、突出動作ユニット４００の前後方向の小型化を図ることができる。
【０１０１】
駆動モータ４２０の駆動軸には、ピニオンギヤ４３１が取着され、そのピニオンギヤ４３１には中間ギヤ４３２が、中間ギヤ４３２にはクランクギヤ４３３が、それぞれ歯合される。よって、駆動モータ４２０の駆動軸が回転駆動され、ピニオンギヤ４３１が回転されると、その回転が中間ギヤ４３２を介して、クランクギヤ４３３に伝達され、クランクギヤ４３３が回転される。
【０１０２】
なお、中間ギヤ４３２及びクランクギヤ４３３は、ケース体４１０に軸支される。また、各ギヤ４３１〜４３３は、歯が回転軸と平行に外周面に刻設される平歯車としてそれぞれ形成される。この場合、クランクギヤ４３３は、その正面（軸方向端面）に放射状の装飾が形成されると共に、正面部分（軸方向端面）の直径が、外周面に刻設される歯の歯先円よりも大きくされ、正面視において遊技者から歯を遮蔽可能に形成される。
【０１０３】
クランクギヤ４３３の正面（軸方向端面）には、そのクランクギヤ４３３の回転軸から偏心した位置にクランクピン４３３ａが突設される。クランクピン４３３ａは、連結ロッド４６０に連結される部位であり、クランクギヤ４３３の回転軸に平行な円柱状体として形成されると共に、連結ロッド４６０のロッド溝４６３内に摺動可能に挿通される（図９及び図１０参照）。これにより、クランクギヤ４３３が回転されると、その回転が、クランクピン４３３ａを介して、連結ロッド４６０へ伝達される。
【０１０４】
基側変位部材４４０及び相対変位部材４５０は、退避位置から張出位置へ変位されることで演出を行うための演出部材であり（図５及び図６参照）、基側変位部材４４０（軸支孔４４２）がケース体４１０の基側支持軸４１３に回転可能に軸支されると共に、基側変位部材４４０の正面側に相対変位部材４５０がスライド変位可能に配設される。
【０１０５】
ここで、相対変位部材４５０には、その正面側に装飾部４５４が形成される。装飾部４５４は、相対変位部材４５０の正面側を装飾するための部位であり、基端側（基側変位部材４４０が回転される際の回転中心側、図７及び図８の下側）から先端側（基端変位部材４４０が回転される際の回転先端側、図７及び図８の上側）へ向かうに従って幅が狭くなる正面視先細形状に全体が形成されると共に、装飾部４５４の正面には、第１部分４５４ａ、第２部分４５４ｂ及び第３部分４５４ｃが長手方向に沿って列設される。
【０１０６】
これら装飾部４５４の第１部分４５４ａ、第２部分４５４ｂ及び第３部分４５４ｃは、装飾部４５４全体の先細形状に対応した大きさに形成される。即ち、先端側に位置する第１部分４５４ａよりも中間に位置する第２部分４５４ｂが、中間に位置する第２部分４５４ｂよりも基端側に位置する第３部分４５４ｃが、それぞれ外形の大きな六角形に形成される。
【０１０７】
この場合、第１部分４５４ａ、第２部分４５４ｂ及び第３部分４５４ｃは、その前後方向の位置（図５紙面垂直方向の位置）をそれぞれ異なせて配置される。具体的には、先端側に位置する第１部分４５４ａよりも中間に位置する第２部分４５４ｂが、中間に位置する第２部分４５４ｂよりも基端側に位置する第３部分４５４ｃが、それぞれ正面（前方）側（図５紙面手前側）に配置される。
【０１０８】
これにより、相対変位部材４５０の装飾部４５４（即ち、相対変位部材４５０の正面）は、基端側（基側変位部材４４０の回転中心側、図７及び図８の下側）から先端側（基端変位部材４４０の回転先端側、図７及び図８の上側）へ向かうに従ってケース体４１０に近接する方向へ階段状（本実施形態では３段の階段状）に下降傾斜される。
【０１０９】
これにより、後述するように、基側変位部材４４０を回転させる際には（図１３及び図１４参照）、装飾部材４８０（図１６及び図１７参照）との接触を防止しつつ、装飾部材４８０の背面側を両変位部材４４０，４５０が通過する態様を可能として、演出効果の向上を図ると共に、相対変位部材４５０を張り出させる際には（図１５参照）、装飾部４５４を正面（前方）に位置させ、迫力の向上を図ることができる。
【０１１０】
なお、基側変位部材４４０及び相対変位部材４５０の詳細構成については後述する（図１１及び図１２参照）。
【０１１１】
連結ロッド４６０は、クランクギヤ４３３の回転を相対変位部材４５０へ伝達するための長尺板状の部材であり、長手方向一端側に円形の孔として穿設される軸支孔４６１と、その軸支孔４６１と反対側となる長手方向他端側に長手方向に沿って延設される長穴として穿設される接続孔４６２と、それら軸支孔４６１及び接続孔４６２の間において長手方向に沿って延設される凹溝として背面側に凹設されるロッド溝４６３と、を備えて形成される。
【０１１２】
連結ロッド４６０は、軸支孔４６１にケース体４１０のロッド支持軸４１２が挿通されると共に、ロッド溝４６３にクランクギヤ４３３のクランクピン４３３ａが挿通される状態で、ケース体４１０に取り付けられる。また、連結ロッド４６０の接続孔４６２には、相対変位部材４５０の接続ピン４５２が挿通される（図１１及び図１２参照）。これにより、後述するように、クランクギヤ４３３の回転に伴い、ロッド支持軸４１２を回転中心として連結ロッド４６０が回転されると共に（図９及び図１０参照）、その連結ロッド４６０の回転に伴い、基側変位部材４４０及び相対変位部材４５０が回転（第１動作）及びスライド変位（第２動作）され（図１２参照）、退避位置と張出位置との間で動作（変位）される。
【０１１３】
この場合、本実施形態では、図７に示すように、ケース体４１０の正面（一面）側に駆動モータ４２０と基側変位部材４４０及び相対変位部材４５０とがそれぞれ配設されるので、例えば、ケース体４１０を挟んで、正面（一面）側に基側変位部材４４０及び相対変位部材４５０が、背面（他面）側に駆動モータ４２０が、それぞれ配設される場合と比較して、突出動作ユニット４００の前後方向における寸法の小型化を図ることができる。
【０１１４】
更に、基側変位部材４４０及び相対変位部材４５０は、その長手方向の延長線上に駆動モータ４２０が位置する姿勢で、退避位置に配設されるので（図１３（ａ）参照）、これら駆動モータ４２０と基側変位部材４４０及び相対変位部材４５０とを直線状に配置できる。よって、ケース体４１０の正面側に退避位置として必要とされるスペースを効率的に抑制できる。
【０１１５】
また、本実施形態では、駆動モータ４２０の回転駆動力を基側変位部材４４０及び相対変位部材４５０へ伝達するための伝達手段を、複数の歯車（各ギヤ４３１〜４３３）及びクランクギヤ４３３と共にクランク機構をなす連結ロッド４６０から構成し、後述するように、連結ロッド４６０（接続孔４６２及びロッド溝４６３）とクランクギヤ４３３のクランクピン４３３ａ及び相対変位部材４５０の接続ピン４５２とが接続される部分が、ケース体４１０のロッド支持軸４１１及び基側支持軸４１２の間となる領域内に配置されるように、伝達手段（各ギヤ４３１〜４３３及び連結ロッド４６０）及び各支持軸４１１，４１２の配置を設定する。
【０１１６】
これにより、基側変位部材４４０及び相対変位部材４５０が退避位置に配設された状態において、これら基側変位部材４４０及び相対変位部材４５０に対して正面視において重なる領域内に伝達手段を配設することができる。即ち、退避位置に配設された基側変位部材４４０及び相対変位部材４５０の背面側に形成されるデッドスペースを、伝達手段の配設スペースとして有効に活用できる。その結果、上述した駆動モータ４２０と基側変位部材４４０及び相対変位部材４５０との位置関係による効果と共に、突出動作ユニット４００の前後方向および正面視における外形の小型化を相乗的に達成することができる。
【０１１７】
次いで、図９及び図１０を参照して、伝達手段（ピニオンギヤ４３１、中間ギヤ４３２、クランクギヤ４３３及び連結ロッド４６０）の動作について説明する。図９及び図１０は、正面視における伝達手段を模式的に図示した正面模式図であり、図９（ａ）ではクランクギヤ４３３が第１回転位置に配置された状態が、図９（ｂ）ではクランクギヤ４３３が中間回転位置に配置された状態が、図１０ではクランクギヤ４３３が第２回転位置に配置された状態が、それぞれ図示される。
【０１１８】
なお、図９及び図１０では、図面を簡素化して、理解を容易とするために、各ギヤ４３１〜４３３及び連結ロッド４６０の形状が模式的に図示される。また、図９及び図１０には、クランクギヤ４３３が第１回転位置、中間回転位置および第２回転位置に配置された際の連結ロッド４６０の中心線の位置が位置Ｐ１，Ｐｍ，Ｐ２として二点鎖線を用いて模式的に図示される。
【０１１９】
また、図９及び図１０の説明においては、図１３から図１５を適宜参照する。図９（ａ）は、図１３（ａ）及び図１３（ｂ）に示す状態に対応し、図９（ｂ）は、図１４（ａ）及び図１４（ｂ）に示す状態に対応し、図１０は、図１５（ａ）及び図１５（ｂ）に示す状態に対応する。
【０１２０】
図９（ａ）に示すように、このクランクギヤ４３３が第１回転位置に配置され、連結ロッド４６０が位置Ｐ１に位置する状態では、基側変位部材４４０が退避位置に、相対変位部材４５０が基準位置に、それぞれ配置される（図１２（ａ）及び図１３参照）。この状態では、クランクギヤ４３３のクランクピン４３３ａが、連結ロッド４６０のロッド溝４６３における上端（ロッド支持軸４１２側の端部）に位置する。
【０１２１】
よって、クランクギヤ４３３が第１回転位置に配置された状態では、クランクギヤ４３３が図９（ａ）左回り（反時計回り）へ回転（即ち、基側変位部材４４０及び相対変位部材４５０を張出位置から退避位置へ退避させる方向へ回転）することを、クランクピン４３３ａをロッド溝４６３の上端に当接させることで、規制できる。従って、基側変位部材４４０及び相対変位部材４５０を張出位置から退避位置へ配置する際に、例えば、電気的な要因により、駆動モータ４２０の制御不良が発生した場合であっても、機械的な機構（クランクピン４３３ａをロッド溝４６３で規制するストッパ機構）により、基側変位部材４４０及び相対変位部材４５０が退避位置を越えて変位され、これら両変位部材４４０，４５０や連結ロッド４６０が他の部材に衝突することを未然に回避できる。
【０１２２】
図９（ａ）に示す状態からクランクギヤ４３３が図９（ａ）右回り（時計回り）に回転されると、クランクギヤ４３３のクランクピン４３３ａが、連結ロッド４６０のロッド溝４６３を下端（ロッド支持軸４１２と反対側の端部）へ向けて摺動され、連結ロッド４６０がロッド支持軸４１２を回転中心として図９（ａ）右回り（時計回り）に回転される。クランクギヤ４３３が更に回転され、図９（ｂ）に示すように、中間回転位置に達すると、連結ロッド４６０が位置Ｐｍに位置される。この状態では、基側変位部材４４０が回転位置に、相対変位部材４５０が基準位置に、それぞれ配置される（図１２（ｂ）及び図１４参照）。
【０１２３】
図９（ｂ）に示す状態からクランクギヤ４３３が図９（ａ）右回り（時計回り）に回転されると、クランクギヤ４３３のクランクピン４３３ａが、連結ロッド４６０のロッド溝４６３を下端（ロッド支持軸４１２と反対側の端部）へ向けて摺動した後に上端（ロッド支持軸４１２側の端部）へ向けて摺動され、連結ロッド４６０がロッド支持軸４１２を回転中心として図９（ａ）右回り（時計回り）に回転される。これにより、クランクギヤ４３３が、図１０に示すように、第２回転位置に達すると、連結ロッド４６０が位置Ｐ２に位置される。この状態では、基側変位部材４４０が回転位置に、相対変位部材４５０が張出位置に、それぞれ配置される（図１２（ｃ）及び図１５参照）。
【０１２４】
なお、このクランクギヤ４３３が第２回転位置に配置された場合においても、図９（ａ）に示す第１回転位置に配置された場合と同様に、クランクギヤ４３３のクランクピン４３３ａが、連結ロッド４６０のロッド溝４６３における上端（ロッド支持軸４１２側の端部）に位置する。
【０１２５】
よって、クランクギヤ４３３が第２回転位置に配置された状態では、クランクギヤ４３３が図１０右回り（時計回り）へ回転（即ち、基側変位部材４４０及び相対変位部材４５０を退避位置から張出位置へ張り出させる方向へ回転）することを、クランクピン４３３ａをロッド溝４６３の上端に当接させることで、規制できる。従って、基側変位部材４４０及び相対変位部材４５０を退避位置から張出位置へ配置する際に、例えば、電気的な要因により、駆動モータ４２０の制御不良が発生した場合であっても、機械的な機構（クランクピン４３３ａをロッド溝４６３で規制するストッパ機構）により、基側変位部材４４０及び相対変位部材４５０が張出位置を越えて変位され、これら両変位部材４４０，４５０や連結ロッド４６０が他の部材に衝突することを未然に回避できる。
【０１２６】
次いで、図１１及び図１２を参照して、基側変位部材４４０及び相対変位部材４５０の構成およびその動作について説明する。図１１は、基側変位部材４４０及び相対変位部材４５０の分解背面斜視図である。
【０１２７】
図１１に示すように、基側変位部材４４０は、長尺板状に形成される本体部４４１と、その本体部４１１の背面に円形の孔として開口される軸支孔４４２と、本体部４４１の長手方向（図１１上下方向）に沿って延設される長穴として穿設される第１スライド孔４４３及び第２スライド孔４４４と、を主に備えて形成される。
【０１２８】
軸支孔４４２は、ケース体４１０の基側支持軸４１３が挿通される孔であり、かかる挿通により、基側変位部材４４０は、基側支持軸４１３を回転中心として、ケース体４１０に回転可能に軸支される。即ち、基側変位部材４４０は、後述するように、退避位置（図１２（ａ）及び図１３参照）と回転位置（図１２（ｂ）、図１２（ｃ）、図１４及び図１５参照）との間で回転可能に軸支される。
【０１２９】
この場合、軸支孔４４２は、本体部４１１の長手方向中央よりも下方側であって、本体部４１１の幅方向中央よりも一側（張出位置側）へ偏った位置に形成される。これにより、基側変位部材４４０及び相対変位部材４５０がケース体４１０の外縁から所定量（所定面積）だけ張り出すために基側変位部材４４０に必要とされる回転角度を小さくできるので、基側変位部材４４０を退避位置と回転位置との間で回転させるのに必要な時間を短縮でき、その結果、基側変位部材４４０及び相対変位部材４５０の変位による演出効果を高めることができる。
【０１３０】
相対変位部材４５０は、長尺板状に形成される本体部４５１と、その本体部の背面から突出される接続ピン４５２と、本体部４５１の長手方向（図１１上下方向）に沿って所定間隔を隔てつつ配置される一対のスライドピン４５３と、本体部４５１の正面に配設される装飾部４５４と、を主に備えて形成される。
【０１３１】
接続ピン４５２及びスライドピン４５３は、基側変位部材４４０の第１スライド孔４４３及び第２スライド孔４４４にそれぞれ摺動可能に挿通される円柱状の部位であり、かかる挿通により、相対変位部材４５０が基側変位部材４４０に対しその長手方向に沿ってスライド変位可能に配設される。即ち、相対変位部材４５０は、後述するように、基準位置（図１２（ａ）、図１２（ｂ）、図１３及び図１４参照）と張出位置（図１２（ｃ）及び図１５参照）との間でスライド変位可能に基側変位部材４４０に配設される。
【０１３２】
この場合、接続ピン４５２は、基側変位部材４４０の第１スライド孔４４３から突出される先端側が、連結ロッド４６０の接続孔４６２に摺動可能に挿通され、かかる挿通により、相対変位部材４５０が連結ロッド４６０を介してクランクギヤ４３３（図８参照）に接続される。
【０１３３】
これにより、後述するように、クランクギヤ４３３の回転により、ロッド支持軸４１２を回転中心として連結ロッド４６０を回転させることで（図９参照）、基側支持軸４１３を回転中心とした基側相対変位部材４５０の回転（第１動作）を実行できると共に、基側変位部材４４０に対する相対変位部材４５０のスライド変位（第２動作）を実行できる（図１２参照）。
【０１３４】
ここで、接続ピン４５２とスライドピン４５３とは、相対変位部材４５０の長手方向（図１１上下方向）に沿って位置を違えて（間隔を隔てて）配設される。よって、相対変位部材４５０が基側変位部材４４０に連結される箇所を長手方向に分散させることができるので、基側変位部材４４０に対する相対変位部材４５０の前後方向（ケース体４１０に近接離間する方向）の相対変位を抑制して、スライド変位を安定させることができる。
【０１３５】
また、接続ピン４５２は、スライドピン４５３よりも相対変位部材４５０の長手方向先端側（図１１上側）に配置される。これにより、相対変位部材４５０が連結ロッド４６０を介してケース体４１０に支持される箇所を、相対変位部材４５０の長手方向先端側に近づけることができる。換言すると、相対変位部材４５０が連結ロッド４６０を介してケース体４１０に支持される箇所を、基側変位部材４４０の軸支孔４４２から長手方向先端側（図１１上側）へ遠ざけることができる。その結果、相対変位部材４５０の先端側が前後方向（ケース体４１０に近接離間する方向）に揺れることを抑制しやすくできる。
【０１３６】
即ち、基側変位部材４４０の長手方向基側（軸支孔４４２）のみがケース体４１０の基側支持軸４１３に軸支され、その基側変位部材４４０に相対変位部材４５０が配設される構造であるため、両変位部材４４０，４５０の長手方向先端側が自由端となり、第１動作の最中に先端側が前後方向に揺れやすい。この揺れは、先端側を装飾部材４８０と接触させるおそれを生じる。そのため、連結ロッド４６０を介してケース体４１０に支持させる位置を長手方向先端側とする構造が有効となる。
【０１３７】
接続ピン４５２及びスライドピン４５３には、カラーＣが回転自在に外嵌される。接続ピン４５２及びスライドピン４５３の外周面と第１スライド孔４４３及び第２スライド孔４４４の内周面との間にカラーＣが介在されることで、これら各スライド孔４４３，４４４に沿って各ピン４５２，４５３をスムーズに摺動させることができる。また、基側変位部材４４０の本体部４４１と相対変位部材４５０の本体部４５１及び連結ロッド４６０との間にカラーＣ（詳細には、カラーＣの大径のフランジ部分）が介在されることで、これら基側変位部材４４０と相対変位部材４５０及び連結ロッド４６０との間の対向間隔を一定に保持することができる。
【０１３８】
なお、接続ピン４５２は、その先端側の端面に円板状の円板Ｓがねじにより締結固定されることで、連結ロッド４６０からの抜け止めとされ、スライドピン４５３は、その先端側の端面に長尺平板状のスライドガイド４７０がねじにより締結固定され、基側変位部材４４０からの抜け止めとされる。
【０１３９】
図１２は、基側変位部材４４０及び相対変位部材４５０の背面斜視図である。なお、図１２（ａ）は、図９（ａ）及び図１３に図示する状態（即ち、クランクギヤ４３３が第１回転位置に、連結ロッド４６０が位置Ｐ１に、それぞれ配置された状態）に対応し、図１２（ｂ）は、図９（ｂ）及び図１４に図示する状態（即ち、クランクギヤ４３３が中間回転位置に、連結ロッド４６０が位置Ｐｍに、それぞれ配置された状態）に対応する。また、図１２（ｃ）は、図１０及び図１５に図示する状態（即ち、クランクギヤ４３３が第２回転位置に、連結ロッド４６０が位置Ｐ２に、それぞれ配置された状態）に対応する。
【０１４０】
図１２（ａ）に示すように、連結ロッド４６０が位置Ｐ１に位置する状態では（図９（ａ）及び図１３参照）、基側変位部材４４０の基側支持軸４１３を回転中心とする回転位置が、ロッド支持軸４１２に最も近接する位置である退避位置に、相対変位部材４５０の基側変位部材４４０に対するスライド位置が、基側変位部材４４０からの張り出し量が最少となる位置である基準位置に、それぞれ配置される。この状態では、相対変位部材４５０の接続ピン４５２が、連結ロッド４６０の接続孔４６２における上端（ロッド支持軸４１２側の端部）に位置する。
【０１４１】
図１２（ａ）に示す状態から、クランクギヤ４３３（図９（ａ）参照）の回転により、連結ロッド４６０がロッド支持軸４１２を回転中心として図１２（ａ）左回り（反時計回り）に回転されると、相対変位部材４５０の接続ピン４５２が、連結ロッド４６０の接続孔４６２を下端（ロッド支持軸４１２と反対側の端部）へ向けて摺動され、基側変位部材４４０及び相対変位部材４５０が基側支持軸４１３を回転中心として、基側変位部材４４０が相対変位部材４５０と共に図１２（ａ）右回り（時計回り）に回転される（第１動作）。連結ロッド４６０が更に回転され、図１２（ｂ）に示すように、中間位置Ｐｍに達すると（図９（ｂ）及び図１４参照）、基側変位部材４４０の回転位置が、ロッド支持軸４１２から最も離間した位置である回転位置に配置される。
【０１４２】
この場合、相対変位部材４５０の基側変位部材４４０に対するスライド位置は、基準位置に維持できる。即ち、連結ロッド４６０のロッド支持軸４１２を回転中心とする図１２（ａ）左回り（反時計回り）の回転は、相対変位部材４５０の接続ピン４５２を、連結ロッド４６０の接続孔４６２を下端へ向けて摺動させるところ、この摺動の方向が基側変位部材４４０に対する相対変位部材４５０のスライド変位の方向にほぼ沿う方向であるため、相対変位部材４５０を基側変位部材４４０に対してスライド変位させる方向への力成分を発生させない。よって、基側変位部材４４０に対する相対変位部材４５０のスライド位置を維持しつつ（基準位置からのスライド変位の発生を規制しつつ）、基側支持軸４１３を回転中心とする基側変位部材４４０の回転のみを発生させることができる。
【０１４３】
これにより、基側変位部材４４０からの相対変位部材４５０の張り出し量が最少に維持された状態で、これら両変位部材４４０，４５０を、基側支持軸４１３を中心として回転させることができるので、相対変位部材４５０の回転先端と駆動モータ４２０（図７参照）や装飾部材４８０（図１６及び図１７参照）との間の離間距離を小さくすることができる。その結果、突出動作ユニット４００の小型化を図ることができると共に、装飾部材４８０の形状を規定する際の設計の自由度を高めることができる。
【０１４４】
図１２（ｂ）に示す状態から、クランクギヤ４３３（図９（ｂ）参照）の回転により、連結ロッド４６０がロッド支持軸４１２を回転中心として図１２（ｂ）左回り（反時計回り）に回転されると、相対変位部材４５０の接続ピン４５２が、連結ロッド４６０の接続孔４６２を上端（ロッド支持軸４１２側の端部）へ向けて摺動された後に下端（ロッド支持軸４１２と反対側の端部）へ向けて摺動され、基側変位部材４４０に対して相対変位部材４５０が長手方向（第１及び第２スライド孔４４３，４４４）に沿って伸長する方向へスライド変位される（第２動作）。これにより、連結ロッド４６０が、図１２（ｃ）に示すように、第２位置Ｐ２に達すると（図１０及び図１５参照）、相対変位部材４５０の基側変位部材４４０に対するスライド位置が、基側変位部材４４０からの張り出し量が最大となる位置である張出位置に配置される。
【０１４５】
この場合、基側変位部材４４０の回転位置は、ロッド支持軸４１２から最も離間した位置である回転位置に維持できる。即ち、連結ロッド４６０のロッド支持軸４１２を回転中心とする図１２（ｂ）左回り（反時計回り）の回転は、相対変位部材４５０の接続ピン４５２を、連結ロッド４６０の接続孔４６２に沿って摺動させるところ、この摺動の方向が基側変位部材４４０に対する相対変位部材４５０のスライド変位の方向にほぼ直交する方向であるため、相対変位部材４５０を基側変位部材４４０に対してスライド変位させる方向への力成分のみを発生させ、基側支持軸４１３を回転中心として基側変位部材４４０を回転させる方向への力成分を発生させない。よって、基側支持軸４１３を回転中心とする基側変位部材４４０の回転を規制しつつ、基側変位部材４４０に対する相対変位部材４５０のスライド変位のみを発生させることができる。
【０１４６】
これにより、基側変位部材４４０からの相対変位部材４５０の張り出し量が最少に維持された状態（相対変位部材４５０が基準位置に維持された状態）で、基側変位部材４４０を退避位置から回転位置へ回転させ（第１動作）、その第１動作が完了した後に、基側変位部材４４０の回転は規制した状態（基側変位部材４４０が回転位置に維持された状態）で、相対変位部材４５０を基側変位部材４４０に対して長手方向に沿って伸長させるスライド変位（第２動作）を行うことができる。即ち、回転動作とスライド動作とを分離して、それぞれを別々の動作として２段階で行うことができるので、これら回転動作およびスライド動作が同時に行われる場合と比較して、異なる態様の動作を遊技者に明確に認識させることができ、各変位部材４４０，４５０を変位させることによる演出効果を高めることができる。
【０１４７】
以上のように構成された突出動作ユニット４００の動作について、図１３から図１５を参照して説明する。
【０１４８】
図１３から図１５は、突出動作ユニット４００の正面図である。なお、上述したように、図１３（ａ）及び図１３（ｂ）は、図９（ａ）及び図１２（ａ）に示す状態に対応し、図１４（ａ）及び図１４（ｂ）は、図９（ｂ）及び図１２（ｂ）に示す状態に対応し、図１５（ａ）及び図１５（ｂ）は、図１０及び図１２（ｃ）に示す状態に対応する。また、図１３（ｂ）、図１４（ｂ）及び図１５（ｂ）では、基側変位部材４４０及び相対変位部材４５０が取り外された状態が図示される。
【０１４９】
図１３から図１５に示すように、突出動作ユニット４００によれば、上述したように、基側変位部材４４０が、図１３（ａ）に示す退避位置と図１４（ａ）及び図１５（ａ）に示す回転位置との間で回転可能に形成されると共に、その基側変位部材４４０に配設される相対変位部材４５０が、図１３（ａ）及び図１４（ａ）に示す基準位置と図１５（ａ）に示す張出位置との間でスライド変位可能に形成され、基側変位部材４４０を退避位置および回転位置の間で回転させる第１動作と、相対変位部材４５０を基側変位部材４４０に対して基準位置および張出位置の間で変位させる第２動作と、がそれぞれ実行可能とされる。
【０１５０】
これにより、図１３（ａ）及び図１４（ａ）に示すように、退避位置にある基側変位部材４４０を第１動作により回転位置へ配置し、基準位置にある相対変位部材４５０を第２動作により張出位置へスライド変位させる（伸長させる）ことで、図１５（ａ）に示すように、かかる相対変位部材４５０を基側変位部材４４０から外方へ張り出させることができる。よって、その分、基側変位部材４４０及び相対変位部材４５０を全体として大きくできるので、かかる両変位部材４４０，４５０を遊技者に十分に視認させ、その演出効果を十分に発揮させることができる。
【０１５１】
特に、本実施形態では、図１４（ａ）に示すように、基側変位部材４４０を第１動作により回転位置へ配置することで、相対変位部材４５０の先端部分（本実施形態では、装飾部４５４の第１部分４５４ａの全体）をセンターフレーム８６の開口部を介して遊技者に視認させることができ、図１５（ａ）に示すように、相対変位部材４５０を第２動作により張出位置に配置することで、相対変位部材４５０の略全体（本実施形態では打装飾部４５４の第３部分４５４ａの全体）をセンターフレーム８６の開口部を介して遊技者に視認させることができる。
【０１５２】
即ち、退避位置に退避され、センターフレーム８６の開口部からは視認不能とされていた相対変位部材４５０を、まず、回転運動（第１動作）によりセンターフレーム８６の開口部に側方から登場させ、その相対変位部材４５０の一部のみを遊技者に視認させると共に、次いで、直線運動（第２動作）によりセンターフレーム８６の開口部の中央へ向けて張り出させて、相対変位部材４５０の略全体を遊技者に視認させるという演出を行うことができる。よって、登場時の運動形態（回転運動）とは異なる運動形態（直線運動）により相対変位部材４５０の視認面積を拡大させることができ、運動形態の変化による意外性と、直線運動により視認面積が拡大されることによるスピード感と、これらが組み合わされつつ連続して行われることによる複合動作の一体感とを遊技者に感じさせることができる。その結果、相対変位部材４５０が単に直線運動のみによりセンターフレーム８６の開口部に対して出没する形態（退避位置と張出位置とを往復する形態）では奏し得ない演出効果を得ることができる。
【０１５３】
一方、回転位置にある基側変位部材を第１動作により図１３（ａ）に示す退避位置へ配置する際には、図１４（ａ）及び図１５（ｂ）に示すように、張出位置による相対変位部材４５０を第２動作により基準位置にスライド変位させる（短縮させる）ことで、かかる相対変位部材４５０の基側変位部材４４０からの外方への張り出しを抑制できる。よって、その分、両変位部材４４０，４５０を全体として小さくできるので、退避位置において、両変位部材４４０，４５０を収容するために必要とされるスペースを抑制できる。その結果、他の部品や装置を配設するためのスペースを確保することができる。
【０１５４】
この場合、上述したように、相対変位部材４５０が基側変位部材４４０にスライド変位可能な状態で配設され、第２動作が、図１４（ａ）及び図１５（ａ）に示すように、相対変位部材４４０を基側変位部材４５０に対して基準位置および張出位置の間でスライド変位させる態様であるので、例えば、第２動作が、相対変位部材４４０を基側変位部材４５０に対して回転させる態様である場合と比較して、相対変位部材４４０を基準位置から張出位置まで変位させるのに必要なスペースを抑制することができ、その分、他の部品や装置を配設するためのスペースを確保することができる。また、第１動作による基側変位部材４５０の変位の態様（回転）に対して、第２動作による相対変位部材４５０の変位の態様（スライド変位）を、異なる態様とすることができるので、第１動作および第２動作を連続して行うことによる演出効果を高めることができる。
【０１５５】
特に、かかる第２動作は、そのスライド変位の方向が両変位部材４４０，４５０の互いの長手方向に沿った方向とされる。即ち、基側変位部材４４０に対して相対変位部材４５０が互いの長手方向を沿わせた姿勢で配設され、それら互いの長手方向に沿った方向にスライド変位されるので、両変位部材４４０，４５０を全体として効率的に伸長および短縮させることができる。よって、図１５（ａ）に示すように、基側変位部材４４０が回転位置に配置された状態では、相対変位部材４５０のスライド変位（伸長）により、全体として大きくすることで、両変位部材４４０，４５０を遊技者に十分に視認させることができ、その演出効果を十分に発揮させることができる。一方、図１３（ａ）に示すように、基側変位部材４４０が退避位置に配置された状態では、相対変位部材４５０のスライド変位（短縮）により、全体として小さくすることで、両変位部材４４０，４５０を収容するために必要とされるスペースを抑制でき、他の部品や装置を配設するためのスペースを確保することができる。
【０１５６】
また、突出動作ユニット４００によれば、上述したように、駆動モータ４２０の回転駆動力を基側変位部材４４０及び相対変位部材４５０に伝達する伝達手段が、図１３（ａ）、図１４（ｂ）及び図１５（ｂ）に示すように、複数の歯車（ピニオンギヤ４３１、中間ギヤ４３２及びクランクギヤ４３３）及び連結ロッド４６０からなり、クランクギヤ４３３と共にクランク機構を構成する連結ロッド４６０の接続孔４６２を、連結ロッド４６０の回転中心であるロッド支持軸４１１と基側変位部材４４０の回転中心である基側支持軸４１２との間となる領域内において、相対変位部材４５０の接続ピン４５２に接続するので、クランクギヤ４３３を回転させることで、基側変位部材４４０及び相対変位部材４５０による第１動作と第２動作とを、順に実行することができる。即ち、第１動作および第２動作という異なる２の動作を１の駆動モータ４２０のみにより行うことができるので、部品コストを削減して、その分、製品コストを削減することができる。
【０１５７】
この場合、伝達手段としては、連結ロッド４６０のロッド支持軸４１２側に歯車を設け、その歯車にクランクギヤ４３３の歯を歯合させて、連結ロッド４６０を回転させる構造も考えられるが、かかる構造では、クランクギヤ４３３及び連結ロッド４６０が平面内で併設され、正面視における重なり代が形成されないため、その配設に必要なスペースが嵩む。これに対し、本実施形態によれば、連結ロッド４６０のロッド溝４６３にクランクギヤ４３３のクランクピン４３３ａを挿通させるので、図１３（ａ）、図１４（ｂ）及び図１５（ｂ）に示すように、クランクギヤ４３３と連結リンク４６０とを正面視において重なり代を常に有する状態で配設でき、その重なりの分、これらクランクギヤ４３３及び連結リンク４６０の配設に必要なスペースを抑制できる。
【０１５８】
次いで、図１６及び図１７を参照して、基側変位部材４４０が回転（第１動作）される際における相対変位部材４５０と装飾部材４７０との関係について説明する。
【０１５９】
図１６は、突出動作ユニット４００の正面斜視図である。図１７（ａ）は、図１６の矢印ＸＶＩＩａ方向視における突出動作ユニット４００の側面図であり、図１７（ｂ）は、図１７（ａ）の部分ＸＶＩＩｂにおける突出動作ユニット４００の部分拡大側面図である。なお、図１６及び図１７では、突出動作ユニット４００に装飾部材４８０が取着された状態が図示される。但し、図面を簡素化して、理解を容易とするために、相対変位部材４００との関係の説明に必要な装飾部材４８０のみを図示する。
【０１６０】
図１６及び図１７に示すように、突出動作ユニット４００には、その上方（図１６上側）に装飾部材４８０が配設される（図５及び図６参照）。装飾部材４８０は、装飾用の樹脂製部材であり、光透過性の樹脂材料から形成される。そのため、装飾部材４８０を介して（透過させて）、その装飾部材４８０の背面側に位置する他の部材を遊技者に視認させることができる。
【０１６１】
本実施形態では、装飾部材４８０は、その一部が下方（図１７（ｂ）下側）へ張り出して形成されることで、図１７（ｂ）に示すように、正面視において基側変位部材４４０及び相対変位部材４５０との間に寸法Ｌの重なり代を有して形成される。これにより、基側変位部材４４０が退避位置から回転位置へ回転（第１動作）される際には（図１３及び図１４参照）、基側変位部材４４０及び相対変位部材４５０の回転軌跡を、正面視において装飾部材４８０の一部に重ならせることができる。
【０１６２】
即ち、装飾部材４８０の背面側を通過させる状態で、基側変位部材４４０及び相対変位部材４５０を変位させることができるので、装飾部材４８０及び両変位部材４４０，４５０を交差させる動作が実行できると共に、その交差の際に装飾部材４８０を透過させて両変位部材４４０，４５０を視認可能とでき、その結果、両変位部材４４０，４５０を変位させることによる演出効果を高めることができる。特に、本実施形態では、装飾部材４８０から離間される基板変位部材４４０の先端側を、装飾部材４８０に近い相対変位部材４５０の先端側よりも突出させるので、装飾部材４８０との接触をし難くでき、その結果、重なり代である寸法Ｌをより大きくすることができる。よって、交差による演出効果を高めることができる。
【０１６３】
この場合、相対変位部材４５０は、上述したように、その正面側（図１７（ｂ）右側）を形成する装飾部４５４が、基端側（基側変位部材４４０の回転中心側、図１７（ｂ）下側）から先端側（基端変位部材４４０の回転先端側、図１７（ｂ）上側）へ向かうに従ってケース体４１０に近接する方向（図１７（ｂ）左側）へ階段状に傾斜される。また、相対変位部材４５０の背面側（図１７（ｂ）左側）に配置される基側変位部材４４０の先端側を、相対変位部材４５０の先端側よりも突出させる。よって、基側変位部材４４０及び相対変位部材４５０全体において、その先端側ほどケース体４１０側（背面側、図１７（ｂ）左側）へ奥まった位置に配置される形状とすることができる。
【０１６４】
これにより、基側変位部材４４０が退避位置から回転位置へ回転（第１動作）される際には（図１３及び図１４参照）、その回転軌跡を正面視において装飾部材４８０と重ならせて、演出効果の向上を確保しつつ、基側変位部材４４０及び相対変位部材４５０と装飾部材４８０とが接触することを抑制できる。
【０１６５】
この場合、基側変位部材４４０は、その長手方向一側のみが基側支持軸４１３により軸支され、先端側が自由端となる構造であるため（図１２（ａ）及び図１２（ｂ）参照）、第１動作の最中に先端側が前後方向（ケース体４１０側へ近接離間する方向、図５紙面垂直方向）に揺れやすく、装飾部材４８０と接触するおそれが生じやすい。そのため、本実施形態における構成（先端側ほどケース体４１０側となるように傾斜する形状）が特に有効となる。
【０１６６】
一方で、相対変位部材４５０は、装飾部４５４の全体がケース体４１０側に近接されるのではなく、上述したように、先端側（基端変位部材４４０の回転先端側、図１７（ｂ）上側）よりも基端側（基側変位部材４４０の回転中心側、図１７（ｂ）下側）ほど正面（前方）側（図１７（ｂ）右側）に位置する形状とされる。即ち、装飾部４５４は、先端側から基端側へ向かうに従ってケース体４１０から離間する方向（図１７（ｂ）右側）へ階段状に上昇傾斜される。
【０１６７】
これにより、相対変位部材４５０が基準位置から張出位置へスライド変位（第２動作）される際には（図１４及び図１５参照）、相対変位部材４４０をより正面（前方）側（即ち、遊技者に近い側）に配置して、迫力を高めることができる。特に、本実施形態では、正面（前方）側に配置される部分（第１部分４５４ａよりも第２部分４５４ｂ、第２部分４５４ｂよりも第３部分４５４ｃ）ほど外形が大きくされるので、その迫力を高める効果をより発揮させることができる。
【０１６８】
次いで、図１８から図３０を参照して、複合動作ユニット５００について説明する。図１８及び図１９は、複合動作ユニット５００の正面斜視図である。なお、図１８では、従動部材５６０が退避位置（図５参照）に配置された状態が、図１９では、従動部材５６０が張出位置（図５参照）に配置された状態が、それぞれ図示される。
【０１６９】
ここで、複合動作ユニット５００は、開口３０１の上方において回転動作ユニット６００を挟んで左右に一対が配設されるところ（図５及び図６参照）、これら一対の複合動作ユニット５００は左右対称に形成され、その構造は実質的に同一であるので、一方（正面視右側に配設されるもの）についてのみ説明し、他方（正面視左側に配設されるもの）についての説明は省略する。
【０１７０】
図１８及び図１９に示すように、複合動作ユニット５００は、駆動モータ５３０の駆動力により被駆動部材５５０を変位させると共に、その被駆動部材５５０の変位に伴って従動部材５６０を従動させることで、従動部材５６０を図１８に示す退避位置と図１９に示す張出位置との間で変位させる。この場合、従動部材５６０は、後述するように、回転およびスライド変位により被駆動部材５５０に対する相対位置を変化させつつ、被駆動部材５５０に従動される（図２７から図２９参照）。
【０１７１】
これにより、被駆動部材５５０が所定位置（軸部５５３，５５４）を回転中心として一定の軌道を一定の速度で回転される場合であっても、この被駆動部材５５０とは異なる軌道で、従動部材５６０を変位させることができ、その従動部材５６０の変位の態様に変化を与えることができる。即ち、複合動作ユニット５００によれば、駆動モータ５３０の出力を一定に維持しつつ、従動部材５６０の変位の態様に変化を付与可能とされる。かかる複合動作ユニット５００の詳細構成について、以下に説明する。
【０１７２】
図２０及び図２１は、複合動作ユニット５００の分解正面斜視図である。また、図２２（ａ）は、被駆動部材５５０及び従動部材５６０の正面図であり、図２２（ｂ）は、図２２（ａ）の矢印ＸＸＩＩｂ方向視における被駆動部材５５０及び従動部材５６０の側面図である。
【０１７３】
なお、図２０は、図１８に図示される複合動作ユニット５００を、図２１は、図１９に図示される複合動作ユニット５００を、それぞれ分解した状態に対応する。また、図２２（ａ）及び図２２（ｂ）は、図１８及び図２０に図示された状態における被駆動部材５５０及び従動部材５６０に対応する。
【０１７４】
図２０から図２２に示すように、複合動作ユニット５００は、その骨格をなす表ケース体５１０及び背面ケース体５２０と、背面ケース体５２０の背面側に配設される駆動モータ５３０と、その駆動モータ５３０の駆動軸５３１に取着されるクランク部材５４０と、そのクランク部材５４０を介して駆動モータ５３０の駆動力が伝達されて駆動される被駆動部材５５０と、その被駆動部材５５０に相対変位可能に接続される従動部材５６０と、を主に備えて構成される。
【０１７５】
正面ケース体５１０及び背面ケース体５２０は、樹脂材料から平板状に形成され、所定間隔を隔てた状態で対向配置されると共に、ねじ（図示せず）によって互いが締結固定されることで、その対向面間に内部空間が形成される収容部材として構成される。これら正面ケース体５１０及び背面ケース体５２０の内部空間（対向面間）には、被駆動部材５５０（介設板部５５２）及び従動部材５６０（介設板部５６１）とクランク部材５４０とがそれぞれ変位可能な状態で収容される。
【０１７６】
正面ケース体５１０は、軸支孔５１１と、挿通孔５１２と、第１案内溝５１３とを備える。軸支孔５１１は、被駆動部材５４０の軸部５５３を回転可能に軸支するための正面視円形の孔である。挿通孔５１２は、クランク部材５４０のクランクピン５４１が挿通される開口であり、クランクピン５４１の往復移動を許容可能な大きさに形成される。この挿通孔５１２を介して、クランクピン５４１を被駆動部材５６０（駆動軸５６１ａ）に接続できる。
【０１７７】
第１案内溝５１３は、従動部材５６０の介設板部５６１における第１ピン５６１ａが挿通される開口であり、円環形状の一部を取り出した形状（即ち、円弧状に湾曲する溝状、図２７（ａ）から図２９（ａ）参照）に形成される。第１案内溝５１３の溝幅は、第１ピン５６１ａの直径と同等または若干大きな寸法に設定され、後述するように、かかる第１案内溝５１３の延設方向に沿って第１ピン５６１ａを摺動させる（案内する）ことで、介設板部５６１（従動部材５６０）の姿勢（特に、被駆動部材５５０に対する相対回転位置）を規定できる（図２７（ａ）から図２９（ａ）参照）。
【０１７８】
背面ケース体５２０は、軸支孔５２１と、挿通孔５２２と、第２案内溝５２３と、を備える。軸支孔５２１は、被駆動部材５４０の軸部５５４を回転可能に軸支するための正面視円形の孔であり、上述した正面ケース体５１０の軸支孔５１１と同心に配設される。即ち、正面ケース体５１０及び背面ケース体５２０は、それらの軸支孔５１１，５２１が被駆動部材５５０の軸部５５３，５５４をそれぞれ軸支することで、その被駆動部材５５０を回転可能に軸支できる。挿通孔５２２は、駆動モータ５３０の駆動軸５３１が挿通される開口であり、この挿通孔５２２を介して、駆動モータ５３０の駆動軸５３１をクランク部材５４０に接続できる。
【０１７９】
第２案内溝５１３は、従動部材５６０の介設板部５６１における接続軸５６１ｂが挿通される開口であり、円環形状の一部を取り出した形状（即ち、円弧状に湾曲する溝状、図２７（ｂ）から図２９（ｂ）参照）に形成される。第２案内溝５２３の溝幅は、接続軸５６１ｂの直径と同等または若干大きな寸法に設定され、後述するように、かかる第２案内溝５２３の延設方向に沿って接続軸５６１ｂを摺動させる（案内する）ことで、介設板部５６１（従動部材５６０）の姿勢（特に、被駆動部材５５０に対する相対スライド位置）を規定できる（図２７（ｂ）から図２９（ｂ）参照）。
【０１８０】
駆動モータ５３０の駆動軸５３１には、上述したように、クランク部材５４０が取着され、そのクランク部材５４０には、駆動モータ５３０により回転駆動される際の回転軸（駆動軸５３１）から偏心した位置にクランクピン５４１が配設される。クランクピン５４１は、被駆動部材５５０の駆動溝５５１ａに挿通される。よって、駆動モータ５３０の回転駆動力によりクランク部材５４０を回転させることで、そのクランク部材５４０のクランクピン５４１を被駆動部材５５０の駆動溝５５１ａに沿って摺動させ、被駆動部材５５０を回転させることができる（図３０から図３２参照）。
【０１８１】
被駆動部材５５０は、上述したように、駆動モータ５３０の回転駆動力により回転されると共に、その回転に伴って従動部材５６０を変位させるための部材であり、その軸部５５３，５５４を軸支孔５１１，５２１に軸支させることで、正面ケース体５１０及び背面ケース体５２０に回転可能に保持される。ここで、被駆動部材５５０の詳細構成について、図２３及び図２４を参照して説明する。
【０１８２】
図２３（ａ）は、被駆動部材５５０の正面図であり、図２３（ｂ）は、被駆動部材５５０の背面部である。図２４は、図２３（ａ）の矢印ＸＸＩＶ方向視における被駆動部材５５０の側面図である。
【０１８３】
図２３及び図２４に示すように、被駆動部材５５０は、長尺板状の正面板部５５１と、その正面板部５５１に対して正面視略直角に交差される長尺板状の介設板部５５２と、それら正面板部５５１及び介設板部５５２を接続する円柱状の軸部５５３と、その軸部５５３と同心となる位置において介設板部５５２の背面から突設される円柱状の軸部５５４とを主に備えて構成される。
【０１８４】
正面板部５５１は、正面ケース体５１０の正面に配設される部材であり（図２０及び図２１参照）、その一端側（軸部５５３が接続される側と反対側）に正面視長円状の駆動溝５５１ａが穿設される。駆動溝５５１ａは、クランク部材５４０のクランクピン５４１（図２０及び図２１参照）が挿通される開口であり、正面板部５５１の長手方向に沿って延設される。駆動溝５５１ａの溝幅は、クランクピン５４１の直径と同等または若干大きな寸法に設定される。よって、駆動モータ５３０の回転駆動力によりクランク部材５４０を回転させることで、そのクランクピン５４１を駆動溝５５１ａに沿って摺動させることができ、これにより、軸部５５３，５５４を回転中心として被駆動部材５５０を回転させることができる（図３０から図３２参照）。
【０１８５】
介設板部５５２は、正面ケース体５１０及び背面ケース体５２０の内部空間（対向面間）に配設される部材であり（図２０及び図２１参照）、その一端側（正面胃体部５５１が接続される側と反対側）に正面視長円状の接続溝５５２ａが穿設される。接続溝５５２ａは、従動部材５６０の接続軸５６１ｂ（図２０及び図２１参照）が挿通される開口であり、介設板部５５２の長手方向に沿って延設される。接続溝５５２ａの溝幅は、接続軸５６１ｂの直径と同等または若干大きな寸法に設定される。よって、接続溝５５２ａは、接続軸５６１ｂを回転可能かつスライド変位可能に保持できる。即ち、被駆動部材５５０には、従動部材５６０が、回転可能かつスライド変位可能な状態で接続される（図２７から図２９参照）。
【０１８６】
ここで、接続溝５５２ａは、被駆動部材５５０が軸部５５３，５５４を回転中心として回転される際に、背面ケース体５２０の第２案内溝５２３と正面視において重なる領域を有し、かつ、その領域内に接続軸５６１ｂが配置可能となるように構成される（図２７（ａ）から図２７（ｃ）参照）。これにより、後述するように、被駆動部材５５０に対する従動部材５６０のスライド変位を、第２案内溝５２３の形状（輪郭）に基づいて規定できる。
【０１８７】
被駆動部材５５０は、介設板部５５２と軸部５５３，５５４とが樹脂材料から一体に形成される一方、これら各部５５２〜５５４とは別部材として正面板部５５１が樹脂材料から形成され、正面板部５５１の基端側（駆動溝５５１ａが穿設される側と反対側）の背面に軸部５５３の軸方向端面（介設板部５５２と反対側の端面）を当接させて、両者をねじにより締結固定することで組み立てられる。
【０１８８】
この場合、軸部５５３の軸方向端面からは４本のピン５５３ａが突設される一方、それら４本のピン５５３ａをそれぞれ受け入れるための孔５５１ｂが正面板部５５１の基端側の４箇所に穿設されており、各ピン５５３ａが各孔５５１ｂに受け入れられた状態で組み立てられる。これにより、ねじの本数を抑制して、部品コストを削減しつつ、平板部５５１と介設板部５５２とを確実に相対回転不能とできる。
【０１８９】
図２０から図２３に戻って説明する。被駆動部材５５０における介設板部５５２の接続溝５５２ａには、上述したように、従動部材５６０における介設板部５６１の接続軸５６１ｂが挿通され、これにより、駆動部材５５０に対して従動部材５６０が相対変位（回転およびスライド変位）可能に接続される。従動部材５６０は、上述したように、駆動部材５５０の変位に伴って従動される部材であり、介設板部５６１の接続軸５６１ｂを、被駆動部材５５０における介設板部５５２の接続溝５５２ａに加え、背面ケース体５２０の第２案内溝５２３に挿通させることで、正面ケース体５１０及び背面ケース体５２０に回転可能かつスライド変位可能な状態で保持される。ここで、従動部材５６０の詳細構成について、図２５及び図２６を参照して説明する。
【０１９０】
図２５（ａ）は、従動部材５６０の正面図であり、図２５（ｂ）は、従動部材５６０の背面部である。図２６は、図２５（ａ）の矢印ＸＸＶＩ方向視における従動部材５６０の側面図である。
【０１９１】
図２５及び図２６に示すように、従動部材５６０は、板状の介設板部５６１と、装飾用の形状が正面に形成される一対の長尺状の部分を有する装飾部５６２と、その装飾部５６２の側方に連設されると共に介設板部５６１の背面側に接続される背面板部５６３とを主に備えて構成される。
【０１９２】
介設板部５６１は、正面ケース体５１０及び背面ケース体５２０の内部空間（対向面間）に配設される部材であり（図２０及び図２１参照）、その正面には、正面ケース体５１０の第１案内溝５１３（図２０及び図２１参照）に挿通される第１ピン５６１ａが突設されると共に、背面には、第１ピン５６１ａに対して偏心する位置に接続軸５６１ｂが突設される。接続軸５６１ｂは、上述したように、被駆動部材５５０（介設板部５５２）の接続溝５５２ａと背面ケース体５２０の第２案内溝５２３とにそれぞれ挿通される（図２０及び図２１参照）。
【０１９３】
よって、被駆動部材５５０が軸部５５３，５５５４を回転中心として回転されると、第１ピン５６１ａが第１案内溝５１３に沿って摺動（案内）されることで、介設板部５６１（即ち、従動部材５６０）がその接続軸５６１ｂを回転中心として被駆動部材５５０及び背面ケース体５２０に対して相対回転されると共に（図２７（ａ）から図２９（ａ）参照）、接続軸５６１ｂが第２案内溝５２３に沿って摺動（案内）されることで、介設板部５６１（即ち、従動部材５６０）が被駆動部材５５０の接続溝５５２ａに沿う方向をスライド方向として被駆動部材５５０に対して相対的にスライド変位される（図２７（ｂ）から図２９（ｂ）参照）。
【０１９４】
ここで、従動部材５６０の接続軸５６１ｂは、被駆動部材５５０（介設板部５５２）の接続溝５５２ａのみに挿通させ、介設板部５６１に別途設けたピンを、背面ケース体５２０の第２案内溝５２３に挿通することによっても、上述した場合と同様の作用を得ることはできる。
【０１９５】
これに対し、本実施形態では、背面ケース体５２０の第２案内溝５２３と、被駆動部材５５０（介設板部５５２）の接続溝５５２ａとの両者に、従動部材５６０の接続軸５６１ｂをそれぞれ挿通させ、かかる接続軸５６１ｂに、第２案内溝５２３に案内されることで従動部材５６０の背面ケース体５２０に対する変位を規定する（即ち、従動部材５６０を被駆動部材５５０に対してスライド変位させる）役割と、接続溝５６１ｂに挿通されることで従動部材５６０を被駆動部材５５０に相対変位（回転かつスライド変位）可能に接続する役割との両者を兼用させる。これにより、部品点数を削減して、製品コストの削減を図ることができると共に、構造を簡素化して、可動部材としての信頼性と耐久性の向上を図ることができる。
【０１９６】
背面板部５６３は、背面ケース体５２０の背面に配設される正面視円形の部材であり（図２０及び図２１参照）、その正面（図２５（ａ）紙面手前側面）には当接部５６３ａが突設される。当接部５６３ａは、背面ケース体５２０の背面に当接される部位であり、接続軸５６１ｂに同心の正面視円環状に形成される。即ち、背面ケース体５２０の背面には、背面板部５６３のうちのその周縁部分（当接部５６２ａの突設先端面）のみが当接される。
【０１９７】
このように、背面板部５６３に接続軸５６１ｂに同心の当接部５６３を設けることで、接続軸５６１ｂが第２案内溝５２３に沿って摺動（案内）される際に、第１ピン５６１ａ及び第１案内溝５２３による回転作用によって、従動部材５６０が接続軸５６１ｂを回転中心として背面ケース体５２０に対して相対回転される場合であっても（図２７から図２９参照）、背面ケース体５２０の背面に対する当接状態を一定として、支持反力が変化することを抑制できる。その結果、従動部材５６０を安定した状態で変位させることができる。
【０１９８】
従動部材５６０は、装飾部５６２と背面板部５６３とが樹脂材料から一体に形成される一方、これら各部５６２，５６３とは別部材として介設板部５６１が樹脂材料から形成され、背面板部５６３の正面に介設板部５６１の接続軸５６１ｂの軸方向端面を当接させて、両者をねじにより締結固定することで組み立てられる。なお、接続軸５６１ｂの軸方向端面から突設される複数のピン５６１ｃを、背面板部５６３の複数の孔５６３ｂにそれぞれ受け入れることで、両者を相対回転不能に連結する構造は、上述した被駆動部材５５０の場合と同様であるので、その説明は省略する。
【０１９９】
図２０から図２２に戻って説明する。複合動作ユニット５００の組み立ては、次のように行うことができる。まず、正面ケース体５１０の軸支孔５１１に被駆動部材５５０の軸部５５３を挿通させ、被駆動部材５５０の介設板部５６１及び正面板部５５１どうしを締結固定する。これにより、正面ケース体５１０に被駆動部材５５０を回転可能な状態で組み付けることができる。この組み付けに際しては、被駆動部材５５０（介設板部５５２）の接続溝５５２に、従動部材５６０における介設板部５６１の接続軸５６１ｂを事前に挿通させておく。
【０２００】
次いで、背面ケース体５２０の挿通孔５２２を介して、駆動モータ５３０の駆動軸５３１にクランク部材５４０を装着すると共に、そのクランクピン５４１を正面ケース体５１０の挿通孔５１２を介して被駆動部材５５０（正面板部５５１）の駆動溝５５１ａに挿通させる。併せて、背面ケース体５２０の第２案内溝５２３に従動部材５６０（介設板部５６１）の接続軸５６１ｂを挿通させ、従動部材５６０の介設板部５６１及び背面板部５６３どうしを締結固定する。これにより、従動部材５６０を、背面ケース体５２０に回転可能な状態で組み付けることができると共に、被駆動部材５５０に回転可能かつスライド変位可能な状態で接続でき、また、クランク部材５４０を介して駆動モータ５３０の回転駆動力を被駆動部材５５０へ伝達可能な状態を形成できる。
【０２０１】
その後、正面ケース体５１０及び背面ケース体５２０どうしをねじ（図示せず）により締結固定する。これにより、駆動モータ５３０の回転駆動力により被駆動部材５５０を変位させ、その被駆動部材５５０の変位に伴って従動部材５６０を変位（従動）させることが可能な状態で、複合動作ユニット５００を１の装置としてユニット化できる。このように、複合動作ユニット５００によれば、正面ケース体５１０及び背面ケース体５２０に対し各構成要素を順に組み付けることで、組み立て可能であるので、その組立コストを削減できるだけでなく、ユニット化できることで、ユニット収納部材３００（遊技機本体、図５及び図６参照）への組み付けを容易として、パチンコ機１０の製造コストの削減を図ることができる。
【０２０２】
次いで、図２７から図３２を参照して、複合動作ユニット５００の動作について説明する。図２７（ａ）、図２８（ａ）及び図２９（ａ）は、第１案内溝５１３との関係を示す被駆動部材５５０及び従動部材５６０の正面模式図であり、図２７（ｂ）、図２８（ｂ）及び図２９（ｂ）は、第２案内溝５２３との関係を示す被駆動部材５５０及び従動部材５６０の正面模式図である。
【０２０３】
同様に、図３０（ａ）、図３１（ａ）及び図３２（ａ）は、第１案内溝５１３との関係を示す被駆動部材５５０及び従動部材５６０の正面模式図であり、図３０（ｂ）、図３０（ｂ）及び図３０（ｂ）は、第２案内溝５２３との関係を示す被駆動部材５５０及び従動部材５６０の正面模式図である。
【０２０４】
なお、図２７及び図３０は、従動部材５６０が退避位置に配置された状態（図１８及び図２０に示す状態）に対応し、図２９及び図３２は、従動部材５６０が張出位置に配置された状態（図１９及び図２０に示す状態）に対応する。また、図２８及び図３１に示す状態は、従動部材５６０が退避位置および張出位置の間に配置された状態に対応する。
【０２０５】
図２７及び図３０に示すように、従動部材５６０が退避位置に配置された状態では、クランク部材５４０のクランクピン５４１が駆動モータ５３０の駆動軸５３１に対して正面視右側（図３０（ａ）右側）に位置し、これにより、被駆動部材５５０は、正面板部５５１の先端側（駆動溝５５１ａの形成部分）を正面視右側（図３０（ｂ）右側）に傾倒させると共に、介設板部５５２の先端側（接続溝５５２ａの形成部分）を上方（図３０（ｂ）上側）に持ち上げた姿勢とされる。即ち、被駆動部材５５０が、軸部５５３，５５４（図２０及び図２１参照）を回転中心とする正面視時計回り（右回り）方向への回転終端となる回転位置に配置される。
【０２０６】
一方、従動部材５６０は、上述したように、被駆動部材５５０が介設板部５５２の先端側を上方へ持ち上げた姿勢とされることで、接続軸５６１ｂが第２案内溝５２３の上端側（図２７（ｂ）上側）へ押し上げられた姿勢とされる。即ち、従動部材５６０が、上下方向（図３０（ｂ）上下方向）において最も上方となる位置に配置されると共に、左右方向（図３０（ｂ）左右方向）において最も左方となる位置に配置される。また、従動部材５６０は、介設板部５６１の第１ピン５６１ａが第１案内溝５１３の上端側（図２７（ａ）左上側）に位置することで、介設板部５６１の先端側（第１ピン５６１ａの配設部分）を正面視左方（図２７（ａ）左側）へ向けた水平姿勢とされる。即ち、従動部材５６０が、接続軸５６１ｂを回転中心とする正面視反時計回り（左回り）方向への回転終端となる回転位置に配置される。
【０２０７】
図２７及び図３０に示す従動部材５６０が退避位置に配置された状態から、駆動モータ５３０の回転駆動力により、クランク部材５４０が駆動軸５３１を回転中として正面視反時計回り（左回り）に回転されると、クランク部材５４０のクランクピン５４１が被駆動部材５５０の正面板部５５１における駆動溝５５１ａに沿って摺動されることで、被駆動部材５５０が軸部５５３，５５４（図２０及び図２１参照）を回転中心として正面視反時計回り（左回り）方向へ回転され、図２８及び図３１に示すように、従動部材５６０が退避位置と張出位置との略中間となる位置に配置される。
【０２０８】
図２８及び図３１に示すように、従動部材５６０が退避位置と張出位置との略中間となる位置に配置されると、被駆動部材５５０は、正面板部５５１を略直立させると共に、介設板部５５２を略水平とする姿勢とされる。即ち、被駆動部材５５０が、軸部５５３，５５４（図２０及び図２１参照）を回転中心とする回転可能範囲における略中間となる回転位置に配置される。
【０２０９】
一方、従動部材５６０は、被駆動部材５５０が介設板部５５２を略水平とする姿勢とされることで、その介設板部５５２の接続溝５５２ａによって押し下げられた接続軸５６１ｂが、第２案内溝５２３の中間位置に配置された姿勢とされる。即ち、従動部材５６０が、上下方向（図３１（ｂ）上下方向）の変位可能範における略中間となる位置に配置されると共に、左右方向（図３０（ｂ）左右方向）において最も右方となる位置に配置される。また、従動部材５６０は、介設板部５６１の第１ピン５６１ａが第１案内溝５１３の略中間となる位置に配置されることで、介設板部５６１の先端側（第１ピン５６１ａの配設部分）を正面視左上方（図２８（ａ）左上側）へ向けた傾斜姿勢とされる。即ち、従動部材５６０が、接続軸５６１ｂを回転中心とする回転可能範囲における略中間となる回転位置に配置される。
【０２１０】
図２８及び図３１に示す状態から、駆動モータ５３０の回転駆動力により、クランク部材５４０が駆動軸５３１を回転中として正面視反時計回り（左回り）に更に回転されると、クランク部材５４０のクランクピン５４１が被駆動部材５５０の正面板部５５１における駆動溝５５１ａに沿って摺動されることで、被駆動部材５５０が軸部５５３，５５４（図２０及び図２１参照）を回転中心として正面視反時計回り（左回り）方向へ回転され、図２９及び図３２に示すように、従動部材５６０が張出位置に配置される。
【０２１１】
図２９及び図３２に示すように、従動部材５６０が張出位置に配置された状態では、クランク部材５４０のクランクピン５４１が駆動モータ５３０の駆動軸５３１に対して正面視左側（図３２（ａ）左側）に位置し、これにより、被駆動部材５５０は、正面板部５５１の先端側（駆動溝５５１ａの形成部分）を正面視左側（図３２（ｂ）左側）に傾倒させると共に、介設板部５５２の先端側（接続溝５５２ａの形成部分）を下方（図３２（ｂ）下側）に落とし込んだ姿勢とされる。即ち、被駆動部材５５０が、軸部５５３，５５４（図２０及び図２１参照）を回転中心とする正面視反時計回り（左回り）方向への回転終端となる回転位置に配置される。
【０２１２】
一方、従動部材５６０は、上述したように、被駆動部材５５０が介設板部５５２の先端側を下方へ落とし込んだ姿勢とされることで、接続軸５６１ｂが第２案内溝５２３の下端側（図２９（ｂ）下側）へ押し下げられた姿勢とされる。即ち、従動部材５６０が、上下方向（図３２（ｂ）上下方向）において最も下方となる位置に配置されると共に、左右方向（図３２（ｂ）左右方向）において最も左方となる位置に配置される。また、従動部材５６０は、介設板部５６１の第１ピン５６１ａが第１案内溝５１３の下端側（図２９（ａ）右下側）に位置することで、介設板部５６１の先端側（第１ピン５６１ａの配設部分）を正面視上方（図２９（ａ）上側）へ向けた直立姿勢とされる。即ち、従動部材５６０が、接続軸５６１ｂを回転中心とする正面視時計回り（右回り）方向への回転終端となる回転位置に配置される。
【０２１３】
以上のように、複合動作ユニット５００によれば、駆動モータ５３０の回転駆動力によって被駆動部材５５０を変位（回転）させると、その被駆動部材５５０の変位に伴って、従動部材５６０を、被駆動部材５５０に対して相対変位をさせつつ、従動させることができる。即ち、被駆動部材５５０の変位の態様が、軸部５３３，５５４を回転中心とする回転であり、一定の軌道で変位される場合であっても、その被駆動部材５５０とは異なる軌道（変位の態様）で従動部材５６０を変位させることができる。また、かかる変位の態様の変化は、被駆動部材５５０に対して従動部材５６０が相対変位することで形成されるので、被駆動部材５５０を一定の速度で変位（回転）させたとしても、その被駆動部材５５０とは異なる軌道（変位の態様）で従動部材５６０を変位させることができる。その結果、駆動モータ５３０の出力を一定としつつ、従動部材５６０の変位の態様に変化を付与できる。
【０２１４】
この場合、本実施形態では、被駆動部材５５０に対して従動部材５６０を相対変位させる手段（変位規定手段）が、正面ケース体５１０及び背面ケース体５２０の第１案内溝５１３及び第２案内溝５２３と従動部材５６０の第１ピン５６１ａ及び接続軸５６１ｂとにより形成される。即ち、各案内溝５１３，５２３に沿って第１ピン５６１ａ及び接続軸５６１ｂが案内されることで、各ケース体５１０，５２０に対する従動部材５６０の変位を規定できる。これにより、各案内溝５１３，５２３の輪郭（形状）に応じて、被駆動部材５５０に対する従動部材５６０の相対変位を形成できる。その結果、変位規定手段が案内溝とそれに案内される軸状体という機械的要素により形成でき、その構造が簡素化されるので、製品コストの削減を図ることができる。また、簡素な機械的要素を採用できることから、可動部分としての信頼性および耐久性の向上を図ることができる。
【０２１５】
また、第１案内溝５１３及び第２案内溝５２３の輪郭（形状）を設定することで、被駆動部材５５０に対する従動部材５６０の相対変位の態様を任意に設定できるので、従動部材５６０の変位の態様を設定する際の設計の自由度を高めることができる。その結果、従動部材５６０に付与可能な変位の態様のバリエーションを確保しやすくできる。
【０２１６】
特に、本実施形態では、従動部材５６０が被駆動部材５５０に回転可能かつスライド変位可能に接続されるところ、第１案内溝５１３及び第１ピン５６１ａにより構成され主に回転を規定する第１の案内構造と、第２案内溝５２３及び接続軸５６１ｂにより構成され主にスライド変位を規定する第２の案内構造とを設ける。これにより、変位の態様に付与できる変化のバリエーションを増やすことができるだけでなく、被駆動部材５５０に対する従動部材５６０の変位が複数種類（回転およびスライド変位）となる場合でも、これら各変位を第１及び第２の案内構造によってそれぞれ適切に案内することができる。その結果、従動部材５６０の変位を安定化させることができ、可動部材としての信頼性の向上を図ることができる。
【０２１７】
ここで、上述した第１の案内構造は、例えば、第１案内溝５１３を介設板部５６１又は背面板部５６３に、第１ピン５６１ａを正面ケース体５１０又は背面ケース体５２０に、それぞれ形成する構成でも成立する。これに対し、本実施形態では、第１案内溝５１３を正面ケース体５１０に、第１ピン５６１ａを介設板部５６１に、それぞれ形成する。これにより、第１案内溝５１３を形成するためのスペースを確保しやすくできる。
【０２１８】
即ち、正面ケース体５１０及び背面ケース体５２０は、被駆動部材５５０及び従動部材５６０の変位スペースを確保しつつこれら両部材５５０，５６０を保持する必要があるため、比較的大きな外形に形成せざるを得ず、その板面にデッドスペースが形成される傾向がある。よって、第１案内溝部５１３の形成対象を正面ケース体５１０とすることで、デッドスペースを有効に利用して、第１案内溝５１３を形成するためのスペースを十分に確保できる。その結果、第１案内溝５１３の輪郭（形状）や延設長さの自由度を増加させること可能となり、その分、変位の態様に付与できる変化のバリエーションを増やすことができる。なお、第２の案内構造についても第１の案内構造の場合と同様であるので、その説明は省略する。
【０２１９】
また、第１の案内構造および第２の案内構造は、第１案内溝５１３及び第２案内溝５２３の両者を背面ケース体５２０に形成する構成でも成立する。これに対し、本実施形態では、第１案内溝５１３を正面ケース体５１０に、第２案内溝５２３を背面ケース体５２０に、それぞれ形成するので、これら第１案内溝５１３及び第２案内溝５２３を互いに相手の形成位置を考慮することなく形成することができる。
【０２２０】
即ち、第１案内溝５１３及び第２案内溝５２３の両者を背面ケース体５２０に形成する場合には、これら第１案内溝５１３及び第２案内溝５２３が交差しないように形成する必要があり、その輪郭（形状）や延設長さの設計の自由度が制限される。これに対し、本実施形態によれば、第１案内溝５１３及び第２案内溝５２３の両者において、その輪郭（形状）や延設長さを相手との位置関係を考慮することなく任意に設定できるので、その設計の自由度を増加させ、その分、変位の態様に付与できる変化のバリエーションを増やすことができる。
【０２２１】
次いで、図３３から図３９を参照して、回転動作ユニット６００について説明する。図３３は、回転動作ユニット６００の正面斜視図である。
【０２２２】
図３３に示すように、回転動作ユニット６００は、球体液晶装置６７０に対し、その周囲を取り囲むように正面視円環状の第１回転体６５０が配置されると共に、その第１回転体６５０の背面側に正面視円環状の第２回転体６６０が同心に配置され、本実施形態では、これら第１回転体６５０及び第２回転体６６０が異なる回転速度で且つ互いに逆方向へ回転される。
【０２２３】
ここで、複数の回転体を互いに離れた位置に配置される従来品では、それら複数の回転体の回転を関連づけて遊技者に認識させることが困難であった。即ち、従来品は、各回転体が他の回転体と関わり合わずに、それぞれが独立して回転される形態であり、そのため、複数の回転体を回転させることによる演出の効果を十分に発揮させることができなかった。
【０２２４】
これに対し、本実施形態における回転動作ユニット６００によれば、球体液晶装置６７０を中心として、第１回転体６５０と第２回転体６６０とが同心に配置され、これら二つの回転体が異なる回転態様（回転速度および回転方向を互いに異ならせる態様）で回転されるので、これらの回転を関連づけて遊技者に認識させやすくでき、複数の回転体を回転させることによる演出の効果を発揮することができる。かかる回転動作ユニット６００の詳細構成について、以下に説明する。
【０２２５】
図３４は、回転動作ユニット６００の分解正面斜視図であり、図３５は、回転動作ユニット６００の分解背面斜視図である。また、図３６は、回転動作ユニット６００の縦断面図である。なお、図３５及び図３６では、球体液晶装置６７０の図示が省略される。また、図３６に示す断面は、第１回転体６５０及び第２回転体６６０の回転中心を含む平面により切断された回転動作ユニット６００の断面に対応する。
【０２２６】
図３４から図３６に示すように、回転動作ユニット６００は、その骨格をなす表ケース体６１０及び背面ケース体６２０と、背面ケース体６２０の背面側に配設される駆動モータ６３０と、その駆動モータ６３０の回転駆動力を伝達する伝達手段としての複数の歯車（第１〜第５収納ギヤ６４１〜６４５及び正面ギヤ６４６）と、それら複数の歯車を介して駆動モータ６３０の回転駆動力が伝達されて回転される第１回転体６５０及び第２回転体６６０と、それら第１回転体６５０及び第２回転体６６０の内周側に配設される球体液晶装置６７０と、正面ケース体６１０の正面に配設される発光装置６８０と、を主に備えて構成される。
【０２２７】
正面ケース体６１０及び背面ケース体６２０は、樹脂材料から平板状に形成され、所定間隔を隔てた状態で対向配置されると共に、ねじ（図示せず）によって互いが締結固定されることで、その対向面間に内部空間が形成される収容部材として構成される。これら正面ケース体６１０及び背面ケース体６２０の内部空間（対向面間）には、第１〜第５収納ギヤ６４１〜６４５と、第１回転体６５０の収納フランジ部６５３とがそれぞれ収納される。
【０２２８】
正面ケース体６１０及び背面ケース体６２０には、正面視円形の開口６１１，６２１がそれぞれ開口形成され、これら開口６１１，６２１は、組立状態において同心に配設される。正面ケース体６１０の正面側には、開口６１１，６２１と同心となる位置に、筒状の筒状部６１２が正面（前方）へ向けて突設される。正面ケース体６１０は、開口６１１及び筒状部６１２の内径寸法が同一の寸法に設定され、それら開口６１１及び筒状部６１２の内周側には、第１回転体６１０の本体部６５１が回転可能に支持される。また、筒状部６１２の外周側には、第２回転体６２０が回転可能に支持される。
【０２２９】
このように、正面ケース体６１０の筒状部６１１の内周面および外周面により、第１回転体６５０（本体部６５１）及び第２回転体６６０を回転可能に支持することで、これら第１回転体６５０及び第２回転体６６０の配設位置を、それぞれ正面ケース体６１０を基準として規定できる。よって、後述するように、第１回転体６５０（収納フランジ部６５３）及び第２回転体６６０のそれぞれの外周面に刻設された歯車（第１及び第２外周ギヤ６５３ａ，６６１ａ）と、正面ケース体６１０に配設される第２収容ギヤ６４２及び正面ギヤ６４６との間の位置関係を、正面ケース体６１０を基準として規定できる。その結果、両回転体６５０，６６０の両外周ギヤ６５３ａ，６６１ａと第２収容ギヤ６４２及び正面ギヤ６４６との歯合状態を安定化させることができるので、歯車の偏摩耗を抑制できると共に駆動抵抗の抑制を図ることができる。
【０２３０】
駆動モータ６３０は、その駆動軸にピニオンギヤ６３１が取着され、背面ケース体６２０の背面に装着されることで、ピニオンギヤ６３１を、伝達手段を構成する複数の歯車のうちの第１収納ギヤ６４１に歯合させる。よって、駆動モータ４２０の回転駆動力を、ピニオンギヤ４３１を介して、伝達手段（複数の歯車）へ伝達することができ、その結果、後述するように、第１回転体６５０及び第２回転体６６０をそれぞれ回転させることができる。
【０２３１】
第１〜第５収納ギヤ６４１〜６４５及び正面ギヤ６４６は、上述したように、駆動モータ６３０の回転駆動力を第１回転体６５０及び第２回転体６６０へ伝達するための歯車群であり、歯が回転軸と平行に外周面に刻設される平歯車としてそれぞれ形成される。第１〜第５収納ギヤ６４１〜６４５は、正面ケース体６１０の背面側に回転可能に軸支され、直列に連結（歯合）し合うことで、第１収納ギヤ６４１を先頭とし第５収納ギヤ６４５を後尾とする１のギヤトレーン（歯車列）を形成する。
【０２３２】
正面ギヤ６４６は、第５収納ギヤ６４５に同期回転可能な状態で、正面ケース体６１０の正面側に回転可能に軸支される。即ち、正面ギヤ６４６及び第５収納ギヤ６４５は、正面ケース体６１０を貫通して配設される回転軸の一端および他端にそれぞれ固着され、これら両ギヤ６４５，６４６と回転軸とが一体となって回転される。
【０２３３】
このように構成される歯車群によれば、駆動モータ６３０が回転駆動されると、その回転駆動力がピニオンギヤ６３１を介して第１収容ギヤ６４１に伝達され、第１収容ギヤ６４１が回転される。第１収容ギヤ６４１の回転は、ギヤトレーン（歯車列）の作用により第５収容ギヤ６４５まで伝達され、かかる第５収容ギヤ６４５が回転されることで、正面ギヤ６４６が回転される。
【０２３４】
ここで、後述するように、第２収容ギヤ６４２には、第１回転体６５０（収納フランジ部６５３）の第１外周ギヤ６５３ａが、正面ギヤ６４６には、第２回転体６６０の第２外周ギヤ６６１ａが、それぞれ歯合されるので、駆動モータ６３０の回転駆動に伴い、第１回転体６５０及び第２回転体６６０をそれぞれ回転させることができる。即ち、１の駆動モータ６３０の回転駆動により、２の回転体（第１回転体６５０及び第２回転体６６０）を同時に回転させることができる。
【０２３５】
この場合、本実施形態では、第２収容ギヤ６４２と第５収容ギヤ６４５との間には、偶数個のギヤ（第３及び第４収容ギヤ６４３，６４４）が介在される。よって、第５収容ギヤ６４５に同期回転される正面ギヤ６４６と第２収容ギヤ６４２との間の回転速度を異なるせることができるだけでなく、第２収容ギヤ６４２と正面ギヤ６４６との間の回転方向を異ならせることもできる。その結果、後述するように、第１回転体６５０と第２回転体６６０との間の回転速度および回転方向をそれぞれ異ならせることができる。
【０２３６】
また、本実施形態では、正面ケース体６１０の背面側に第２収納ギヤ６４２を含む歯車列が、正面ケースチア６１０の正面側に正面ギヤが、それぞれ配設され、正面ケース体６１０の正面側および背面側において、それぞれ第２収納ギヤ６４２及び正面ギヤ６４６を、第１回転体６５０の第１外周ギヤ６５３ａ及び第２回転体６６０の第２外周ギヤ６５１ａに歯合させる。よって、例えば、正面ケース体６１０の正面側に第２収納ギヤ６４２及び正面ギヤ６４６の両者を配置し、これら両ギヤ６４２，６４６を、第１回転体６５０及び第２回転体６６０にそれぞれ歯合させる構造と比較して、駆動モータ６３０の回転駆動力を第１回転体６５０及び第２回転体６６０へ伝達する伝達構造だけでなく、第１回転体６５０及び第２回転体６６０自体の構造も簡素化できる。
【０２３７】
更に、歯車列とその歯車列のうちの第２収納ギヤ６４２が歯合される第１回転体６５０の収納フランジ部６５３とが、正面ケース体６１０の背面側に配設されることで、回転動作ユニット６００を正面視する遊技者に対して、歯車列および収納フランジ部６５３とを正面ケース体６１０により遮蔽することができる。即ち、歯車列および収納フランジ部６５３を視認不能に遮蔽するための遮蔽構造を、別部材を設けることを必要とせず、背面ケース体６１０を利用して簡素に形成することができる。
【０２３８】
第１回転体６５０は、球体液晶装置６７０の周囲を回転することで演出を行うための演出部材であり（図３３参照）、本体部６５１と、その本体部６５１の軸方向一側に一体に形成される正面演出部６５２と、本体部６５１の軸方向他側（軸方向端面）にねじにより締結固定される収納フランジ部６５３と、を主に備える。
【０２３９】
本体部６５１は、樹脂材料から円筒状に形成される部位であり、正面ケース体６１０における開口６１１及び筒状部６１２の内周側に挿通される。即ち、第１回転体６５０は、本体部６５１を回転軸として、正面ケース体６１０（開口６１１及び筒状部６１２）に回転可能に保持される。ここで、本体部６５１の詳細構成について、図３７を参照して説明する。
【０２４０】
図３７（ａ）は、本体部６５１の背面図であり、図３７（ｂ）は、図３７（ａ）のＸＸＸＶＩＩ部分を拡大して示す本体部６５１の部分拡大背面図である。なお、図３７（ｂ）では、理解を容易とするために、第１突出部６５１ａ及び第２突出部６５１ｂの直径が実際よりも拡大して模式的に図示されると共に、第１突出部６５１ａ及び第２突出部６５１ｂの各頂部がそれぞれ内接される仮想の円である仮想円ＩＳが二点鎖線を用いて図示される。
【０２４１】
図３７（ａ）及び図３７（ｂ）に示すように、本体部６５１には、第１突出部６５１ａ及び第２突出部６５１ｂが形成されると共に、第２突出部６５１ｂに対応する位置には、オフセット部６５１ｃが形成される。
【０２４２】
第１突出部６５１ａ及び第２突出部６５１ｂは、本体部６５１の外周面および内周面のそれぞれから突出して形成されると共に本体部６５１の軸方向（図３７（ａ）紙面垂直方向）に沿いつつ本体部６５１の全長にわたって延設される部位であり（図３５参照）、周方向等間隔となる複数箇所（本実施形態では合計８箇所）であって、第１突出部６５１ａと第２突出部６５１ｂとが周方向に交互に点在して配置されて形成される。
【０２４３】
即ち、第１突出部６５１ａは、本体部５６１の板厚寸法よりも大きな直径寸法を有する断面円形の円柱状体を本体部６５１と軸方向を一致させた姿勢で本体部６５１内に埋設し、この埋設された円柱状体のうちの本体部６５１の外周面および内周面から突出した部分（円柱状体の一部）により形成される。第２突出部６５１ｂについても、本体部６５１に埋設される円柱状体の直径が第１突出部６５１ａよりも大径とされる点を除き、第１突出部６５１ａと同様である。
【０２４４】
このように、本体部６５１の外周面および内周面から突出される第１突出部６５１ａ及び第２突出部６５１ｂが軸方向に沿って本体部６５１の全長にわたって延設されることで、本体部６５１の剛性を高めることができる。
【０２４５】
なお、第２突出部６５１ｂは、本体部６５１の軸方向端面（図３７（ｂ）紙面手前側面）から更に軸方向に沿って延設される。よって、後述するように、本体部６５１に収納フランジ部６５３がねじにより締結固定される際には、第２突出部６５１ｂの軸方向への延設部分が、収納フランジ部６５３の前面に凹設される凹部に内嵌されることで、本体部６５１及び収納フランジ部６５３を相対回転不能に強固に結合させることができる（図３６参照）。
【０２４６】
オフセット部６５１ｃは、本体部６５１における第２突出部６５１ｂ形成部分の近傍を、板厚寸法を保持しつつ内周側にオフセットさせた部分であり、第２突出部６５１ｂの直径の略３倍の範囲（周方向）にわたって形成される。即ち、オフセット部６５１ｃは、図３７（ｂ）に示す本体部６５１の軸方向視において、本体部６５１と同心の円弧状に湾曲される。このように本体部６５１にオフセット部６５１ｃが形成されることで、後述するように第２突出部６５１ｂの軸心を軸心側にオフセットさせて位置させることができると共に、本体部６５１全体としての剛性を高めることができる。
【０２４７】
複数（本実施形態では４個）の第１突出部６５１ａは、本体部６５１の外周面からの突出量が互いに同一に設定され、複数（本実施形態では４個）の第２突出部６５２ｂは、本体部６５１の外周面からの突出量が互いに同一に設定されると共に、オフセット部６５１ｃによるオフセットにより第１突出部６５１ａの突出量とも同一とされる。複数（本実施形態では８個）の第１突出部６５１ａ及び第２突出部６５２ｂは、本体部６５１の外周面からの突出量がそれぞれ同一に設定される。これにより、図３７（ｂ）に示すように、第１突出部６５１ａ及び第２突出部６５２ｂの各頂部が内接する仮想円ＩＳを、本体部６５１の外周側に同心に設定することができる。この場合、仮想円ＩＳの直径寸法は、正面ケース体６１０における開口６１１及び筒状部６１２の内径寸法と同等の寸法または若干大きな寸法に設定される。
【０２４８】
よって、正面ケース体６１０の開口６１１及び筒状部６１２の内周側に第１回転体６５０の本体部６５１が挿通された状態では、それらの接触領域を第１突出部６５１ａ及び第２突出部６５１ｂの各頂部に限定できるので、接触抵抗を抑制して、開口６１１及び筒状部６１２の内周側で本体部６５１をスムーズに回転させることができる。
【０２４９】
特に、第１突出部６５１ａ及び第２突出部６５１ｂは、軸方向視円弧状（詳細には、本体部６５１の軸方向に直交する平面で切断した断面の形状が外方へ凸となる円弧状）に湾曲されるので、接触面積を抑制できるだけでなく、正面ケース体６１０の開口６１１及び筒状部６１２の内周面に対して第１及び第２突出部６５１ａ，６５１ｂの頂部を滑らかに接触させることができるので、寸法公差に起因してがたつきを有する場合であっても、開口６１１及び筒状部６１２の内周側で本体部６５１をよりスムーズに回転させることができる。
【０２５０】
第１突出部６５１ａ及び第２突出部６５１ｂは、上述したように、本体部６５１の外周面から突出されるだけでなく、本体部６５１の内周面からも突出される。これにより、本体部６５１を樹脂金型により成形する際には、本体部６５１の形状を外周面側および内周面側において均一化（対称形状化）して、その成形性を確保できる。
【０２５１】
特に、本実施形態では、図３７（ｂ）に示す本体部６５１の軸方向視において、第１突出部６５１ａは、本体部６５１の外周面から突出して形成される部分の突出寸法と本体部６５１の内周面から突出して形成される部分の突出寸法とが同一とされる。同様に、第２突出部６５１ａは、オフセット部６５１ｃの外周面から突出して形成される部分の突出寸法とオフセット部６５１ｃの内周面から突出して形成される部分の突出寸法とが同一とされる。よって、本体部６５１の外周面側および内周面側における形状をより均一化（対称形状化）して、その成形性を更に確保できる。
【０２５２】
また、第２突出部６５１ｂには、その軸方向に沿って穿設される断面円形の孔が全長にわたって穿設される（図３６参照）。これにより、第１突出部６５１ａに比較して大径とされる第２突出部６５１ｂにおける肉厚寸法を他の部分（本体部６５１やオフセット部６５１ｃ、第１突出部６５１ａなど）と均一化でき、その結果、本体部６５１の成形性を確保できる。
【０２５３】
この場合、第２突出部６５１ｂに穿設される孔の内周面にはめねじが刻設され、収納フランジ部６５３を締結固定するためのねじが螺合可能とされる（図３６参照）。このように、ねじを締結するためのねじ締結部を、比較的大径に形成される第２突出部６５１ｂが担うことで、ねじ締結部の強度を確保できる。特に、第２突出部６５１ｂはオフセット部６５１ｃに形成される部位であり、本体部６５１の剛性が強化されているので、本体部６５１と収納フランジ部６５３との連結部分を第２突出部６５１ｂが担うことで、両者を強固に連結できると共に、耐久性の向上を図ることができる。
【０２５４】
図３４から図３６に戻って説明する。正面演出部６５２は、遊技者に演出部分として視認される部位であり、本体部６５１の外周面から径方向外方へフランジ状に張り出して形成される。正面演出部６５２の正面（前面、外観形成面）には、メッキが施され、光沢のある金属を模した外観が正面演出部６５２に付与される。なお、正面演出部６５２は、光透過性の樹脂材料からなるが、メッキが施されることで、正面演出部６５２を透かして発光装置６８０（発光素子６８１）が遊技者に視認されることを回避できる。
【０２５５】
正面演出部６５２の正面視形状は、不定形状の山（第２部分）と谷（第１部分）とが周方向に沿って繰り返される鋸刃形状に形成され、本実施形態では、１６個の山（谷）が周方向不等間隔（不等ピッチ）で配設される。後述するように、第１回転体６５０が回転されると、正面演出部６５２の山と谷とが発光装置６８０の発光素子６８１の正面側（前方）を順に通過することで、遊技者に発光素子６８１を断続的かつ選択的に視認させることができる（図３９参照）。
【０２５６】
収納フランジ部６５３は、正面ケース体６１０及び背面ケース体６２０の内部空間（対向面間）に収納される部位であり、正面視円環形状に形成されると共に、正面ケース体６１０の筒状部６１２に挿通された本体部６５１の軸方向端面に開口６１１を介して締結固定される。詳細には、収納フランジ部６５３に挿通されたねじを、上述したように、本体部６５１の第２突出部６５１ｂに螺合させることで、本体部６５１に収納フランジ部６５３が締結固定される。
【０２５７】
収納フランジ部６５３は、その厚み寸法が、正面ケース体６１０及び背面ケース体６２０の対向面間隔と同等の寸法または若干小さな寸法に設定されると共に、外径寸法が、正面ケース体６１０及び背面ケース体６２０における開口６１１，６２１の内径寸法よりも大きな寸法に設定される。よって、第１回転体６５０は、収納フランジ部６５３の正面または背面を正面ケース体６１０の背面または背面ケース体６２０の正面に当接させることで、その第１回転体６５０の軸方向位置を規定できる。
【０２５８】
収納フランジ部６５３の外周面には、第１外周ギヤ６５３ａが刻設され、この第１外周ギヤ６５３ａには、正面ケース体６１０の背面に配設される上述した歯車列のうちの第２収納ギヤ６４２が歯合される。よって、駆動モータ６３０の回転駆動力により歯車列が回転されると、その回転が、第２収納ギヤ６４２及び第１外周ギヤ６５３ａを介して収納フランジ部６５３に伝達され、第１回転体６５０が回転される。
【０２５９】
このように、第１回転体６５０は、収納フランジ部６５３の外周面に第１外周ギヤ６５３ａを刻設し、正面ケース体６１０の開口５１１に周縁に沿って配設された歯車列のうちの第２収納ギヤ６４２を第１外周ギヤ６５３ａに歯合させるので、駆動モータ６３０の回転駆動力を第１回転体６５０へ伝達するための伝達構造を簡素化できる。特に、第１回転体６５０は、筒状に形成され、その内周側に後述する球体液晶装置６７０の被投射面部６７１が配設されるため、内周面側にスペースを確保することが困難となる。そのため、第１回転体６５０の外周側に上述した伝達構造を配設できることが有効となる。
【０２６０】
また、上述したように、第１回転体６５０（本体部６５１）は、正面ケース体６１０の筒状部６１１の内周面に回転可能に支持されるので、かかる第１回転体６５０の配設位置を、正面ケース体６１０を基準として規定できる。よって、第１回転体６５０（収納フランジ部６５３）の外周面に刻設された歯車（第１外周ギヤ６５３ａ）と、正面ケース体６１０に配設される第２収容ギヤ６４２との間の位置関係を、正面ケース体６１０を基準として規定できる。その結果、第１回転体６５０の第１外周ギヤ６５３ａと第２収容ギヤ６４２との歯合状態を安定化させることができるので、歯車の偏摩耗を抑制できると共に駆動抵抗の抑制を図ることができる。
【０２６１】
第２回転体６６０は、第１回転体６５０の背面側で回転することで演出を行うための演出部材であり（図３３参照）、光透過性の樹脂材料から円筒状に形成される本体部６６１と、その本体部６６１の軸方向端面に一体に形成される正面演出部６６２と、を主に備える。
【０２６２】
本体部６６１は、その内径寸法が正面ケース体６１０における筒状部６１２の外径寸法と同等の寸法または若干大きな寸法に設定され、筒状部６１２の外周側に外嵌されることで（即ち、本体部６６１の内周側に筒状部６１２を挿通させることで）、正面ケース体６１０（筒状部６１２）に回転可能に保持される。
【０２６３】
本体部６６１の外周面には、第２外周ギヤ６６１ａが刻設され、この第２外周ギヤ６６１ａには、正面ケース体６１０の正面に配設される上述した正面ギヤ６４６が歯合される。よって、駆動モータ６３０の回転駆動力により上述した歯車列および正面ギヤ６４６が回転されると、その回転が、正面ギヤ６４６及び第２外周ギヤ６６１ａを介して本体部６６１に伝達され、第２回転体６６０が回転される。
【０２６４】
このように、第２回転体６６０は、その外周面に第２外周ギヤ６６１ａを刻設し、正面ケース体６１０の正面に配設された正面ギヤ６４６を第２外周ギヤ６６１ａに歯合させるので、駆動モータ６３０の回転駆動力を第２回転体６６０へ伝達するための伝達構造を簡素化できる。特に、第２回転体６５０は、筒状に形成され、正面ケース体６１０の筒状部６１２に外嵌されることで回転可能の保持される構造であるため、内周面側にスペースを確保することが困難となる。そのため、第２回転体６６０の外周側に上述した伝達構造を配設できることが有効となる。
【０２６５】
また、上述したように、第２回転体６６０は、正面ケース体６１０の筒状部６１１の外周面に回転可能に支持されるので、かかる第２回転体６６０の配設位置を、正面ケース体６１０を基準として規定できる。よって、第２回転体６６０の外周面に刻設された歯車（第２外周ギヤ６６１ａ）と、正面ケース体６１０に配設される正面ギヤ６４６との間の位置関係を、正面ケース体６１０を基準として規定できる。その結果、第２回転体６６０の第２外周ギヤ６６１ａと正面ギヤ６４６との歯合状態を安定化させることができるので、歯車の偏摩耗を抑制できると共に駆動抵抗の抑制を図ることができる。
【０２６６】
本体部６６１は、その軸方向寸法が、正面ケース体６１０の正面と第１回転体６５０の正面演出部６５２の背面との対向間隔と同等の寸法または若干小さい寸法に設定される。よって、第２回転体６６０は、本体部６６１の軸方向一側の端面または軸方向他側の端面を第１回転体６５０の正面演出部６５２の背面または正面ケース体６１０の正面に当接させることで、その第２回転体６５０の軸方向位置を規定できる。
【０２６７】
なお、本体部６６１は、その軸方向一側の端面および軸方向他側の端面に正面凸条６６１ｂ及び背面凸条６６１ｃがそれぞれ突設される。正面凸条６６１ｂは正面視円環形状に形成されると共に、背面凸条６６１ｃは正面視円環形状を複数箇所で分断した形状に形成される。これにより、第１回転体６６０を回転させる際には、本体部６６１と正面ケース６１０及び第２回転体６５０（正面演出部６５２）との間の摩擦抵抗を低減して、駆動モータ６３０の負荷を抑制できる。
【０２６８】
正面演出部６６２は、第１回転体６５０における正面演出部６５２の背面側に位置し、その演出部６５２と共に遊技者に演出部分として視認される部位であり、本体部６６１の外周面から径方向外方へフランジ状に張り出して形成される。正面演出部６６２は、不定形状の山と谷とが周方向に沿って繰り返される鋸刃形状に形成される外周側部分６６２ａと、その外周側部分６６２ａの内周側における正面視円環形状の部分である内周側部分６６２ｂとを備える。
【０２６９】
正面演出部６６２の正面（前面、外観形成面）には、第１回転体６５０の正面演出部６５２の場合と同様に、メッキが施される。但し、上述した第１回転体６５０では、正面演出部６５２の全面（全範囲）にメッキが施されたが、第２回転体６５０では、正面演出部６６２のうちの外周側部分６６２ａのみにメッキが施され、内周側部分６６２ｂにはメッキは施されない。
【０２７０】
よって、後述するように、第１回転体６５０における正面演出部６５２の山（第２部分）と谷（第１部分）とを発光装置６８０における発光素子６８１の正面側（前方）で順に通過させて、発光素子６８１を遊技者に断続的かつ選択的に視認させる際には、かかる発光素子６８１を、正面演出部６６２の内周側部分６６２ｂ（即ち、メッキが施されていない部分）を透かして、遊技者に視認させることが可能とされる（図３９参照）。
【０２７１】
球体液晶装置６７０は、光透過性材料から球殻として形成される被投射面部６７１と、その被投射面部６７１の球殻の内面に映像を投射する投射装置が内部に収納されたケース体６７２と、を主に備え、投射装置から投射され被投射面部６７１の外面に透過された映像を遊技者に視認させる。組立状態では、ケース体６７２が背面ケース体６２０の背面に締結固定され、被投射面部６７１が、その球殻の略半分を第１回転体６５０の正面演出部６５２の正面よりも前方へ突出させた姿勢で、第１回転体６５０の内周側に配設される（図３３参照）。
【０２７２】
発光装置６８０は、正面ケースの６１０の筒状部６１２に外嵌される正面視円環形状のケース体６８１と、そのケース体６８１に収納される回路基板と、その回路基板の正面（前面）側に配設（搭載）される複数（本実施形態では１２個）の発光素子６８２と、を主に備え、組み立て状態において、第１回転体６５０及び第２回転体６６０の正面演出部６５２，６６２の背面側に配設される。
【０２７３】
ケース体６８１の正面（前面）には、発光素子６８２よりも大きな外形を有する開口部が周方向等間隔となる１２箇所に開口形成され、それら各開口部の開口位置に対応して各発光素子６８２が回路基板に搭載される。即ち、発光装置６８０は、その正面視において、ケース体６８１の開口部から発光素子６８２が露出され、発光素子６８２から発光された光をケース体６８１の開口部を介して正面側（第１回転体６５０及び第２回転体６６０の正面演出部６５２，６６２）へ向けて照射可能とされる。
【０２７４】
発光装置６８０の正面（前面）側には、上述したように、第１回転体６５０及び第２回転体６６０の正面演出部６５２，６６２が配設され、第１回転体６５０の正面演出部６５２が回転されることで、発光素子６８２による発光を断続的かつ選択的に遊技者に視認させることが可能とされる。ここで、発光素子６８２の発光を断続的かつ選択的に遊技者に視認させる構造について、図３８及び図３９を参照して説明する。
【０２７５】
図３８は、回転動作ユニット６００の正面図であり、図３８（ａ）及び図３８（ｂ）では、第１回転体６５０が互いに異なる回転位置に配置された状態が図示される。図３９（ａ）は、図３８（ａ）のＸＸＸＩＸａ−ＸＸＸＩＸａ線における回転動作ユニット６００の断面図であり、図３９（ｂ）は、図３８（ｂ）のＸＸＸＩＸｂ−ＸＸＸＩＸｂ線における回転動作ユニット６００の断面図である。
【０２７６】
なお、図３８では、第１回転体６５０の正面演出部６５２と発光装置６８０の発光素子６８２との間の位相関係を明確とするために、回転動作ユニット６００のうちの第１回転体６５０及び発光装置６８０のみが図示され、図３９では、第１回転体６５０及び第２回転体６６０の正面演出部６５２，６６２と発光装置６８０の発光素子６８２との径方向位置の関係を明確とするために、図３８に示す第１回転体６５０及び発光装置６８０に第２回転体６６０が追加された分解状態が模式的に図示される。
【０２７７】
図３８及び図３９に示すように、第１回転体６５０における正面演出部６５２の正面視形状が、不定形状の山（第２部分）と谷（第１部分）とが周方向に沿って繰り返される鋸刃形状に形成されるところ、発光装置６８０における発光素子６８２の配設位置は、正面演出部６５２における谷底よりも径方向外側（図３９（ａ）上側）であって正面演出部６５２における山頂よりも径方向内側（図３９（ａ）下側）となる径方向位置（図３９（ａ）上下方向位置）に設定される。
【０２７８】
この場合、第２回転体６６０の正面演出部６６２における内周側部分６６２ｂには、上述したように、正面（前面）にメッキが施されず、光を透過可能に形成されるところ、かかる内周側部分６６２ｂの形成範囲（図３９において二点鎖線で示す範囲）が、第１回転体６５０の正面演出部６５２における谷底と、発光装置６８０の発光素子６８２とを含む範囲に設定される。即ち、正面視において、第１回転体６５０の正面演出部６５２における谷の部分から、第２回転体６６０の正面演出部６６２における内周側部分６６２ｂを介して（即ち、透過させて）、発光装置６８０の発光素子６８２を遊技者に視認させることができる。
【０２７９】
また、第２回転体６６０の正面演出部６６２における外周側部分６６２ａには、上述したように、正面（前面）にメッキが施され、光沢のある金属を模した外観が付与されるところ、かかる外周側部分６６２ａが、第１回転体６５０の正面演出部６５２の背面側に対向して配設される。即ち、正面視において、第１回転体６５０の正面演出部６５２における谷の部分から、第２回転体６６０の正面演出部６６２における外周側部分６６２ａを遊技者に視認させることができる。
【０２８０】
このように、回転動作ユニット６００によれば、第１回転体６５０の正面演出部６５２には、正面視において発光装置６８０の発光素子６８２に重なる領域に、山と谷とが周方向交互に形成されるので、第１回転体６５０の回転に伴い、その正面演出部６５２の山と谷とが発光素子６８２の前方を交互に通過することで、発光素子６８２の発光を、第２回転体６６０の正面演出部６８２における内周側部分６６２ｂを介して、遊技者に断続的に視認させることができる。これにより、球体液晶装置６７０を中心とし、その周囲において、複数の回転体（第１回転体６５０及び第２回転体６６０）をそれぞれ回転させる演出を効果的に行うことができる。
【０２８１】
また、第２回転体６６０の正面演出部６６２における外周側部分６６２ａには、メッキが施され、光沢のある金属を模した外観が付与されるところ、その外周側部分６６２ａの正面（前面）側には、第１回転体６５０の正面演出部６５２が配設される。よって、上述したように、第１回転体６５０と第２回転体６６０とが互いに逆方向へ回転される際には、第１回転体６５０の正面演出部６５２における谷の部分を介して、第２回転体６６０の正面演出部６５２における外周側部分６６２ａが、第１回転体６５０の正面演出部６５２とは逆方向へ回転される態様を遊技者に視認させることができる。
【０２８２】
即ち、回転動作ユニット６００によれば、第１回転体６５０を正面視する遊技者に対し、正面演出部６５２の山谷形状における谷底側では、発光装置６８０の発光素子６８２を断続的に視認させると共に、正面演出部６５２の山谷形状における山頂側では、第２回転体６６０の正面演出部６６２（外周側部分６６２ａ）が第１回転体６５０の正面演出部６５２（山谷形状）と逆方向へ回転される態様を視認させることができる。これにより、第１回転体６５０の回転と第２回転体６６０の回転とを関連付けて遊技者に認識させやすくでき、その結果、複数の回転体（第１回転体６５０及び第２回転体６６０）をそれぞれ回転させる演出を効果的に行うことができる。
【０２８３】
更に、回転演出ユニット６００によれば、上述したように、第１回転体６５０の正面演出部６５２における谷が周方向１６箇所に形成される一方で、発光装置６８０の発光素子６８２が周方向１２箇所に配設されるので、それら１２箇所に配設された発光素子６８２のうちから遊技者に特定の発光素子６８２のみを選択的に視認させることができる。
【０２８４】
即ち、正面演出部６５２における谷の周方向間隔と、発光素子６８２の周方向間隔とが異なる間隔とされることで、例えば、図３８（ａ）に示す状態では、上下左右の４箇所に配設された発光素子６８２が視認可能とされる一方で、図３８（ａ）に示す状態から第１回転体６５０（正面演出部６５２）が所定の回転角度だけ回転されると、図３８（ｂ）に示すように、異なる発光素子６８２が選択され、右上、右下、左下および左上の４箇所に配設された発光素子６８２が視認可能とされる。
【０２８５】
これにより、発光装置６８０の発光素子６８２を断続的に視認させるだけでなく、視認される発光素子６８２の位置を周方向へ変更することができるので、複数の回転体（第１回転体６５０及び第２回転体６６０）をそれぞれ回転させる演出をより効果的に行うことができる。
【０２８６】
図３４から図３６に戻って、回転動作ユニット６００の全体構造について説明する。上述したように、正面ケース体６１０に開口６１１及び筒状部６１２が形成され、第１回転体６５０が本体部６５１及び正面演出部６５２に対して収納フランジ部６５３が別体に形成される。よって、正面ケース体６１０の筒状部６１２の外周側に第２回転体６６０を装着し、正面ケース体６１０の筒状部６１２の内周側に第１回転体６５０の本体部６５１を挿通すると共に、その挿通した本体部６５１に収納フランジ部６５３を締結固定した後、正面ケース体６１０に背面ケース体６２０を締結固定することで、正面ケース体６１０及び背面ケース体６２０に第１回転体６５０及び第２回転体６６０を回転可能な状態で保持させることができる。
【０２８７】
即ち、第１回転体６５０は、その本体部６５１が正面ケース体６１０の開口６１１及び筒状部６１２に挿通されることで、かかる正面ケース体６１０に回転可能に軸支される。この場合、第１回転体６５０の収納フランジ部６５３が正面ケース体６１０の背面および背面ケース体６２０の正面にそれぞれ当接可能とされ、これにより、両ケース体６１０，６２０に対する第１回転体６５０の正面側（前方）および背面側（後方）への変位を規制できる。
【０２８８】
同時に、第２回転体６６０は、正面ケース体６１０の筒状部６１２に外嵌されることで、かかる正面ケース体６１０に回転可能に軸支される。この場合、第２回転体６６０（正面凸条６６１ｂ及び背面凸条６６２ｃ）が、第１回転体６５０の正面演出部６５２の背面および発光装置６８０のケース体６８１の正面にそれぞれ当接され、これにより、両ケース体６１０，６２０に対する第２回転体６６０の正面側（前方）および背面側（後方）への変位を規制できる。
【０２８９】
このように、回転動作ユニット６００によれば、複数の回転体（第１回転体６５０及び第２回転体６６０）を回転可能な状態で保持可能としつつ、回転体（第１回転体６５０）自身が第２回転体６６０の変位を規制する部位を兼用するため、その分、構造の簡素化を図ることができる。また、複数の回転体（第１回転体６５０及び第２回転体６６０）を回転可能な状態で保持可能とする保持構造を、第１回転体６５０の本体部６５１に収納フランジ部６５３を締結固定するのみで形成できるので、組み立て工程を簡素化できる。その結果、製品コストの削減を図ることができる。
【０２９０】
また、回転動作ユニット６００によれば、第１回転体６５０が筒状に形成されると共に、背面ケース体６２０に開口６２１が形成されるので、正面ケース体６１０及び背面ケース体６２０に複数の回転体（第１回転体６５０及び第２回転体６６０）を回転可能な状態で保持させた後は、背面ケース体６２０の背面側から球体液晶装置６７０を装着して締結固定するだけで、回転動作ユニット６００の組み立てを完了することができる（図３３参照）。即ち、各ケース体５６１０，６２０及び各回転体６５０，６６０の組立品に対して、球体液晶装置６７０を別工程にて後付けすることができる。よって、この点も、組み立て工程を簡素化して、製品コストを削減することに寄与できる。
【０２９１】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２９２】
上記実施形態における突出動作ユニット４００では、基側変位部材４４０に対して相対変位部材４５０がスライド変位可能に配設される場合を説明したが、必ずしもこれに限られるものではなく、基側変位部材４４０に対して相対変位部材４５０が回転可能に配設されるものであって良い。即ち、第１動作を、上記実施形態の場合と同様に、基側変位部材４４０を退避位置（図１３参照）及び回転位置（図１４参照）の間で回転させるものとし、第２動作を、相対変位部材４５０を基側変位部材４４０に対して基準位置（図１４参照）及び張出位置（図１５参照）の間で回転させる構成を採用しても良い。
【０２９３】
この構成によっても、退避位置にある基側変位部材４５０が第１動作により回転位置へ配置されると共に、基準位置にある相対変位部材４５０が第２動作により張出位置へ配置されることで、両変位部材４４０，４５０全体を遊技者に十分に視認させ、その演出効果を十分に発揮させることができる一方、張出位置にある相対変位部材４５０が第２動作により基準位置に回転されると共に、回転位置にある基側変位部材４４０が第１動作により退避位置へ配置されることで、両変位部材４４０，４５０全体を小さくして、変位部材を収容するために必要とされるスペースを抑制できる。
【０２９４】
上記実施形態における突出動作ユニット４００では、基側変位部材４４０が退避位置に配置された状態において（図１７（ｂ）参照）、基側変位部材４５０の先端側が相対変位部材４５０の先端側よりも装飾部材４８０側（図１７（ｂ）上側）へ突出される場合を説明したが、必ずしもこれに限られるものではなく、これとは逆に、相対変位部材４５０の先端側が基側変位部材４５０の先端側よりも装飾部材４８０側（図１７（ｂ）上側）へ突出される構成を採用しても良い。
【０２９５】
この構成によっても、両変位部材４４０，４５０の回転軌跡を装飾部材４８０と交差させ、その交差の際に装飾部材４８０を透過させて両変位部材４４０，４５０を視認させることができるので、両変位部材４４０，４５０を変位させることによる演出効果を高めることができる。更に、この構成によれば、相対変位部材４５０を張り出させる際には（図１５参照）、正面（前方）に位置する装飾部４５４の面積をより拡大することができ、迫力のより一層の向上を図ることができる。
【０２９６】
上記実施形態における複合動作ユニット５００では、被駆動部材５５０の接続溝５５２ａが長穴形状に形成されることで、被駆動部材５５０（接続溝５５２ａ）に従動部材５６０（接続軸５６１ｂ）が回転可能かつスライド変位可能な状態で接続される場合を説明したが、必ずしもこれに限られるものではなく、接続溝５５２ａが円形状に形成されることで、被駆動部材５５０（接続溝５５２ａ）に対する従動部材５６０（接続軸５６１ｂ）のスライド変位が不能とされる構成（即ち、回転のみが許容される構成）を採用しても良い。この構成によっても、被駆動部材５５０の変位に伴って従動部材５６０を相対変位させる際に、被駆動部材５５０に対する従動部材５６０の相対的な角度を変化させることができるので、従動部材５６０の軌道に変化を付与して、演出効果を高めることができる。
【０２９７】
なお、この場合には、第１案内溝５１３及び第１ピン５６１ａにより構成される変位規定手段を、従動部材５６０に接続軸５６１ｂと同心に配設される歯車とその歯車に歯合されると共に被駆動部材５５０の駆動軸５５１ａを中心とする円弧に沿って形成され正面ケース体５１０又は背面ケース体５２０に配設される湾曲したラックギヤとにより構成しても良い。これにより、被駆動部材５５０の変位に伴って従動部材５６０を相対変位させる際に、歯車がラックギヤを転動することで、被駆動部材５５０に対する従動部材５６０の相対的な角度を変化させることができる。
【０２９８】
上記実施形態における複合動作ユニット５００では、第１案内溝５１３及び第２案内溝５２３が正面ケース体５１０及び背面ケース体５２０に形成されると共に、これら両案内溝５１３，５２３にそれぞれ挿通される第１ピン５６１ａ及び接続軸５６１ｂが従動部材５６０に形成される場合を説明したが、必ずしもこれに限られるものではなく、これとは逆に、第１案内溝５１３及び第２案内溝５２３を従動部材５６０に設けると共に、それら両案内溝５１３，５２３に挿通される部位（第１ピン５６１ａ及び接続軸５６１ｂに相当する部材）を正面ケース体５１０及び（又は）背面ケース体５２０に設ける構成を採用しても良い。この構成によっても、被駆動部材５５０の変位に伴って、直線運動と回転運動とを組み合わせた運動を従動部材５６０に行わせることができるので、かかる従動部材５６０の軌道に変化を付与して、演出効果を高めることができる。
【０２９９】
上記実施形態における複合動作ユニット５００では、第１案内溝５１３が正面ケース体５１０に穿設（開口形成）される場合を説明したが、必ずしもこれに限られるものではなく、かかる第１案内溝５１３が例えば断面コ字状の凹溝として形成されても良い。即ち、第１案内溝５１３は、その延設方向に沿って第１ピン５６１ａを案内可能な形状であれば足りる趣旨である。
【０３００】
上記実施形態における複合動作ユニット５００では、第１案内溝５１３及び第２案内溝５２３が湾曲して延設される一方、接続溝５５１ａが直線状に延設される場合を説明したが、必ずしもこれに限られるものではなく、これとは逆に、第１案内溝５１３及び第２案内溝５２３が直線状に延設される一方、接続溝５５１ａが湾曲して延設される構成を採用しても良い。特に、第１案内溝５１３及び第２案内溝５２３については、曲率半径が一定の円弧形状に設定される場合を説明したが、これに限られるものではなく、複数の曲率半径の円弧形状を組み合わせた形状（例えば、Ｓ字状など）を採用することは当然可能である。これにより、従動部材５６０の軌道をより複雑に変化させることができるので、演出効果を高めることができる。
【０３０１】
具体的には、例えば、第１案内溝５１３又は第２案内溝５２３を円弧形状に設定する場合、その円弧形状を、被駆動部材５５０が軸部５５３，５５４を中心とする回転方向の回転始端または終端およびその近傍に配置される状態では、半径を基準値よりも大きくする（曲率を小さくする）ことが好ましい。即ち、第１案内溝５１３又は第２案内溝５２３における始端およびその近傍の第１範囲または終端およびその近傍の第２範囲における半径を、基準値よりも大きくする、又は、第１範囲および第２範囲の間に位置する第３範囲における半径よりも大きくすることが好ましい。これにより、停止状態にある被駆動部材５５０の駆動モータ５３０による駆動を開始する初期段階において、負荷を低減して、駆動をスムーズに開始させることができる。
【０３０２】
或いは、従動部材５６０が正面ケース体５１０によって視認不能とされている間は、第１案内溝５１３又は第２案内溝５２３の半径を基準値よりも大きな値に設定し、従動部材５６０の一部が正面ケース体５１０の領域外に露出され（視認可能とされ）始めてから従動部材５６０の全体が正面ケース体５１０の領域外に露出される（視認可能とされる）までの間は、第１案内溝５１３又は第２案内溝５２３の半径を基準値よりも小さな値に設定しても良い。これによれば、前者の場合には、従動部材５６０の動作は遊技者に視認されないため、演出効果に影響を与えることなく、駆動モータ５３０の負荷の軽減を可能とでき、後者の場合は、正面ケース体５１０に従動部材５６０の一部が遮蔽されている範囲において、従動部材５６０の動きを速くできるので、正面ケース体５１０から従動部材５６０が突然現れる演出や従動部材５６０が正面ケース体５１０の背面に素早く隠れる演出を行うことができる。
【０３０３】
或いは、従動部材５６０が水平姿勢（接続軸５６１ｂ方向視（図３０参照）において、接続軸５６１ｂを通過する水平線に対して、上下に４５度傾斜する一対の仮想線により区画される範囲内に装飾部５６２の重心位置が位置する姿勢）にある間は、第１案内溝５１３又は第２案内溝５２３の半径を基準値よりも大きな値に設定し、従動部材５６０が水平姿勢を越える間は、第１案内溝５１３又は第２案内溝５２３の半径を基準値よりも小さな値に設定しても良い。これによれば、従動部材５６０の自重（重力の作用）を駆動モータ５３０の駆動力に支える必要が比較的大きい領域では、半径を大きくして、各案内溝５１３，５１４でｎ摩擦抵抗や従動部材５６０の姿勢変化による慣性力の影響を低減して、駆動モータ５３０の負荷を低減できる一方、従動部材５６０の自重（重力の作用）を駆動モータ５３０の駆動力に支える必要が比較的小さい領域では、半径を小さくすることで、従動部材５６０の動作の変化を大きくして、演出効果を高めることができる。
【０３０４】
上記実施形態における回転動作ユニット６００では、第１回転体６５０において、本体部６５１及び正面演出部６５２が一体とされ、収納フランジ部６５３が別体とされる場合を説明したが、必ずしもこれに限られるものではなく、本体部６５１及び収納フランジ部６５３が一体とされ、正面演出部６５２が別体とされることで、第１回転体６５０が形成される構成を採用しても良い。この構成によっても、上記実施形態の場合と同様に、複数の回転体を回転可能に保持する構造および組み立て工程を簡素化することができ、製品コストの削減を図ることができる。
【０３０５】
上記実施形態における回転動作ユニット６００では、第２回転体６６０の正面演出部６６２における内周側部分６６２ｂが、その正面（前面）を平坦面として形成される場合を説明したが、必ずしもこれに限られるものではなく、その正面の一部または全部を平坦面に代えて他の形状としても良い。他の形状としては、例えば、複数の凹凸を有する面、断面波形に形成される面、傾斜面、湾曲面、或いは、これらを組み合わせた面などが例示される。これら他の形状を採用した場合には、発光素子６８２から発光され内周側部分６６２ｂを透過する光を乱反射や屈折させることができるだけでなく、第２回転体６６０の回転に伴い、その乱反射や屈折の方向に動きを持たせることができるので、その演出効果を高めることができる（図３９参照）。
【０３０６】
上記実施形態における回動動作ユニット６００では、第２回転体６６０の正面演出部６６２の外径寸法が正面視において正面ギヤ６４６の一部のみに重なる大きさに設定される場合を説明したが（図３６参照）、必ずしもこれに限られるものではなく、第２回転体６６０の正面演出部６６２の外径寸法を、正面視において正面ギヤ６４６の全体と重なる大きさに設定しても良い。これにより、正面ギヤ６４６を正面演出部６６２により遮蔽できるので、正面ギヤ６４６を遊技者から視認不能とするための部材を別途設けることを不要とできる。なお、正面ギヤ６４６を遊技者から視認不能とできれば、かかる正面ギヤ６４６をより大径の歯車とできるので、ギヤ比の設定の自由度を高めることができる。よって、第１回転体６５０に対する第２回転体６６０の回転の変化を大きくできる。
【０３０７】
上記実施形態における回動動作ユニット６００では、第１回転体６５０及び第２回転体６６０の停止位置についての説明を省略したが、次のように構成しても良い。即ち、第１回転体６５０又は第２回転体６６０の正面演出部６５２，６６２の少なくとも一方または両方における山の形状を、正面視において正面ギヤ６４６を遮蔽可能な大きさに形成し、その山の形状の部分が正面ギヤ６４６の正面に配置される位相位置で、第１回転体６５０又は第２回転体６６０の回転を停止させるようにしても良い。これにより、第１回転体６５０又は第２回転体６６０の回転の停止時には正面ギヤ６４６を遊技者から視認不能とできる。
【０３０８】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０３０９】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０３１０】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０３１１】
以下に、本発明の遊技機に加えて上述した実施形態に含まれる各種発明の概念を示す。
＜突出動作ユニット４００を一例とする発明の概念について＞
駆動力を発生する駆動手段と、その駆動手段が発生する駆動力により変位される変位部材と、を備えた遊技機において、前記変位部材は、退避位置および回転位置の間を回転可能に形成される基側変位部材と、その基側変位部材に配設されると共に基準位置およびその基準位置よりも前記基側変位部材から外方へ張り出す張出位置の間を変位可能に形成される相対変位部材と、を備え、前記基側変位部材を前記退避位置および回転位置の間で回転させる第１動作と、前記相対変位部材を前記基側変位部材に対して前記基準位置および張出位置の間で変位させる第２動作と、をそれぞれ実行可能とされることを特徴とする遊技機Ａ１。
【０３１２】
ここで、パチンコ機等の遊技機において、回転可能に軸支された基端側を中心として変位部材を回転させることで演出を行う遊技機が知られている（特開２０１１−９２６３４号公報（例えば、段落０１７５〜０１８９、図８３参照））。この遊技機によれば、変位部材を一の方向へ回転させることで、かかる変位部材の先端側を液晶表示装置の前面となる所定位置に配置する一方、変位部材を一の方向と逆方向となる他の方向へ回転させることで、変位部材を液晶表示装置の表示領域の外（退避位置）に退避させる。しかしながら、上述した従来の遊技機では、変位部材の外形が小さいと、液晶表示装置の前面となる所定位置において、変位部材を遊技者に十分に視認させることが困難となり、演出効果を十分に発揮できない一方、変位部材の外形が大きいと、表示領域の外（退避位置）に大きなスペースが必要になるという問題点があった。遊技機Ａ１は、上記例示した問題点を解決するためになされたものであり、退避位置に必要とされるスペースを抑制しつつ、所定位置において変位部材を遊技者に十分に視認させることができる遊技機を提供することを目的とする。
【０３１３】
即ち、遊技機Ａ１によれば、変位部材は、退避位置および回転位置の間を回転可能に形成される基側変位部材と、その基側変位部材に配設されると共に基準位置およびその基準位置よりも基側変位部材から外方へ張り出す張出位置の間を変位可能に形成される相対変位部材とを備え、基側変位部材を退避位置および回転位置の間で回転させる第１動作と、相対変位部材を基側変位部材に対して基準位置および張出位置の間で変位させる第２動作とをそれぞれ実行可能とされるので、退避位置にある基側変位部材を第１動作により回転位置へ配置する際には、基準位置にある相対変位部材を第２動作により張出位置へ配置することで、かかる相対変位部材を基側変位部材から外方へ張り出させることができる。よって、その分、変位部材を全体として大きくできるので、回転位置において、変位部材を遊技者に十分に視認させ、その演出効果を十分に発揮させることができる。
【０３１４】
一方、回転位置にある基側変位部材を第１動作により退避位置へ配置する際には、張出位置による相対変位部材を第２動作により基準位置に配置することで、かかる相対変位部材の基側変位部材からの外方への張り出しを抑制できる。よって、その分、変位部材を全体として小さくできるので、退避位置において、変位部材を収容するために必要とされるスペースを抑制できる。その結果、他の部品や装置を配設するためのスペースを確保することができる。
【０３１５】
なお、第２動作は、少なくとも退避位置へ配置されるまでの間（即ち、第１動作が完了するまでの間）に行われれば良い。よって、第１動作の少なくとも一部と第２動作の少なくとも一部とが重複して実行されても良い。
【０３１６】
遊技機Ａ１において、前記変位部材の移動平面よりも前方に配置され開口部が形成される前方部材を備え、前記基側変位部材４４０が第１動作により回転位置に配置されると、前記相対変位部材の少なくとも一部が前記前方部材の開口部を介して遊技者に視認可能とされ、前記相対変位部材が第２動作により張出位置に配置されると、前記相対変位部材の前記前方部材の開口部を介して遊技者に視認可能な領域が拡大されることを特徴とする遊技機Ａ２。
【０３１７】
遊技機Ａ２によれば、遊技機Ａ１の奏する効果に加え、退避位置に退避されていた相対変位部材を、まず、回転運動（第１動作）により前方部材の開口部に登場させ、その相対変位部材の一部のみを遊技者に視認させると共に、次いで、直線運動（第２動作）により前方部材の開口部を介して遊技者が相対変位部材を視認可能な領域を拡大させるという演出を行うことができる。
【０３１８】
遊技機Ａ２において、前記相対変位部材は、前記基側変位部材にスライド変位可能に配設され、前記第２動作は、前記相対変位部材を前記基側変位部材に対して前記基準位置および張出位置の間でスライド変位させることを特徴とする遊技機Ａ３。
【０３１９】
遊技機Ａ３によれば、遊技機Ａ２の奏する効果に加え、相対変位部材は、基側変位部材にスライド変位可能に配設され、第２動作は、相対変位部材を基側変位部材に対して基準位置および張出位置の間でスライド変位させるので、例えば、第２動作が相対変位部材を基側変位部材に対して回転させる態様である場合と比較して、相対変位部材を基準位置から張出位置まで変位させるのに必要なスペースを抑制することができ、その分、他の部品や装置を配設するためのスペースを確保することができる。また、第１動作による基側変位部材の変位の態様に対して、第２動作による相対変位部材の変位の態様を異ならせることができるので、第１動作および第２動作を行うことによる演出効果を高めることができる。
【０３２０】
遊技機Ａ３において、前記相対変位部材は、前記基側変位部材に互いの長手方向を沿わせた姿勢で配設されると共に、前記スライド変位の方向が互いの長手方向に沿った方向とされることを特徴とする遊技機Ａ４。
【０３２１】
遊技機Ａ４によれば、遊技機Ａ３の奏する効果に加え、相対変位部材は、基側変位部材に互いの長手方向を沿わせた姿勢で配設されると共に、そのスライド変位の方向が互いの長手方向に沿った方向とされるので、基側変位部材に対する相対変位部材の長手方向に沿ったスライド変位により変位部材を全体として伸縮させることができる。よって、回転位置においては、変位部材を、伸長により全体として大きくすることで、遊技者に十分に視認させることができ、その演出効果を十分に発揮させることができる。一方、退避位置においては、変位部材を、短縮により全体として小さくすることで、変位部材を収容するために必要とされるスペースを抑制でき、他の部品や装置を配設するためのスペースを確保することができる。
【０３２２】
また、遊技機Ａ４によれば、退避位置に退避されていた相対変位部材を、まず、回転運動（第１動作）により前方部材の開口部に側方から登場させ、その相対変位部材の一部のみを遊技者に視認させると共に、次いで、直線運動（第２動作）により前方部材の開口部内へ向けて張り出させて、相対変位部材を遊技者が視認可能な領域を拡大させるという演出を行うことができる。よって、登場時の運動形態（回転運動）とは異なる運動形態（直線運動）により相対変位部材の視認面積を拡大させることができ、運動形態の変化による意外性と、直線運動により視認面積が拡大されることによるスピード感と、これらが組み合わされつつ連続して行われることによる複合動作の一体感とを遊技者に感じさせることができる。その結果、相対変位部材が単に直線運動のみにより前方部材の開口部に対して出没する形態（退避位置と張出位置とを往復する形態）では奏し得ない演出効果を得ることができる。
【０３２３】
遊技機Ａ４において、前記駆動手段の駆動力を前記変位部材へ伝達する伝達手段を備え、前記伝達手段は、前記退避位置に配設された前記変位部材と正面視において重なる位置に配設されることを特徴とする遊技機Ａ５。
【０３２４】
遊技機Ａ５によれば、遊技機Ａ４の奏する効果に加え、駆動手段の駆動力を変位部材へ伝達する伝達手段を備え、その伝達手段は、退避位置に配設された変位部材と正面視において重なる位置に配設されるので、退避位置に配設された変位部材の背面側に形成されるデッドスペースを、伝達手段の配設スペースとして有効に活用できる。
【０３２５】
遊技機Ａ５において、前記駆動手段、伝達手段および変位部材を保持する保持部材を備え、その保持部材の一面側に前記駆動手段および変位部材が配設されると共に、前記変位部材は、その長手方向の延長線上に前記駆動手段が位置する姿勢で、前記退避位置に配設されることを特徴とする遊技機Ａ６。
【０３２６】
遊技機Ａ６によれば、遊技機Ａ５の奏する効果に加え、保持部材の一面側に駆動手段および変位部材が配設されるので、例えば、保持部材を挟んでその一面側および他面側に駆動手段および変位部材がそれぞれ配設される場合と比較して、保持部材の一面側および他面側を結ぶ方向における寸法の小型化を図ることができる。更に、変位部材は、その長手方向の延長線上に駆動手段が位置する姿勢で退避位置に配設されるので、これら変位部材および駆動手段を直線状に配置できる。よって、退避位置として必要とされるスペースを効率的に抑制できる。
【０３２７】
遊技機Ａ１からＡ６のいずれかにおいて、前記駆動手段の駆動力を前記変位部材へ伝達する伝達手段と、その伝達手段を保持する保持部材と、を備え、前記伝達部材は、前記駆動手段の駆動力を受けて回転される回転部材と、その回転部材の回転中心から偏心した位置に一側位置および他側位置の間の所定位置が軸支されると共に前記一側位置が前記保持部材に回転可能に軸支され前記他側位置が前記変位部材の相対変位部材に接続されるリンク部材と、を備え、前記回転部材が第１回転位置と中間回転位置との間で回転されると、前記リンク部材の変位に伴い前記変位部材の相対変位部材を介して前記基側変位部材が回転されることで、前記第１動作が実行され、前記回転部材が中間回転位置と第２回転位置との間で回転されると、前記リンク部材の変位に伴い前記変位部材の相対変位部材が前記基側変位部材に対して変位され、前記第２動作が実行されることを特徴とする遊技機Ａ７。
【０３２８】
遊技機Ａ７によれば、リンク部材は、回転部材の回転中心から偏心した位置に一側位置および他側位置の間の所定位置を軸支させると共に、一側位置を保持部材に回転可能に軸支させ他側位置を変位部材の相対変位部材に接続させるので、回転部材を駆動手段の駆動力により回転させることで、その回転部材の回転を、リンク部材を介して変位部材の相対変位部材に伝達することができる。この場合、回転部材を第１回転位置と中間回転位置との間で回転させると、リンク部材の変位に伴い変位部材の相対変位部材を介して基側変位部材を回転させることができ、第１動作を実行できる。一方、回転部材を中間回転位置と第２回転位置との間で回転させると、リンク部材の変位に伴い変位部材の相対変位部材を基側変位部材に対して変位させることができ、第２動作を実行できる。即ち、遊技機Ａ６によれば、遊技機Ａ１からＡ６のいずれかの奏する効果に加え、第１動作および第２動作の異なる２の動作を１の駆動手段により行うことができるので、部品コストを削減して、その分、製品コストを削減できる。
【０３２９】
また、伝達手段は、リンク部材の一側位置に歯車を設け、その歯車に回転部材の外周に設けた歯車を歯合させて、リンク部材を変位させる構造も考えられるが、かかる構造では、回転部材およびリンク部材の配設に必要なスペースが嵩む。これに対し、遊技機Ａ６では、リンク部材の一側位置および他側位置の間の所定位置を回転部材に軸支させるので、回転部材とリンク部材とを正面視において重なる状態で配設でき、その重なりの分、回転部材およびリンク部材の配設に必要なスペースを抑制できる。
【０３３０】
更に、伝達部材を介して、相対変位部材と保持部材とが連結されるので、相対変位部材の揺れを、保持部材の剛性を利用して、抑制することができる。
【０３３１】
遊技機Ａ１からＡ７のいずれかにおいて、前記第１動作により前記変位部材の基側変位部材が回転される際の前記変位部材の変位軌跡と少なくとも一部が正面視において重なる位置に配設される装飾部材を備えることを特徴とする遊技機Ａ８。
【０３３２】
遊技機Ａ８によれば、遊技機Ａ１からＡ７のいずれかの奏する効果に加え、第１動作により変位部材の基側変位部材が回転される際には正面視において変位部材と装飾部材とを少なくとも一部で交差させることができ、演出効果を高めることができる。
【０３３３】
遊技機Ａ８において、前記変位部材は、前記基側変位部材の長手方向一側が前記第１動作における回転中心とされると共に、前記相対変位部材が前記基側変位部材の正面側において互いの長手方向を沿わせつつスライド変位可能に配設され、前記第２動作は、前記相対変位部材を前記基側変位部材に対して前記基準位置および張出位置の間でスライド変位させ、前記装飾部材は、前記第１動作により前記基側変位部材が回転される際の前記変位部材の回転先端側における変位軌跡と少なくとも一部が正面視において重なる位置に配設されると共に、前記第１動作により前記基側変位部材が前記回転位置に配置されると前記変位部材との正面視における重なりが非形成とされ、前記相対変位部材は、前記回転先端側よりも回転中心側が正面側に位置する形状とされることを特徴とする遊技機Ａ９。
【０３３４】
遊技機Ａ９によれば、遊技機Ａ８の奏する効果に加え、基側変位部材の正面側に配設される相対変位部材は、回転先端側よりも回転中心側が正面側に位置する形状、即ち、回転先端側が背面側に奥まって位置する形状とされるので、第１動作により基側変位部材が回転される際には、相対変位部材と装飾部材とが接触することを抑制できる。この場合、変位部材は、基側変位部材の長手方向一側が第１動作における回転中心とされるため、自由端となる回転先端側が第１動作の最中に前後に揺れやすく、装飾部材と接触するおそれが生じやすい。そのため、遊技機Ａ９の構成が特に有効となる。
【０３３５】
一方、第２動作により相対変位部材を基準位置から張出位置にスライド変位させる際には、基側変位部材の正面側に配設される相対変位部材が、回転先端側よりも回転中心側が正面側に位置する形状とされることで、その分、相対変位部材をより前方（遊技者に近い側）に配置して、迫力を高めることができる。
【０３３６】
なお、遊技機Ａ９において、相対変位部材の回転先端側よりも相対変位部材の回転中心側が正面側に位置する形状とは、回転先端側から回転中心側までの間の形状は任意であり、例えば、階段状に変化するものであっても良く、或いは、直線状または曲線状に連続して漸次変化するものであっても良い。
【０３３７】
遊技機Ａ６からＡ９のいずれかにおいて、前記基側変位部材または相対変位部材の一方に設けられるピン部材と、前記基側変位部材または相対変位部材の他方に設けられ前記ピン部材をスライド変位可能に受け入れて前記基側変位部材に対する相対変位部材のスライド変位を可能とするスライド溝とを備え、前記リンク部材の他側位置が前記相対変位部材に接続される位置が、前記ピン部材よりも前記相対変位部材のスライド方向先端側であることを特徴とする遊技機Ａ１０。
【０３３８】
遊技機Ａ１０によれば、遊技機Ａ６からＡ９のいずれかの奏する効果に加え、リンク部材の他側位置が相対変位部材に接続される位置が、ピン部材よりも相対変位部材のスライド方向先端側であるので、相対変位部材がリンク部材を介して保持部材に支持される箇所を、相対変位部材のスライド方向先端側に近づけることができる。換言すると、相対変位部材がリンク部材を介して保持部材に支持される箇所を、基側変位部材が保持部材に軸支される箇所から遠ざけることができる。その結果、相対変位部材が前後方向に揺れることを抑制しやすくできる。
＜複合動作ユニット５００を一例とする発明の概念について＞
駆動力を発生する駆動手段と、その駆動手段が発生する駆動力により駆動されて変位される被駆動部材と、その被駆動部材を変位可能に保持する保持部材と、を備えた遊技機において、前記被駆動部材に変位可能に接続される従動部材と、その従動部材の前記保持部材に対する変位を規定する変位規定手段と、を備え、前記変位規定手段により前記従動部材の前記保持部材に対する変位が規定されることで、前記駆動手段の駆動力により前記被駆動部材が変位される際に、前記従動部材が前記被駆動部材に対して相対変位されることを特徴とする遊技機Ｂ１。
【０３３９】
ここで、パチンコ機等の遊技機において、ここで、パチンコ機等の遊技機において、駆動手段からの駆動力により、例えば、液晶表示装置の前面となる張出位置とその張出位置から液晶表示装置の表示領域外となる方向へ退避される退避位置との間で変位部材を変位させることで演出を行う遊技機が知られている（特開２０１１−２００７９０号公報（例えば、段落００９５、図１１から図１５参照））。この遊技機によれば、駆動手段の出力方向を切り替える、或いは、出力を断続的とすることで、変位部材の変位の態様に変化を付与する。しかしながら、上述した従来の遊技機では、駆動手段の出力を変化させる構成であるため、制御が複雑化するという問題点を有する一方で、変位部材は、駆動手段の出力の変化に応じて、変位速度が変化されるのみであり、変位方向は一定のままであるため、変位の態様に十分な変化が付与されないという問題点があった。遊技機Ｂ１は、上記例示した問題点を解決するためになされたものであり、駆動手段の出力を一定としつつ、変位部材の変位の態様に変化を付与できる遊技機を提供することを目的とする。
【０３４０】
即ち、遊技機Ｂ１によれば、駆動手段の駆動力により駆動されて被駆動部材が変位されると、変位規定手段により従動部材の保持部材に対する変位が規定されることで、被駆動部材の変位に伴って、その被駆動部材に対して従動部材を相対変位させつつ従動させることができる。即ち、被駆動部材が例えば直線状や円弧状の一定の軌道を変位される場合でも、その被駆動部材とは異なる軌道で従動部材を変位させることができる。また、かかる変位の態様の変化は、被駆動部材に対して従動部材が相対変位することで形成されるので、被駆動部材を一定の速度で変位させたとしても、その被駆動部材とは異なる軌道で従動部材を変位させることができる。よって、駆動手段の出力を一定としつつ、従動部材の変位の態様に変化を付与できる。
【０３４１】
遊技機Ｂ１において、前記変位規定手段は、前記従動部材または保持部材の一方に溝状に形成される第１溝部と、その第１溝部に沿って案内されると共に前記従動部材または保持部材の他方に形成される第１被案内部と、を備えることを特徴とする遊技機Ｂ２。
【０３４２】
遊技機Ｂ２によれば、遊技機Ｂ１の奏する効果に加え、変位規定手段が第１溝部および第１被案内部を備え、第１溝部に沿って第１被案内部が案内されることで、従動部材の保持部材に対する変位を規定できる。よって、駆動手段の駆動力により駆動されて被駆動部材が変位されることで、第１溝部の輪郭（形状）に応じて、被駆動部材に対する従動部材の相対変位を形成できる。即ち、第１溝部の輪郭（形状）を設定することで、被駆動部材に対する従動部材の相対変位の態様を任意に設定できる。このように、溝状の部位（第１溝部）とその部位に案内される部位（第１被案内部）とにより変位規定手段を構成するので、構造を簡素化して、製品コストの削減を図ると共に、可動部分としての信頼性および耐久性の向上を図ることができる。
【０３４３】
遊技機Ｂ１又はＢ２において、前記従動部材は、前記被駆動部材に少なくとも回転可能な状態で接続されることを特徴とする遊技機Ｂ３。
【０３４４】
遊技機Ｂ３によれば、遊技機Ｂ１又はＢ２において、従動部材は、被駆動部材に少なくとも回転可能な状態で接続されるので、被駆動部材の変位に伴って従動部材を相対変位させる際には、被駆動部材に対する従動部材の相対的な角度を変化させることができ、変位の態様の変化として強い印象の変化を遊技者に認識させることができる。
【０３４５】
遊技機Ｂ３において、前記従動部材は、前記被駆動部材に回転可能かつスライド変位可能な状態で接続されることを特徴とする遊技機Ｂ４。
【０３４６】
遊技機Ｂ４によれば、遊技機Ｂ３の奏する効果に加え、従動部材は、被駆動部材に回転可能かつスライド変位可能な状態で接続されるので、被駆動部材の変位に伴って従動部材を相対変位させる際には、被駆動部材に対する従動部材の相対的な角度を回転により変化させることができるだけでなく、スライド変位により両者の相対位置を変化させることも同時に行うことができ、変位の態様に付与できる変化のバリエーションを増やすことができる。
【０３４７】
遊技機Ｂ４において、前記変位規定手段は、前記従動部材または保持部材の一方に溝状に形成される第２溝部と、その第２溝部に沿って案内されると共に前記従動部材または保持部材の他方に形成される第２被案内部と、を備えることを特徴とする遊技機Ｂ５。
【０３４８】
遊技機Ｂ５によれば、遊技機Ｂ４の奏する効果に加え、変位規定手段が第２溝部および第２被案内部を備え、第２溝部に沿って第２被案内部が案内されることで、従動部材の保持部材に対する変位を規定できる。よって、駆動手段の駆動力により被駆動部材が変位されることで、第２溝部の輪郭（形状）に応じて、被駆動部材に対する従動部材の相対変位を形成できる。即ち、第２溝部の輪郭（形状）を設定することで、被駆動部材に対する従動部材の相対変位の態様を任意に設定できる。特に、従動部材が被駆動部材に回転可能かつスライド変位可能に接続される場合に、第１溝部および第１被案内部の組み合わせによる案内構造と、第２溝部および第２被案内部の組み合わせによる案内構造との両者を設けることで、変位の態様に付与できる変化のバリエーションを増やすことができるだけでなく、被駆動部材に対する従動部材の変位可能方向が多方向となる場合でも、かかる変位を２つの案内構造によって案内できるので、変位が不安定となることを抑制して、可動部材としての信頼性の向上を図ることができる。
【０３４９】
なお、遊技機Ｂ５においても、上述した場合と同様に、溝状の部位（第２溝部）とその部位に案内される部位（第２被案内部）とにより変位規定手段を構成するので、構造を簡素化して、製品コストの削減を図ると共に、可動部材としての信頼性および耐久性の向上を図ることができる。
【０３５０】
遊技機Ｂ５において、前記第２溝部が前記保持部材に形成されると共に、前記第２被案内部が従動部材に形成され、前記被駆動部材は、前記第２被案内部が回転可能かつスライド変位可能な状態で挿通される溝状の接続溝部を備え、前記接続溝部に前記第２被案内部が挿通されることで、前記従動部材が前記被駆動部材に回転可能かつスライド変位可能な状態で接続されることを特徴とする遊技機Ｂ６。
【０３５１】
遊技機Ｂ６によれば、遊技機Ｂ５の奏する効果に加え、第２溝部が保持部材に形成されると共に、第２被案内部が従動部材に形成され、第２被案内部が被駆動部材の接続溝部に挿通されることで、従動部材が被駆動部材に回転可能かつスライド変位可能な状態で接続されるので、第２被案内部に、第２溝部に案内されることで従動部材の保持部材に対する変位を規定する役割と、接続溝部に挿通されることで従動部材を被駆動部材に相対変位可能に接続する役割との両者を兼用させることができる。これにより、部品点数を削減して、製品コストの削減を図ることができると共に、構造を簡素化して、可動部材としての信頼性と耐久性の向上を図ることができる。
【０３５２】
遊技機Ｂ６において、前記保持部材は、少なくとも前記第２溝部の形成される部分が、前記被駆動部材と従動部材との間に介設され、前記従動部材は、前記保持部材の前記第２溝部の周縁に当接される当接部を備えると共に、その当接部が、前記第２被案内部に同心の円形に形成されることを特徴とする遊技機Ｂ７。
【０３５３】
遊技機Ｂ７によれば、遊技機Ｂ６の奏する効果に加え、従動部材は、保持部材の第２溝部の周縁に当接される当接部を備え、その当接部が、第２被案内部に同心の円形に形成されるので、従動部材が保持部材（第２溝部）に対して回転される場合でも、それら当接部と保持部（第２溝部の周縁）との間の当接面積を一定として、支持反力が変化することを抑制できる。その結果、従動部材を安定した状態で変位させることができる。
【０３５４】
遊技機Ｂ１からＢ７のいずれかにおいて、前記保持部材は、前記駆動手段の駆動力により前記被駆動部材が変位可能であって、かつ、その被駆動部材の変位に伴って前記従動部材が変位可能となる状態で、前記駆動手段、被駆動部材および従動部材を保持可能に形成されることを特徴とする遊技機Ｂ８。
【０３５５】
遊技機Ｂ８によれば、遊技機Ｂ１からＢ７のいずれかの奏する効果に加え、保持部材は、駆動手段の駆動力により被駆動部材が変位可能であって、かつ、その被駆動部材の変位に伴って従動部材が変位可能となる状態で、駆動手段、被駆動部材および従動部材を保持可能に形成されるので、これら駆動手段、被駆動部材および従動部材が保持部材に保持された１の装置としてユニット化できる。これにより、ユニット自体を組み立てる際の製造コストやそのユニットを遊技機本体へ組み付けて遊技機を組み立てる際の製造コストの削減を図ることができる。
【０３５６】
遊技機Ｂ８において、前記第１溝部が前記保持部材に形成されると共に、前記第１被案内部が従動部材に形成されることを特徴とする遊技機Ｂ９。
【０３５７】
遊技機Ｂ９によれば、遊技機Ｂ８の奏する効果に加え、第１溝部が保持部材に形成されると共に、第１被案内部が従動部材に形成されるので、第１溝部を形成するためのスペースを確保しやすくできる。即ち、駆動手段、被駆動部材および従動部材を保持してユニット化するために比較的大きな外形に形成せざる得ない保持部材のデッドスペースを利用して、第１溝部を形成するためのスペースを確保できる。これにより、第１溝部の輪郭（形状）や延設長さの自由度を増加させ、その分、変位の態様に付与できる変化のバリエーションを増やすことができる。
【０３５８】
遊技機Ｂ９において、前記変位規定手段は、前記保持部材に溝状に形成される第２溝部と、その第２溝部に沿って案内されると共に前記従動部材に形成される第２被案内部と、を備え、前記保持部材は、前記被駆動部材を挟んで対向する第１対向部および第２対向部を備え、前記第１対向部または第２対向部の一方に前記第１溝部が形成されると共に、前記第１対向部または第２対向部の他方に前記第２溝部が形成されることを特徴とする遊技機Ｂ１０。
【０３５９】
遊技機Ｂ１０によれば、遊技機Ｂ９の奏する効果に加え、被駆動部材を挟んで対向する保持部材の第１対向部および第２対向部のうちの一方に第１溝部が形成されると共に他方に第２溝部が形成されるので、これら第１溝部および第２溝部を相手の形成位置を考慮することなく形成することができる。即ち、第１対向部および第２対向部のうちの一方に第１溝部および第２溝部の両者を形成する場合には、これら第１溝部および第２溝部を交差しないように形成する必要があり、自由度が制限される。これに対し、遊技機Ｂ１０によれば、第１溝部および第２溝部の両者において、その輪郭（形状）や延設長さを相手との位置関係を考慮することなく設定することができるので、その自由度を増加させ、その分、変位の態様に付与できる変化のバリエーションを増やすことができる。
【０３６０】
遊技機Ｂ５からＢ７のいずれかにおいて、前記第１溝および第２溝の少なくとも一方は、始端または終端における半径が基準値よりも大きくされることを特徴とする遊技機Ｂ１１。
【０３６１】
遊技機Ｂ１１によれば、遊技機Ｂ５からＢ７のいずれかの奏する効果に加え、停止状態にある被駆動部材の駆動手段による駆動を開始する初期段階において、負荷を低減して、その駆動をスムーズに開始させることができる。
【０３６２】
遊技機Ｂ５からＢ７のいずれかにおいて、前記従動部材を視認不能に遮蔽する遮蔽部材を備え、記第１溝および第２溝の少なくとも一方は、前記従動部材の一部が前記遮蔽部材の領域外に露出され始めてから従動部材の全体が前記遮蔽部材の領域外に露出されるまでの間に対応する領域における半径が基準値よりも小さくされることを特徴とする遊技機Ｂ１２。
【０３６３】
遊技機Ｂ１２によれば、遊技機Ｂ５からＢ７のいずれかの奏する効果に加え、遮蔽部材に従動部材の一部が遮蔽されている範囲において、従動部材の動きを速くできるので、遮蔽部材から従動部材が突然現れる演出や従動部材が遮蔽部材に素早く隠れる演出を行うことができる。
＜回転動作ユニット６００を一例とする発明の概念について＞
保持部材と、その保持部材に回転可能に配設される第１回転体および第２回転体と、それら第１回転体および第２回転体に回転駆動力を付与する駆動手段と、を備えた遊技機において、前記第２回転体が、円環状に形成されると共に、前記第１回転体に対して同心に外嵌されることを特徴とする遊技機Ｃ１。
【０３６４】
ここで、パチンコ機等の遊技機において、複数の回転体を回転させることで演出を行うものがある（特開２０１１−３０８４７号公報（例えば、段落０１６２、図４２から図４６参照））。この遊技機によれば、左右に離れて配置される複数の回転体をそれぞれ同一方向へ同期して回転させ、演出に統一感を持たせる。しかしながら、上述した従来の遊技機では、複数の回転体が左右に離れて配置されるため、互いの回転を関連付けて遊技者に認識させることが困難であり、複数の回転体を回転させることによる演出の効果を十分に発揮させることができないという問題点があった。遊技機Ｃ１は、上記例示した問題点を解決するためになされたものであり、複数の回転体の回転を互いに関連付けて遊技者に認識させやすくして、複数の回転体を回転させることによる演出の効果を十分に発揮させることができる遊技機を提供することを目的とする。
【０３６５】
即ち、遊技機Ｃ１によれば、第２回転体が、円環状に形成されると共に、第１回転体に対して同心に外嵌されるので、これら第１回転体と第２回転体とを同心に回転させることができる。これにより、第１回転体の回転と第２回転体の回転とを関連付けて遊技者に認識させやすくでき、その結果、複数の回転体をそれぞれ回転させることによる演出の効果を十分に発揮させることができる。
【０３６６】
遊技機Ｃ１において、前記第１回転体が筒状に形成されることを特徴とする遊技機Ｃ２。
【０３６７】
遊技機Ｃ２によれば、遊技機Ｃ１の奏する効果に加え、第１回転体が筒状に形成されるので、第１回転体の内周側に演出部材などを配設することができる。これにより、演出部材の周囲を取り囲む第１回転体と、更にその第１回転体の周囲を取り囲む第２回転体とを、演出部材を中心として、それぞれ回転させるという演出を行うことができる。その結果、複数の回転体をそれぞれ回転させるという演出をより効果的に行うことができる。
【０３６８】
遊技機Ｃ１又はＣ２において、前記第１回転体は、前記保持部材に挿通される本体部と、その本体部の軸方向一側において外方へフランジ状に張り出す一側フランジ部と、その一側フランジ部とは反対側となる軸方向他側において外方へ張り出すと共に前記保持部材を挟んで前記一側フランジ部と対向される他側フランジ部と、を備え、前記第２回転体は、前記第１回転体の本体部に外嵌され、前記第１回転体の一側フランジ部と保持部材との間に配設されることを特徴とする遊技機Ｃ３。
【０３６９】
遊技機Ｃ３によれば、遊技機Ｃ１又はＣ２の奏する効果に加え、第１回転体が、保持部材に挿通される本体部と、その本体部の軸方向一側および他側にそれぞれ形成され保持部材を挟んで対向する一側フランジ部および他側フランジ部と、を備え、第２回転体が、第１回転体の本体部に外嵌され、第１回転体の一側フランジ部と保持部材との間に配設されるので、保持部材による第１回転体および第２回転体の保持構造を簡素化することができる。
【０３７０】
即ち、上記構成によれば、第１回転体の本体部が保持部材に挿通されるので、第１回転体を保持部材によって回転可能に保持できる。また、第１回転体の他側フランジ部が保持部材に当接されることで、第１回転体の軸方向一方への変位を規制でき、第１回転体の一側フランジ部が第２回転体に当接され、その第２回転体が保持部材に当接されることで、第１回転体の軸方向他方への変位を規制できる。
【０３７１】
更に、第２回転体が第１回転体の本体部に外嵌されるので、第１回転体の本体部を介して、第２回転体を保持部材に回転可能に保持できる。また、第２回転体が第１回転体の一側フランジ部に当接され、その第１回転体の他側フランジ部が保持部材に当接されることで、第２回転体の軸方向一方への変位を規制でき、第２回転体が保持部材に当接されることで、第２回転体の軸方向他方への変位を規制できる。
【０３７２】
遊技機Ｃ３において、前記保持部材に配設されると共に前記駆動手段の回転駆動力を前記第１回転体および第２回転体にそれぞれ伝達する第１歯車および第２歯車を備え、前記第１回転体および第２回転体には、前記第１歯車および第２歯車が歯合される歯車がそれぞれ外周面に刻設されることを特徴とする遊技機Ｃ４。
【０３７３】
遊技機Ｃ４によれば、遊技機Ｃ３の奏する効果に加え、保持部材に配設されると共に駆動手段の回転駆動力を第１回転体および第２回転体にそれぞれ伝達する第１歯車および第２歯車を備え、第１回転体および第２回転体には、第１歯車および第２歯車が歯合される歯車がそれぞれ外周面に刻設されるので、これら第１歯車および第２歯車を介して駆動手段の回転駆動力を第１回転体および第２回転体へ伝達する構造を簡素化できる。特に、第１回転体の本体部を筒状に形成し、その本体部の内周側に演出部材などを配設する場合に、第１回転体および第２回転体の外周面に第１歯車および第２歯車に歯合させる構造が有効となる。
【０３７４】
遊技機Ｃ４において、前記保持部材の一側に前記第２歯車が配設されると共に前記保持部材の前記一側と反対側となる他側に前記第１歯車が配設され、前記第１歯車が前記第１回転体の他側フランジ部の外周面に刻設された歯車に歯合されると共に、前記第２歯車が前記第２回転体の外周面に刻設された歯車に歯合されることを特徴とする遊技機Ｃ５。
【０３７５】
遊技機Ｃ５によれば、遊技機Ｃ４の奏する効果に加え、保持部材の一側に第２歯車が配設されると共に保持部材の前記一側と反対側となる他側に第１歯車が配設され、第１歯車が第１回転体の他側フランジ部の外周面に刻設された歯車に歯合されると共に、第２歯車が第２回転体の外周面に刻設された歯車に歯合されるので、例えば、保持部材の一側において第１歯車および第２歯車の両者を第１回転体および第２回転体にそれぞれ歯合させる場合と比較して、第１歯車および第２歯車を介して駆動手段の回転駆動力を第１回転体および第２回転体へ伝達する構造を簡素化できる。
【０３７６】
また、第１歯車とその第１歯車が歯合される第１回転体の他側フランジ部とが、第１回転体の一側フランジ部および本体部と第２回転体とが配設される保持部材の一側と反対側となる他側に配設されることで、保持部材の一側を正面視する遊技者に対して、第１歯車と第１回転体の他側フランジ部とを保持部材により遮蔽することができる。即ち、第１歯車と第１回転体の他側フランジ部とを視認不能に遮蔽する構造を、保持部材を利用して簡素化することができる。
【０３７７】
遊技機Ｃ４又はＣ５のいずれかにおいて、前記駆動手段の回転駆動力を前記第１歯車へ伝達する第１伝達手段と、前記駆動手段の回転駆動力を前記第２歯車へ伝達する第２伝達手段とを備えることを特徴とする遊技機Ｃ６。
【０３７８】
遊技機Ｃ６によれば、遊技機Ｃ４又はＣ５の奏する効果に加え、駆動手段の回転駆動力を第１歯車および第２歯車へそれぞれ伝達する第１伝達手段および第２伝達手段を備えるので、第１回転体および第２回転体を１の駆動手段によって回転させることができる。この場合、駆動手段の回転駆動力を、第１歯車へは第１伝達手段により、第２歯車へは第２伝達手段により、それぞれ別の伝達経路によって伝達することができる。よって、それぞれの伝達経路ごとに、例えば、歯車の個数や減速比を設定することで、１の駆動手段により２の回転体を回転させる場合であっても、それら２の回転体（第１回転体および第２回転体）の回転態様を異ならせることができる。その結果、複数の回転体をそれぞれ回転させるという演出をより効果的に行うことができる。
【０３７９】
遊技機Ｃ４からＣ６のいずれかにおいて、前記保持部材は、筒状に形成されると共に前記一側へ突出される筒状部を備え、その保持部材の筒状部の内周側に前記第１回転体の本体部が、前記保持部材の筒状部の外周側に前記第２回転体が、それぞれ回転可能に配設されることを特徴とする遊技機Ｃ７。
【０３８０】
遊技機Ｃ７によれば、遊技機Ｃ４からＣ６のいずれかの奏する効果に加え、保持部材が、筒状に形成されると共に一側へ突出される筒状部を備え、その保持部材の筒状部の内周側に第１回転体の本体部が、保持部材の筒状部の外周側に第２回転体が、それぞれ回転可能に配設されるので、第２回転体を、保持部材の筒状部を介して第１回転体の本体部に外嵌させることができる。即ち、第１回転体のみでなく、第２回転体も保持部材に保持させることができる。これにより、第１回転体および第２回転体の配設位置を、それぞれ保持部材を基準として規定できるので、第１回転体および第２回転体のそれぞれの外周面に刻設された歯車と、保持部材に配設される第１歯車および第２歯車との間の位置関係を、保持部材を基準として規定できる。よって、第１回転体および第２回転体のそれぞれの外周面に刻設された歯車と第１歯車および第２歯車との歯合を安定化させることができる。その結果、歯車の偏摩耗を抑制できると共に駆動抵抗の抑制を図ることができる。
【０３８１】
遊技機Ｃ７において、前記第１回転体は、前記本体部の外周面から突出され前記本体部の軸方向に延設されると共に周方向に所定間隔を隔てて点在される複数の突出部を備えることを特徴とする遊技機Ｃ８。
【０３８２】
遊技機Ｃ８によれば、遊技機Ｃ７の奏する効果に加え、第１回転体の本体部が、本体部の外周面から突出され本体部の軸方向に延設されると共に周方向に所定間隔を隔てて点在される複数の突出部を備えるので、第１回転体の本体部と保持部材の筒状部との間の接触領域を突出部に限定して、第１回転体の本体部を保持部材の筒状部の内周側でスムーズに回転させることができる。
【０３８３】
なお、突出部は、本体部の軸方向に直交する平面で切断した断面の形状が外方へ凸となる円弧状に湾曲されることを好ましい。保持部材の筒状部の内周面との間の接触面積を抑制して、第１回転体の本体部を保持部材の筒状部の内周側で、よりスムーズに回転させることができるからである。
【０３８４】
遊技機Ｃ８において、前記第１回転体の本体部は、筒状に形成され、前記第１回転体は、前記本体部の内周面から突出され前記本体部の軸方向に延設されると共に前記突出部と同位相となる位置に配設される複数の内側突出部を備えることを特徴とする遊技機Ｃ９。
【０３８５】
遊技機Ｃ９によれば、遊技機Ｃ８の奏する効果に加え、第１回転体の本体部が筒状に形成され、第１回転体が、本体部の内周面から突出され本体部の軸方向に延設されると共に突出部と同位相となる位置（即ち、突出部が形成される領域の裏面側）に配設される複数の内側突出部を備えるので、第１回転体の本体部を樹脂金型により成形する際には、その第１回転体の本体部の形状を、外周面側および内周面側において均一化（対称形状化）して、その成形性を確保することができる。
【０３８６】
遊技機Ｃ９において、前記第１回転体は、前記本体部が軸方向に分割されると共に、それら分割された部分どうしがねじにより締結固定され、前記ねじが前記突出部に対応する位置に締結されることを特徴とする遊技機Ｃ１０。
【０３８７】
遊技機Ｃ１０によれば、遊技機Ｃ９の奏する効果に加え、第１回転体は、本体部が軸方向に分割されると共に、それら分割された部分どうしがねじにより締結固定され、ねじが突出部に対応する位置に締結される、即ち、ねじを締結するためのねじ締結部を突出部が兼ねるので、ねじ締結部の強度を確保できる。
【０３８８】
遊技機Ｃ１からＣ１０のいずれかにおいて、前記保持部材の一側であって、正面視において前記第１回転体または第２回転体の少なくとも一方の回転軌跡に重なる位置に配設され発光可能に形成される発光手段を備えることを特徴とする遊技機Ｃ１１。
【０３８９】
遊技機Ｃ１１によれば、遊技機Ｃ１からＣ１０のいずれかにおいて、保持部材の一側であって、正面視において第１回転体または第２回転体の少なくとも一方の回転軌跡に重なる位置に配設される発光手段を備えるので、第１回転体と第２回転体とを同心に回転させる際に、それら第１回転体または第２回転体の少なくとも一方の回転軌跡上で発光手段による発光を遊技者に視認させることができる。即ち、発光手段による発光と重なる位置において、第１回転体および第２回転体をそれぞれ回転させるという演出を行うことができ、その結果、複数の回転体をそれぞれ回転させるという演出をより効果的に行うことができる。
【０３９０】
遊技機Ｃ１１において、前記第１回転体または第２回転体の少なくとも一方には、回転軌跡が正面視において前記発光手段に重なる領域に、前記発光手段が視認可能に形成される第１部分と前記発光手段が視認不能に形成される第２部分とが周方向交互に配設されることを特徴とする遊技機Ｃ１２。
【０３９１】
遊技機Ｃ１２によれば、遊技機Ｃ１１の奏する効果に加え、第１回転体または第２回転体の少なくとも一方には、回転軌跡が正面視において発光手段に重なる領域に、発光手段が視認可能に形成される第１部分と発光手段が視認不能に形成される第２部分とが周方向交互に配設されるので、第１回転体および第２回転体が回転される際には、第１部分および第２部分が発光手段の前方を交互に通過することで、発光手段の発光を遊技者に断続的に視認させることができる。即ち、第１回転体および第２回転体をそれぞれ回転させつつ、その回転に発光手段の断続的な発光を関連づけるという演出を行うことができ、その結果、複数の回転体をそれぞれ回転させるという演出をより効果的に行うことができる。
【０３９２】
遊技機Ａ１からＡ８，Ｂ１からＢ１０，Ｃ１からＣ１２のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３９３】
遊技機Ａ１からＡ８，Ｂ１からＢ１０，Ｃ１からＣ１２のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３９４】
遊技機Ａ１からＡ８，Ｂ１からＢ１０，Ｃ１からＣ１２のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、回転可能に軸支された基端側を中心として変位部材を回転させることで演出を行う遊技機が知られている（特開２０１１−９２６３４号公報（例えば、段落０１７５〜０１８９、図８３参照））。この遊技機によれば、変位部材を一の方向へ回転させることで、かかる変位部材の先端側を液晶表示装置の前面となる所定位置に配置する一方、変位部材を一の方向と逆方向となる他の方向へ回転させることで、変位部材を液晶表示装置の表示領域の外（退避位置）に退避させる。
しかしながら、上述した従来の遊技機では、変位部材の外形が小さいと、液晶表示装置の前面となる所定位置において、変位部材を遊技者に十分に視認させることが困難となり、演出効果を十分に発揮できない一方、変位部材の外形が大きいと、表示領域の外（退避位置）に大きなスペースが必要になるという問題点があった。
本技術的思想は、上記例示した問題点を解決するためになされたものであり、退避位置に必要とされるスペースを抑制しつつ、所定位置において変位部材を遊技者に十分に視認させることができる遊技機を提供することを目的とする。
＜手段＞
この目的を達成するために技術的思想１の遊技機は、駆動力を発生する駆動手段と、その駆動手段が発生する駆動力により変位される変位部材と、を備えるものであって、前記変位部材は、退避位置および回転位置の間を回転可能に形成される基側変位部材と、その基側変位部材に配設されると共に基準位置およびその基準位置よりも前記基側変位部材から外方へ張り出す張出位置の間を変位可能に形成される相対変位部材と、を備え、前記基側変位部材を前記退避位置および回転位置の間で回転させる第１動作と、前記相対変位部材を前記基側変位部材に対して前記基準位置および張出位置の間で変位させる第２動作と、をそれぞれ実行可能とされる。
技術的思想２の遊技機は、技術的思想１記載の遊技機において、前記相対変位部材は、前記基側変位部材にスライド変位可能に配設され、前記第２動作は、前記相対変位部材を前記基側変位部材に対して前記基準位置および張出位置の間でスライド変位させる。
技術的思想３の遊技機は、技術的思想２記載の遊技機において、前記相対変位部材は、前記基側変位部材に互いの長手方向を沿わせた姿勢で配設されると共に、前記スライド変位の方向が互いの長手方向に沿った方向とされる。
＜効果＞
技術的思想１記載の遊技機によれば、変位部材は、退避位置および回転位置の間を回転可能に形成される基側変位部材と、その基側変位部材に配設されると共に基準位置およびその基準位置よりも基側変位部材から外方へ張り出す張出位置の間を変位可能に形成される相対変位部材とを備え、基側変位部材を退避位置および回転位置の間で回転させる第１動作と、相対変位部材を基側変位部材に対して基準位置および張出位置の間で変位させる第２動作とをそれぞれ実行可能とされるので、退避位置にある基側変位部材を第１動作により回転位置へ配置する際には、基準位置にある相対変位部材を第２動作により張出位置へ配置することで、かかる相対変位部材を基側変位部材から外方へ張り出させることができる。よって、その分、変位部材を全体として大きくできるので、回転位置において、変位部材を遊技者に十分に視認させ、その演出効果を十分に発揮させることができる。
一方、回転位置にある基側変位部材を第１動作により退避位置へ配置する際には、張出位置による相対変位部材を第２動作により基準位置に配置することで、かかる相対変位部材の基側変位部材からの外方への張り出しを抑制できる。よって、その分、変位部材を全体として小さくできるので、退避位置において、変位部材を収容するために必要とされるスペースを抑制できる。その結果、他の部品や装置を配設するためのスペースを確保することができる。
なお、第２動作は、少なくとも退避位置へ配置されるまでの間（即ち、第１動作が完了するまでの間）に行われれば良い。よって、第１動作の少なくとも一部と第２動作の少なくとも一部とが重複して実行されても良い。
技術的思想２記載の遊技機によれば、技術的思想１記載の遊技機の奏する効果に加え、相対変位部材は、基側変位部材にスライド変位可能に配設され、第２動作は、相対変位部材を基側変位部材に対して基準位置および張出位置の間でスライド変位させるので、例えば、第２動作が相対変位部材を基側変位部材に対して回転させる態様である場合と比較して、相対変位部材を基準位置から張出位置まで変位させるのに必要なスペースを抑制することができ、その分、他の部品や装置を配設するためのスペースを確保することができる。また、第１動作による基側変位部材の変位の態様に対して、第２動作による相対変位部材の変位の態様を異ならせることができるので、第１動作および第２動作を行うことによる演出効果を高めることができる。
技術的思想３記載の遊技機によれば、技術的思想２記載の遊技機の奏する効果に加え、相対変位部材は、基側変位部材に互いの長手方向を沿わせた姿勢で配設されると共に、そのスライド変位の方向が互いの長手方向に沿った方向とされるので、基側変位部材に対する相対変位部材の長手方向に沿ったスライド変位により変位部材を全体として伸縮させることができる。よって、回転位置においては、変位部材を、伸長により全体として大きくすることで、遊技者に十分に視認させることができ、その演出効果を十分に発揮させることができる。一方、退避位置においては、変位部材を、短縮により全体として小さくすることで、変位部材を収容するために必要とされるスペースを抑制でき、他の部品や装置を配設するためのスペースを確保することができる。
【符号の説明】
【０３９５】
１０              パチンコ機（遊技機）
６０              ベース板（前方部材）
８６              センターフレーム（前方部材）
４１０            ケース体（保持部材）
４２０            駆動モータ（駆動手段）
４３１            ピニオンギヤ（伝達手段の一部）
４３２            中間ギヤ（伝達手段の一部）
４３３            クランクギヤ（伝達手段の一部、回転部材）
４４０            基側変位部材（変位部材の一部）
４４４            第２スライド孔（スライド溝）
４５０            相対変位部材（変位部材の一部）
４５３            スライドピン（ピン部材）
４６０            連結ロッド（伝達手段の一部、リンク部材）
４８０            装飾部材
５１０            正面ケース体（保持手段の一部、第１部材、遮蔽部材）
５１３            第１案内溝（第１溝部、変位規定手段の一部）
５２３            第２案内溝（第２溝部、変位規定手段の一部）
５２０            背面ケース体（保持手段の一部、第２部材、遮蔽部材）
５３０            駆動モータ（駆動手段）
５５０            被駆動部材
５５２ａ          接続溝（接続溝部、変位規定手段の一部）
５６０            従動部材（変位部材）
５６１ａ          第１ピン（第１被案内部、変位規定手段の一部）
５６１ｂ          接続軸（第２被案内部、変位規定手段の一部）
５６３ａ          当接面（当接部）
６１０            正面ケース体（保持部材の一部）
６１２            筒状部
６２０            背面ケース体（保持部材の一部）
６３０            駆動モータ（駆動手段）
６３１            ピニオンギヤ（第１伝達手段の一部、第２伝達手段の一部）
６４１            第１収納ギヤ（第１伝達手段の一部、第２伝達手段の一部）
６４２            第２収納ギヤ（第１歯車）
６４３            第３収納ギヤ（第２伝達手段の一部）
６４４            第４収納ギヤ（第２伝達手段の一部）
６４５            第５収納ギヤ（第２伝達手段の一部）
６４６            正面ギヤ（第２歯車）
６５０            第１回転体
６５１            本体部
６５１ａ          第１突出部（突出部の一部、内側突出部）
６５１ｂ          第２突出部（突出部の一部、内側突出部）
６５２            正面演出部（一側フランジ部、第１部分および第２部分）
６５３            収納フランジ部（他側フランジ部）
６５３ａ          第１外周ギヤ（第１回転体の外周面に刻設された歯車）
６６０            第２回転体
６６１ａ          第２外周ギヤ（第２回転体の外周面に刻設された歯車）
６７０            球体液晶装置（演出部材）
６８２            発光素子（発光手段）